(57)【要約】  無線通信方法および装置が提供され、特定の帯域幅を有する周波数領域リソースを用いる通信システムに適用される。周波数領域リソースは、少なくとも２つの周波数領域リソースグループに区分され、各周波数領域リソースグループは、少なくとも１つのリソースブロックを含み、少なくとも２つの周波数領域リソースグループは、同じセルに属し、方法は、ネットワークデバイスが、少なくとも２つの周波数領域リソースグループから、ターゲット端末デバイスに割り当てられるべきターゲット周波数領域リソースグループを決定する段階であって、ターゲット周波数領域リソースグループは、少なくとも１つの周波数領域リソースグループを含む、段階と、ネットワークデバイスが、第１の指示情報をターゲット端末デバイスへ送信する段階であって、第１の指示情報は、ターゲット周波数領域リソースグループを示すために用いられる、段階、と、ネットワークデバイスが、ターゲット周波数領域リソースグループを用いることによって、ターゲット端末デバイスと無線通信を行う段階とを備える。従って、異なるユーザ要求を柔軟に満たすことができる。
2018536360.tif 000002
【特許請求の範囲】
【請求項１】
特定の帯域幅を有する周波数領域リソースを用いる通信システムに適用される無線通信方法であって、前記周波数領域リソースは、少なくとも２つの周波数領域リソースグループに区分され、各周波数領域リソースグループは、少なくとも１つのリソースブロックを含み、前記少なくとも２つの周波数領域リソースグループは、同じセルに属し、前記方法は、
ネットワークデバイスが、前記少なくとも２つの周波数領域リソースグループから、ターゲット端末デバイスに割り当てられるべきターゲット周波数領域リソースグループを決定する段階であって、前記ターゲット周波数領域リソースグループは、少なくとも１つの周波数領域リソースグループを含む、段階と、
前記ネットワークデバイスが、第１の指示情報を前記ターゲット端末デバイスへ送信する段階であって、前記第１の指示情報は、前記ターゲット周波数領域リソースグループを示すために用いられる、段階と、
前記ネットワークデバイスが、前記ターゲット周波数領域リソースグループを用いることによって、前記ターゲット端末デバイスと無線通信を行う段階と
を備える
方法。
【請求項２】
前記ターゲット周波数領域リソースグループは、少なくとも２つの周波数領域リソースグループを含み、
前記ネットワークデバイスが、前記ターゲット周波数領域リソースグループを用いることによって、前記ターゲット端末デバイスと無線通信を行う前記段階は、
前記ネットワークデバイスが、前記ターゲット周波数領域リソースグループを用いることによって、少なくとも２つのトランスポートブロックＴＢを前記ターゲット端末デバイスへ伝送する段階であって、前記少なくとも２つのＴＢにおける第１のＴＢが、前記ターゲット周波数領域リソースグループにおける第１の周波数領域リソースグループにおいて保持され、前記少なくとも２つのＴＢにおける第２のＴＢが、前記ターゲット周波数領域リソースグループにおける第２の周波数領域リソースグループにおいて保持され、前記第１の周波数領域リソースグループは、前記第２の周波数領域リソースグループと異なる、段階を含む、請求項１に記載の方法。
【請求項３】
前記少なくとも２つの周波数領域リソースグループが、一次周波数領域リソースグループおよび少なくとも１つの二次周波数領域リソースグループを含み、かつ、
制御チャネルが、前記一次周波数領域リソースグループにおいて設定され、前記一次周波数領域リソースグループにおける前記制御チャネルは、１つのスケジューリング期間において用いられる全ての周波数領域リソースグループのスケジューリング情報を伝送するために用いられ、前記ネットワークデバイスが、前記ターゲット周波数領域リソースグループを用いることによって、前記ターゲット端末デバイスと無線通信を行う前記段階は、
前記ネットワークデバイスが、前記一次周波数領域リソースグループにおける前記制御チャネルを用いることによって、前記ターゲット周波数領域リソースグループのスケジューリング情報を、前記ターゲット端末デバイスへ送信する段階を含むか、または、
アップリンクフィードバックチャネルが、前記一次周波数領域リソースグループにおいて設定され、前記一次周波数領域リソースグループにおける前記アップリンクフィードバックチャネルは、１つのダウンリンク伝送期間において用いられる全ての周波数領域リソースグループにおいて保持されているダウンリンク伝送のフィードバック情報を伝送するために用いられ、前記ネットワークデバイスが、前記ターゲット周波数領域リソースグループを用いることによって、前記ターゲット端末デバイスと無線通信を行う前記段階は、
前記ネットワークデバイスが、前記一次周波数領域リソースグループにおける前記アップリンクフィードバックチャネルを用いることによって、前記ターゲット端末デバイスにより送信された、前記ターゲット周波数領域リソースグループにおいて保持されているダウンリンク伝送のフィードバック情報を受信する段階を含むか、または、
ダウンリンクフィードバックチャネルが、前記一次周波数領域リソースグループにおいて設定され、前記一次周波数領域リソースグループにおける前記ダウンリンクフィードバックチャネルは、１つのアップリンク伝送期間において用いられる全ての周波数領域リソースグループにおいて保持されているアップリンク伝送のフィードバック情報を伝送するために用いられ、前記ネットワークデバイスが、前記ターゲット周波数領域リソースグループを用いることによって、前記ターゲット端末デバイスと無線通信を行う前記段階は、
前記ネットワークデバイスが、前記一次周波数領域リソースグループにおける前記ダウンリンクフィードバックチャネルを用いることによって、前記ターゲット周波数領域リソースグループにおいて保持されているアップリンク伝送のフィードバック情報を、前記ターゲット端末デバイスへ送信する段階を含む、請求項１または２に記載の方法。
【請求項４】
制御チャネルが、各周波数領域リソースグループにおいて設定され、各制御チャネルは、前記制御チャネルが属する周波数領域リソースグループのスケジューリング情報を伝送するために用いられ、前記ネットワークデバイスが、前記ターゲット周波数領域リソースグループを用いることによって、前記ターゲット端末デバイスと無線通信を行う前記段階は、
前記ネットワークデバイスが、前記ターゲット周波数領域リソースグループにおける制御チャネルを用いることによって、前記ターゲット周波数領域リソースグループの前記スケジューリング情報を、前記ターゲット端末デバイスへ送信する段階を含むか、または、
アップリンクフィードバックチャネルが、各周波数領域リソースグループにおいて設定され、各アップリンクフィードバックチャネルは、前記アップリンクフィードバックチャネルが属する周波数領域リソースグループにおいて保持されているダウンリンク伝送のフィードバック情報を伝送するために用いられ、前記ネットワークデバイスが、前記ターゲット周波数領域リソースグループを用いることによって、前記ターゲット端末デバイスと無線通信を行う前記段階は、
前記ネットワークデバイスが、前記ターゲット周波数領域リソースグループにおけるアップリンクフィードバックチャネルを用いることによって、前記ターゲット端末デバイスにより送信された、前記ターゲット周波数領域リソースグループにおいて保持されている前記ダウンリンク伝送の前記フィードバック情報を受信する段階を含むか、または、
ダウンリンクフィードバックチャネルが、各周波数領域リソースグループにおいて設定され、各ダウンリンクフィードバックチャネルは、前記ダウンリンクフィードバックチャネルが属する周波数領域リソースグループにおいて保持されているアップリンク伝送のフィードバック情報を伝送するために用いられ、前記ネットワークデバイスが、前記ターゲット周波数領域リソースグループを用いることによって、前記ターゲット端末デバイスと無線通信を行う前記段階は、
前記ネットワークデバイスが、前記ターゲット周波数領域リソースグループにおけるダウンリンクフィードバックチャネルを用いることによって、前記ターゲット周波数領域リソースグループにおいて保持されている前記アップリンク伝送の前記フィードバック情報を、前記ターゲット端末デバイスへ送信する段階を含む、請求項１から３のいずれか一項に記載の方法。
【請求項５】
特定の帯域幅を有する周波数領域リソースを用いる通信システムに適用される無線通信方法であって、前記周波数領域リソースは、少なくとも２つの周波数領域リソースグループに区分され、各周波数領域リソースグループは、少なくとも１つのリソースブロックを含み、前記少なくとも２つの周波数領域リソースグループは、同じセルに属し、前記方法は、
ターゲット端末デバイスが、ネットワークデバイスにより送信された第１の指示情報を受信する段階であって、前記第１の指示情報は、ターゲット周波数領域リソースグループを示すために用いられ、前記ターゲット周波数領域リソースグループは、前記ネットワークデバイスにより、前記少なくとも２つの周波数領域リソースグループから決定され、前記ターゲット周波数領域リソースグループは、少なくとも１つの周波数領域リソースグループを含む、段階と、
前記ターゲット端末デバイスが、前記ターゲット周波数領域リソースグループを用いることによって、前記ネットワークデバイスと無線通信を行う段階と
を備える
方法。
【請求項６】
前記ターゲット周波数領域リソースグループは、少なくとも２つの周波数領域リソースグループを含み、
前記ターゲット端末デバイスが、前記ターゲット周波数領域リソースグループを用いることによって、前記ネットワークデバイスと無線通信を行う前記段階は、
前記ターゲット端末デバイスが、前記ターゲット周波数領域リソースグループを用いることによって、少なくとも２つのトランスポートブロックＴＢを、前記ネットワークデバイスへ伝送する段階であって、前記少なくとも２つのＴＢにおける第１のＴＢが、前記ターゲット周波数領域リソースグループにおける第１の周波数領域リソースグループにおいて保持され、前記少なくとも２つのＴＢにおける第２のＴＢが、前記ターゲット周波数領域リソースグループにおける第２の周波数領域リソースグループにおいて保持され、前記第１の周波数領域リソースグループは、前記第２の周波数領域リソースグループと異なる、段階を含む、請求項５に記載の方法。
【請求項７】
前記少なくとも２つの周波数領域リソースグループは、一次周波数領域リソースグループおよび前記少なくとも１つの二次周波数領域リソースグループを含み、かつ、
制御チャネルが、前記一次周波数領域リソースグループにおいて設定され、前記一次周波数領域リソースグループにおける前記制御チャネルは、１つのスケジューリング期間において用いられる全ての周波数領域リソースグループのスケジューリング情報を伝送するために用いられ、前記ターゲット端末デバイスが、前記ターゲット周波数領域リソースグループを用いることによって、前記ネットワークデバイスと無線通信を行う前記段階は、
前記ターゲット端末デバイスが、前記一次周波数領域リソースグループにおける前記制御チャネルを用いることによって、前記ネットワークデバイスにより送信された、前記ターゲット周波数領域リソースグループのスケジューリング情報を受信する段階を含むか、または、
アップリンクフィードバックチャネルが、前記一次周波数領域リソースグループにおいて設定され、前記一次周波数領域リソースグループにおける前記アップリンクフィードバックチャネルは、１つのダウンリンク伝送期間において用いられる全ての周波数領域リソースグループにおいて保持されているダウンリンク伝送のフィードバック情報を伝送するために用いられ、前記ターゲット端末デバイスが、前記ターゲット周波数領域リソースグループを用いることによって、前記ネットワークデバイスと無線通信を行う前記段階は、
前記ターゲット端末デバイスが、前記一次周波数領域リソースグループにおける前記アップリンクフィードバックチャネルを用いることによって、前記ターゲット周波数領域リソースグループにおいて保持されているダウンリンク伝送のフィードバック情報を、前記ネットワークデバイスへ送信する段階を含むか、または、
ダウンリンクフィードバックチャネルが、前記一次周波数領域リソースグループにおいて設定され、前記一次周波数領域リソースグループにおける前記ダウンリンクフィードバックチャネルは、１つのアップリンク伝送期間において用いられる全ての周波数領域リソースグループにおいて保持されているアップリンク伝送のフィードバック情報を伝送するために用いられ、前記ターゲット端末デバイスが、前記ターゲット周波数領域リソースグループを用いることによって、前記ネットワークデバイスと無線通信を行う前記段階は、前記ターゲット端末デバイスが、前記一次周波数領域リソースグループにおける前記ダウンリンクフィードバックチャネルを用いることによって、前記ネットワークデバイスにより送信された、前記ターゲット周波数領域リソースグループにおいて保持されているアップリンク伝送のフィードバック情報を受信する段階を含む、請求項５または６に記載の方法。
【請求項８】
制御チャネルが、各周波数領域リソースグループにおいて設定され、各制御チャネルは、前記制御チャネルが属する周波数領域リソースグループのスケジューリング情報を伝送するために用いられ、前記ターゲット端末デバイスが、前記ターゲット周波数領域リソースグループを用いることによって、前記ネットワークデバイスと無線通信を行う前記段階は、
前記ターゲット端末デバイスが、前記ターゲット周波数領域リソースグループにおける制御チャネルを用いることによって、前記ネットワークデバイスにより送信された、前記ターゲット周波数領域リソースグループの前記スケジューリング情報を受信する段階を含むか、または、
アップリンクフィードバックチャネルが、各周波数領域リソースグループにおいて設定され、各アップリンクフィードバックチャネルは、前記アップリンクフィードバックチャネルが属する周波数領域リソースグループにおいて保持されているダウンリンク伝送のフィードバック情報を伝送するために用いられ、前記ターゲット端末デバイスが、前記ターゲット周波数領域リソースグループを用いることによって、前記ネットワークデバイスと無線通信を行う前記段階は、
前記ターゲット端末デバイスが、前記ターゲット周波数領域リソースグループにおけるアップリンクフィードバックチャネルを用いることによって、前記ターゲット周波数領域リソースグループにおいて保持されている前記ダウンリンク伝送の前記フィードバック情報を、前記ネットワークデバイスへ送信する段階を含むか、または、
ダウンリンクフィードバックチャネルが、各周波数領域リソースグループにおいて設定され、各ダウンリンクフィードバックチャネルは、前記ダウンリンクフィードバックチャネルが属する周波数領域リソースグループにおいて保持されているアップリンク伝送のフィードバック情報を伝送するために用いられ、前記ターゲット端末デバイスが、前記ターゲット周波数領域リソースグループを用いることによって、前記ネットワークデバイスと無線通信を行う前記段階は、
前記ターゲット端末デバイスが、前記ターゲット周波数領域リソースグループにおけるダウンリンクフィードバックチャネルを用いることによって、前記ネットワークデバイスにより送信された、前記ターゲット周波数領域リソースグループにおいて保持されている前記アップリンク伝送の前記フィードバック情報を受信する段階を含む、請求項５から７のいずれか一項に記載の方法。
【請求項９】
特定の帯域幅を有する周波数領域リソースを用いる通信システムに適用される無線通信装置であって、前記周波数領域リソースは、少なくとも２つの周波数領域リソースグループに区分され、各周波数領域リソースグループは、少なくとも１つのリソースブロックを含み、前記少なくとも２つの周波数領域リソースグループは、同じセルに属し、前記装置は、
前記少なくとも２つの周波数領域リソースグループから、ターゲット端末デバイスに割り当てられるべきターゲット周波数領域リソースグループを決定するように構成される決定ユニットであって、前記ターゲット周波数領域リソースグループは、少なくとも１つの周波数領域リソースグループを含む、決定ユニットと、
第１の指示情報を前記ターゲット端末デバイスへ送信するように構成される通信ユニットであって、前記第１の指示情報は、前記ターゲット周波数領域リソースグループを示すために用いられ、前記通信ユニットはさらに、前記ターゲット周波数領域リソースグループを用いることによって、前記ターゲット端末デバイスと無線通信を行うように構成される、通信ユニット、と
を備える
装置。
【請求項１０】
前記ターゲット周波数領域リソースグループは、少なくとも２つの周波数領域リソースグループを含み、
前記通信ユニットは具体的に、前記ターゲット周波数領域リソースグループを用いることによって、少なくとも２つのトランスポートブロックＴＢを、前記ターゲット端末デバイスへ伝送するように構成され、前記少なくとも２つのＴＢにおける第１のＴＢが、前記ターゲット周波数領域リソースグループにおける第１の周波数領域リソースグループにおいて保持され、前記少なくとも２つのＴＢにおける第２のＴＢが、前記ターゲット周波数領域リソースグループにおける第２の周波数領域リソースグループにおいて保持され、前記第１の周波数領域リソースグループは、前記第２の周波数領域リソースグループと異なる、
請求項９に記載の装置。
【請求項１１】
前記少なくとも２つの周波数領域リソースグループは、一次周波数領域リソースグループおよび少なくとも１つの二次周波数領域リソースグループを含み、かつ、
制御チャネルが、前記一次周波数領域リソースグループにおいて設定され、前記一次周波数領域リソースグループにおける前記制御チャネルは、１つのスケジューリング期間において用いられる全ての周波数領域リソースグループのスケジューリング情報を伝送するために用いられ、前記通信ユニットは具体的に、前記一次周波数領域リソースグループにおける前記制御チャネルを用いることによって、前記ターゲット周波数領域リソースグループのスケジューリング情報を、前記ターゲット端末デバイスへ送信するように構成されるか、または、
アップリンクフィードバックチャネルが、前記一次周波数領域リソースグループにおいて設定され、前記一次周波数領域リソースグループにおける前記アップリンクフィードバックチャネルは、１つのダウンリンク伝送期間において用いられる全ての周波数領域リソースグループにおいて保持されているダウンリンク伝送のフィードバック情報を伝送するために用いられ、前記通信ユニットは具体的に、前記ターゲット端末デバイスにより送信された、前記ターゲット周波数領域リソースグループにおいて保持されているダウンリンク伝送のフィードバック情報を、前記一次周波数領域リソースグループにおける前記アップリンクフィードバックチャネルを用いることによって受信するように構成されるか、または、
ダウンリンクフィードバックチャネルが、前記一次周波数領域リソースグループにおいて設定され、前記一次周波数領域リソースグループにおける前記ダウンリンクフィードバックチャネルは、１つのアップリンク伝送期間において用いられる全ての周波数領域リソースグループにおいて保持されているアップリンク伝送のフィードバック情報を伝送するために用いられ、前記通信ユニットは具体的に、前記一次周波数領域リソースグループにおける前記ダウンリンクフィードバックチャネルを用いることによって、前記ターゲット周波数領域リソースグループにおいて保持されているアップリンク伝送のフィードバック情報を、前記ターゲット端末デバイスへ送信するように構成される、請求項９または１０に記載の装置。
【請求項１２】
制御チャネルが、各周波数領域リソースグループにおいて設定され、各制御チャネルは、前記制御チャネルが属する周波数領域リソースグループのスケジューリング情報を伝送するために用いられ、前記通信ユニットは具体的に、前記ターゲット周波数領域リソースグループにおける制御チャネルを用いることによって、前記ターゲット周波数領域リソースグループの前記スケジューリング情報を、前記ターゲット端末デバイスへ送信するように構成されるか、または、
アップリンクフィードバックチャネルが、各周波数領域リソースグループにおいて設定され、各アップリンクフィードバックチャネルは、前記アップリンクフィードバックチャネルが属する周波数領域リソースグループにおいて保持されているダウンリンク伝送のフィードバック情報を伝送するために用いられ、前記通信ユニットは具体的に、前記ターゲット周波数領域リソースグループにおけるアップリンクフィードバックチャネルを用いることによって、前記ターゲット端末デバイスにより送信された、前記ターゲット周波数領域リソースグループにおいて保持されている前記ダウンリンク伝送の前記フィードバック情報を受信するように構成されるか、または、
ダウンリンクフィードバックチャネルが、各周波数領域リソースグループにおいて設定され、各ダウンリンクフィードバックチャネルは、前記ダウンリンクフィードバックチャネルが属する周波数領域リソースグループにおいて保持されているアップリンク伝送のフィードバック情報を伝送するために用いられ、前記通信ユニットは具体的に、前記ターゲット周波数領域リソースグループにおけるダウンリンクフィードバックチャネルを用いることによって、前記ターゲット周波数領域リソースグループにおいて保持されている前記アップリンク伝送の前記フィードバック情報を、前記ターゲット端末デバイスへ送信するように構成される、請求項９から１１のいずれか一項に記載の装置。
【請求項１３】
特定の帯域幅を有する周波数領域リソースを用いる通信システムに適用される無線通信装置であって、前記周波数領域リソースは、少なくとも２つの周波数領域リソースグループに区分され、各周波数領域リソースグループは、少なくとも１つのリソースブロックを含み、前記少なくとも２つの周波数領域リソースグループは、同じセルに属し、前記装置は、
ネットワークデバイスにより送信された第１の指示情報を受信するように構成される通信ユニットであって、前記第１の指示情報は、ターゲット周波数領域リソースグループを示すために用いられ、前記ターゲット周波数領域リソースグループは、前記ネットワークデバイスにより、前記少なくとも２つの周波数領域リソースグループから決定され、前記ターゲット周波数領域リソースグループは、少なくとも１つの周波数領域リソースグループを含む、通信ユニットと、
前記第１の指示情報に従って、前記ターゲット周波数領域リソースグループを決定するように構成される決定ユニットであって、前記通信ユニットはさらに、前記ターゲット周波数領域リソースグループを用いることによって、前記ネットワークデバイスと無線通信を行うように構成される、決定ユニットとを備える
装置。
【請求項１４】
前記ターゲット周波数領域リソースグループは、少なくとも２つの周波数領域リソースグループを含み、
前記通信ユニットは具体的に、前記ターゲット周波数領域リソースグループを用いることによって、少なくとも２つのトランスポートブロックＴＢを、前記ネットワークデバイスへ伝送するように構成され、前記少なくとも２つのＴＢにおける第１のＴＢが、前記ターゲット周波数領域リソースグループにおける第１の周波数領域リソースグループにおいて保持され、前記少なくとも２つのＴＢにおける第２のＴＢが、前記ターゲット周波数領域リソースグループにおける第２の周波数領域リソースグループにおいて保持され、前記第１の周波数領域リソースグループは、前記第２の周波数領域リソースグループと異なる、請求項１３に記載の装置。
【請求項１５】
前記少なくとも２つの周波数領域リソースグループは、一次周波数領域リソースグループおよび少なくとも１つの二次周波数領域リソースグループを含み、かつ、
制御チャネルが、前記一次周波数領域リソースグループにおいて設定され、前記一次周波数領域リソースグループにおける前記制御チャネルは、１つのスケジューリング期間において用いられる全ての周波数領域リソースグループのスケジューリング情報を伝送するために用いられ、前記通信ユニットは具体的に、前記一次周波数領域リソースグループにおける前記制御チャネルを用いることによって、前記ネットワークデバイスにより送信された、前記ターゲット周波数領域リソースグループのスケジューリング情報を受信するように構成されるか、または、
アップリンクフィードバックチャネルが、前記一次周波数領域リソースグループにおいて設定され、前記一次周波数領域リソースグループにおける前記アップリンクフィードバックチャネルは、１つのダウンリンク伝送期間において用いられる全ての周波数領域リソースグループにおいて保持されているダウンリンク伝送のフィードバック情報を伝送するために用いられ、前記通信ユニットは具体的に、前記一次周波数領域リソースグループにおける前記アップリンクフィードバックチャネルを用いることによって、前記ターゲット周波数領域リソースグループにおいて保持されているダウンリンク伝送のフィードバック情報を、前記ネットワークデバイスへ送信するように構成されるか、または、
ダウンリンクフィードバックチャネルが、前記一次周波数領域リソースグループにおいて設定され、前記一次周波数領域リソースグループにおける前記ダウンリンクフィードバックチャネルは、１つのアップリンク伝送期間において用いられる全ての周波数領域リソースグループにおいて保持されているアップリンク伝送のフィードバック情報を伝送するために用いられ、前記通信ユニットは具体的に、前記ネットワークデバイスにより送信された、前記ターゲット周波数領域リソースグループにおいて保持されているアップリンク伝送のフィードバック情報を、前記一次周波数領域リソースグループにおける前記ダウンリンクフィードバックチャネルを用いることによって受信するように構成される請求項１３または１４に記載の装置。
【請求項１６】
制御チャネルが、各周波数領域リソースグループにおいて設定され、各制御チャネルは、前記制御チャネルが属する周波数領域リソースグループのスケジューリング情報を伝送するために用いられ、前記通信ユニットは具体的に、前記ネットワークデバイスにより送信された、前記ターゲット周波数領域リソースグループの前記スケジューリング情報を、前記ターゲット周波数領域リソースグループにおける制御チャネルを用いることによって、受信するように構成されるか、または、
アップリンクフィードバックチャネルが、各周波数領域リソースグループにおいて設定され、各アップリンクフィードバックチャネルは、前記アップリンクフィードバックチャネルが属する周波数領域リソースグループにおいて保持されているダウンリンク伝送のフィードバック情報を伝送するために用いられ、前記通信ユニットは具体的に、前記ターゲット周波数領域リソースグループにおけるアップリンクフィードバックチャネルを用いることによって、前記ターゲット周波数領域リソースグループにおいて保持されている前記ダウンリンク伝送の前記フィードバック情報を、前記ネットワークデバイスへ送信するように構成されるか、または、
ダウンリンクフィードバックチャネルが、各周波数領域リソースグループにおいて設定され、各ダウンリンクフィードバックチャネルは、前記ダウンリンクフィードバックチャネルが属する周波数領域リソースグループにおいて保持されているアップリンク伝送のフィードバック情報を伝送するために用いられ、前記通信ユニットは具体的に、前記ネットワークデバイスにより送信された、前記ターゲット周波数領域リソースグループにおいて保持されている前記アップリンク伝送の前記フィードバック情報を、前記ターゲット周波数領域リソースグループにおけるダウンリンクフィードバックチャネルを用いることによって、受信するように構成される、請求項１３から１５のいずれか一項に記載の装置。
【発明の詳細な説明】
【技術分野】
【０００１】
［関連出願の相互参照］
本出願は、２０１５年１２月３日に中国特許庁宛に出願された、「無線通信方法および装置」と題する中国特許出願番号第２０１５１０８７５５７５．２号に基づく優先権を主張し、当該出願は、その全体を参照することにより、本明細書に組み込まれている。
【０００２】
本発明の実施形態は、通信分野に関し、より具体的には、無線通信方法および装置に関する。
【背景技術】
【０００３】
モバイルインターネット技術の開発に伴い、ロングタームエボリューション（ＬＴＥ、Ｌｏｎｇ  Ｔｅｒｍ  Ｅｖｏｌｕｔｉｏｎ）システムなどの通信システムは、１００メガヘルツＭＨｚまたはさらにより高い帯域幅を提供することができる。
【０００４】
加えて、通信サービスがますます多様化してきている。例えば、サービスタイプの面からみると、音声サービスまたはショートメッセージサービスなどの従来のサービスが存在し、動画サービスまたは高解像度画像サービスなどの大容量データのサービスも存在する。伝送の速さの面からみると、低速サービスが存在し、高速サービスも存在する。異なるサービスは、周波数領域リソースの帯域幅に対して異なる要求を有する。例えば、ユーザが、コストを低減するために比較的低い帯域幅要求を有する場合、比較的低い処理性能を有する端末デバイスが存在し得る（例えば、端末デバイスは、比較的低い帯域幅を有する周波数領域リソース上のみで伝送を処理することができる）。その結果、比較的低い性能を有する端末デバイスは、先述の高帯域幅のシステムにおいて用いられることができない。
【０００５】
どのように高帯域幅の通信システムにおいて異なるユーザ要求を柔軟に満たすかが業界において早急に解決されたい問題となっている。
【発明の概要】
【０００６】
本発明の実施形態は、無線通信方法および装置を提供し、異なるユーザ要求を柔軟に満たす。
【０００７】
第１の態様によれば、無線通信方法が提供され、特定の帯域幅を有する周波数領域リソースを用いる通信システムに適用される。ここで、周波数領域リソースは、少なくとも２つの周波数領域リソースグループに区分され、各周波数領域リソースグループは、少なくとも１つのリソースブロックを含み、少なくとも２つの周波数領域リソースグループは、同じセルに属し、方法は、ネットワークデバイスが、少なくとも２つの周波数領域リソースグループから、ターゲット端末デバイスに割り当てられるべきターゲット周波数領域リソースグループを決定する段階であって、ターゲット周波数領域リソースグループは、少なくとも１つの周波数領域リソースグループを含む、段階と、ネットワークデバイスが、第１の指示情報をターゲット端末デバイスへ送信する段階であって、第１の指示情報は、ターゲット周波数領域リソースグループを示すために用いられる、段階と、ネットワークデバイスが、ターゲット周波数領域リソースグループを用いることによって、ターゲット端末デバイスと無線通信を行う段階とを備える。
【０００８】
第１の態様に関連して、第１の態様の第１の実装方式において、ターゲット周波数領域リソースグループは、少なくとも２つの周波数領域リソースグループを含み、ネットワークデバイスが、ターゲット周波数領域リソースグループを用いることによって、ターゲット端末デバイスと無線通信を行う段階は、ネットワークデバイスが、ターゲット周波数領域リソースグループを用いることによって、少なくとも２つのトランスポートブロックＴＢを、ターゲット端末デバイスへ伝送する段階であって、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる、段階を含む。
【０００９】
第１の態様および第１の態様の先述の実装方式に関連して、第１の態様の第２の実装方式において、ネットワークデバイスが、ターゲット周波数領域リソースグループを用いることによって、ターゲット端末デバイスと無線通信を行う段階は、ネットワークデバイスが、ターゲット周波数領域リソースグループを用いることによって、少なくとも３つのトランスポートブロックＴＢをターゲット端末デバイスへ伝送する段階を含み、ここで、ターゲット周波数領域リソースグループは、少なくとも２つの周波数領域リソースグループを含み、ターゲット周波数領域リソースにおける少なくとも１つの周波数領域リソースグループは、少なくとも２つのＴＢを保持するために用いられるか、または、ターゲット周波数領域リソースグループは、少なくとも３つの周波数領域リソースグループを含み、ターゲット周波数領域リソースグループにおける各周波数領域リソースグループは、少なくとも１つのＴＢを保持するために用いられる。
【００１０】
第１の態様および第１の態様の先述の実装方式に関連して、第１の態様の第３の実装方式において、ネットワークデバイスが、少なくとも２つの周波数領域リソースグループから、ターゲット端末デバイスに割り当てられるべきターゲット周波数領域リソースグループを決定する段階は、ネットワークデバイスが、ターゲット端末デバイスにより送信された端末能力情報を受信する段階であって、端末能力情報は、ターゲット端末デバイスにより処理され得る周波数領域リソースの最大幅を示すために用いられる、段階と、ネットワークデバイスが、端末能力情報に従って、少なくとも２つの周波数領域リソースグループから、ターゲット端末デバイスに割り当てられるべきターゲット周波数領域リソースグループを決定する段階とを含む。
【００１１】
第１の態様および第１の態様の先述の実装方式に関連して、第１の態様の第４の実装方式において、少なくとも２つの周波数領域リソースグループは、周波数領域リソースにおいて連続して分布される。
【００１２】
第１の態様および第１の態様の先述の実装方式に関連して、第１の態様の第５の実装方式において、少なくとも２つの周波数領域リソースグループは、一次周波数領域リソースグループおよび少なくとも１つの二次周波数領域リソースグループを含む。
【００１３】
第１の態様および第１の態様の先述の実装方式に関連して、第１の態様の第６の実装方式において、ネットワークデバイスが、第１の指示情報をターゲット端末デバイスへ送信する段階は、ネットワークデバイスが、一次周波数領域リソースグループを用いることによって、第１の指示情報をターゲット端末デバイスへ送信する段階を含む。
【００１４】
第１の態様および第１の態様の先述の実装方式に関連して、第１の態様の第７の実装方式において、制御チャネルが一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、ネットワークデバイスが、ターゲット周波数領域リソースグループを用いることによって、ターゲット端末デバイスと無線通信を行う段階は、ネットワークデバイスが、一次周波数領域リソースグループにおける制御チャネルを用いることによって、ターゲット周波数領域リソースグループのスケジューリング情報を、ターゲット端末デバイスへ送信する段階を含む。
【００１５】
第１の態様および第１の態様の先述の実装方式に関連して、第１の態様の第８の実装方式において、制御チャネルが各周波数領域リソースグループにおいて設定され、各制御チャネルは、当該制御チャネルが属する周波数領域リソースグループのスケジューリング情報を伝送するために用いられ、ネットワークデバイスが、ターゲット周波数領域リソースグループを用いることによって、ターゲット端末デバイスと無線通信を行う段階は、ネットワークデバイスが、ターゲット周波数領域リソースグループにおける制御チャネルを用いることによって、ターゲット周波数領域リソースグループのスケジューリング情報を、ターゲット端末デバイスへ送信する段階を含む。
【００１６】
第１の態様および第１の態様の先述の実装方式に関連して、第１の態様の第９の実装方式において、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、ターゲット端末デバイスにより送信された、ターゲット周波数領域リソースグループにおいて保持されているダウンリンク伝送のフィードバック情報を、一次周波数領域リソースグループにおけるアップリンクフィードバックチャネルを用いることによって、受信する段階を含む。
【００１７】
第１の態様および第１の態様の先述の実装方式に関連して、第１の態様の第１０の実装方式において、アップリンクフィードバックチャネルが各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、ターゲット端末デバイスにより送信された、ターゲット周波数領域リソースグループにおいて保持されているダウンリンク伝送のフィードバック情報を、ターゲット周波数領域リソースグループにおけるアップリンクフィードバックチャネルを用いることによって、受信する段階を含む。
【００１８】
第１の態様および第１の態様の先述の実装方式に関連して、第１の態様の第１１の実装方式において、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、一次周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信する段階を含む。
【００１９】
第１の態様および第１の態様の先述の実装方式に関連して、第１の態様の第１２の実装方式において、ダウンリンクフィードバックチャネルが各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、ターゲット周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信する段階を含む。
【００２０】
第１の態様および第１の態様の先述の実装方式に関連して、第１の態様の第１３の実装方式において、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成され、ネットワークデバイスが、ターゲット周波数領域リソースグループを用いることによって、ターゲット端末デバイスと無線通信を行う段階は、ネットワークデバイスが、ターゲット周波数領域リソースグループに対応するＨＡＲＱエンティティを決定する段階と、ネットワークデバイスが、ターゲット周波数領域リソースグループに対応するＨＡＲＱエンティティに従って、ターゲット周波数領域リソースグループにおいて保持されている伝送に対してＨＡＲＱ処理を実行する段階とを含む。
【００２１】
第２の態様によれば、無線通信方法が提供され、特定の帯域幅を有する周波数領域リソースを用いる通信システムに適用され、ここで、周波数領域リソースは、少なくとも２つの周波数領域リソースグループに区分され、各周波数領域リソースグループは、少なくとも１つのリソースブロックを含み、少なくとも２つの周波数領域リソースグループが同じセルに属し、方法は、ターゲット端末デバイスが、ネットワークデバイスにより送信された第１の指示情報を受信する段階であって、第１の指示情報は、ターゲット周波数領域リソースグループを示すために用いられ、ターゲット周波数領域リソースグループは、ネットワークデバイスが、少なくとも２つの周波数領域リソースグループから決定され、ターゲット周波数領域リソースグループは、少なくとも１つの周波数領域リソースグループを含む、段階と、ターゲット端末デバイスが、ターゲット周波数領域リソースグループを用いることによって、ネットワークデバイスと無線通信を行う段階とを備える。
【００２２】
第２の態様に関連して、第２の態様の第１の実装方式において、ターゲット周波数領域リソースグループは、少なくとも２つの周波数領域リソースグループを含み、ターゲット端末デバイスが、ターゲット周波数領域リソースグループを用いることによって、ネットワークデバイスと無線通信を実行する段階は、ターゲット端末デバイスが、ターゲット周波数領域リソースグループを用いることによって、少なくとも２つのトランスポートブロックＴＢをネットワークデバイスへ伝送する段階を含み、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【００２３】
第２の態様および第２の態様の先述の実装方式に関連して、第２の態様の第２の実装方式において、ターゲット端末デバイスが、ターゲット周波数領域リソースグループを用いることによって、ネットワークデバイスと無線通信を行う段階は、ターゲット端末デバイスが、ターゲット周波数領域リソースグループを用いることによって、少なくとも３つのトランスポートブロックＴＢをネットワークデバイスへ伝送する段階を含み、ここで、ターゲット周波数領域リソースグループは、少なくとも２つの周波数領域リソースグループを含み、ターゲット周波数領域リソースにおける少なくとも１つの周波数領域リソースグループは、少なくとも２つのＴＢを保持するために用いられるか、または、ターゲット周波数領域リソースグループは、少なくとも３つの周波数領域リソースグループを含み、ターゲット周波数領域リソースグループにおける各周波数領域リソースグループが、少なくとも１つのＴＢを保持するために用いられる。
【００２４】
第２の態様および第２の態様の先述の実装方式に関連して、第２の態様の第３の実装方式において、方法はさらに、ターゲット端末デバイスが、端末能力情報をネットワークデバイスへ送信する段階を備え、ここで、端末能力情報は、ターゲット端末デバイスにより処理され得る周波数領域リソースの最大幅を示すために用いられ、これにより、ネットワークデバイスは、端末能力情報に従って、ターゲット周波数領域リソースグループを決定する。
【００２５】
第２の態様および第２の態様の先述の実装方式に関連して、第２の態様の第４の実装方式において、少なくとも２つの周波数領域リソースグループは、周波数領域リソースにおいて連続して分布される。
【００２６】
第２の態様および第２の態様の先述の実装方式に関連して、第２の態様の第５の実装方式において、少なくとも２つの周波数領域リソースグループは、一次周波数領域リソースグループおよび少なくとも１つの二次周波数領域リソースグループを含む。
【００２７】
第２の態様および第２の態様の先述の実装方式に関連して、第２の態様の第６の実装方式において、ターゲット端末デバイスが、ネットワークデバイスにより送信された第１の指示情報を受信する段階は、ターゲット端末デバイスが、一次周波数領域リソースグループを用いることによって、ネットワークデバイスにより送信された第１の指示情報を受信する段階を含む。
【００２８】
第２の態様および第２の態様の先述の実装方式に関連して、第２の態様の第７の実装方式において、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、一次周波数領域リソースグループにおける制御チャネルを用いることによって受信する段階を含む。
【００２９】
第２の態様および第２の態様の先述の実装方式に関連して、第２の態様の第８の実装方式において、制御チャネルが、各周波数領域リソースグループにおいて設定され、各制御チャネルは、当該制御チャネルが属する周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、ターゲット周波数領域リソースグループにおける制御チャネルを用いることによって受信する段階を含む。
【００３０】
第２の態様および第２の態様の先述の実装方式に関連して、第２の態様の第９の実装方式において、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、一次周波数領域リソースグループにおけるアップリンクフィードバックチャネルを用いることによって、ターゲット周波数領域リソースグループにおいて保持されているダウンリンク伝送のフィードバック情報をネットワークデバイスへ送信する段階を含む。
【００３１】
第２の態様および第２の態様の先述の実装方式に関連して、第２の態様の第１０の実装方式において、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ターゲット周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信する段階を含む。
【００３２】
第２の態様および第２の態様の先述の実装方式に関連して、第２の態様の第１１の実装方式において、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループにおいて保持されているアップリンク伝送のフィードバック情報を、一次周波数領域リソースグループにおけるダウンリンクフィードバックチャネルを用いることによって受信する段階を含む。
【００３３】
第２の態様および第２の態様の先述の実装方式に関連して、第２の態様の第１２の実装方式において、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループにおいて保持されているアップリンク伝送のフィードバック情報を、ターゲット周波数領域リソースグループにおけるダウンリンクフィードバックチャネルを用いることによって受信する段階を含む。
【００３４】
第３の態様によれば、無線通信装置が提供され、第１の態様における全ての段階と、第１の態様の全ての実装方式とを実行するように構成されるユニットを備える。
【００３５】
第４の態様によれば、無線通信装置が提供され、第２の態様における全ての段階と、第１の態様の全ての実装方式とを実行するように構成されるユニットを備える。
【００３６】
本発明の実施形態における無線通信方法および装置によれば、システムに提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから、端末デバイスに割り当てられてよく、これにより、端末デバイスの要求に基づき、対応する周波数領域リソースを端末デバイスに提供することができる。従って、異なるユーザ要求が柔軟に満たされ得る。
【図面の簡単な説明】
【００３７】
【図１】本発明の実施形態に係る周波数領域リソースの区分方式の一例の模式図である。
【００３８】
【図２】本発明の実施形態に係るＨＡＲＱエンティティの設定方式の一例の模式図である。
【００３９】
【図３】本発明の実施形態に係る制御チャネルの設定方式の一例の模式図である。
【００４０】
【図４】本発明の実施形態に係るアップリンクフィードバックチャネルの設定方式の一例の模式図である。
【００４１】
【図５】本発明の実施形態に係るダウンリンクフィードバックチャネルの設定方式の例の模式図である。
【００４２】
【図６】本発明の実施形態に係る制御チャネルの設定方式の別の例の模式図である。
【００４３】
【図７】本発明の実施形態に係るアップリンクフィードバックの設定方式の別の例の模式図である。
【００４４】
【図８】本発明の実施形態に係るダウンリンクフィードバックの設定方式の別の例の模式図である。
【００４５】
【図９】本発明の実施形態に係る無線通信方法の模式的フローチャートである。
【００４６】
【図１０】本発明の実施形態に係るＴＢマッピング方式の一例の模式的フローチャートである。
【００４７】
【図１１】本発明の別の実施形態に係る無線通信方法の模式的フローチャートである。
【００４８】
【図１２】本発明の実施形態に係る無線通信装置の模式的ブロック図である。
【００４９】
【図１３】本発明の別の実施形態に係る無線通信装置の模式的ブロック図である。
【００５０】
【図１４】本発明の実施形態に係る無線通信デバイスの模式的構造図である。
【００５１】
【図１５】本発明の別の実施形態に係る無線通信デバイスの模式的構造図である。
【発明を実施するための形態】
【００５２】
以下では、本発明の実施形態の添付図面を参照して、本発明の実施形態における技術的解決手段を明確にかつ十分に説明する。
【００５３】
本明細書において用いられる「コンポーネント」、「モジュール」、および「システム」などの用語は、コンピュータ関連エンティティ、ハードウェア、ファームウェア、ハードウェアおよびソフトウェアの組み合わせ、ソフトウェア、または実行されているソフトウェアを示すために用いられる。例えば、コンポーネントは、プロセッサ上で実行されるプロセス、プロセッサ、対象物、実行可能なファイル、実行スレッド、プログラム、および／またはコンピュータであり得るが、これらに限定されない。コンピューティングデバイス、およびコンピューティングデバイス上で作動するアプリケーションが両方、コンポーネントであってよい。１つ又は複数のコンポーネントは、プロセスおよび／または実行スレッド内に存在してよく、コンポーネントは、１つのコンピュータ上に位置してよく、および／または、２つまたはそれより多いコンピュータの間で分布されてよい。加えて、これらのコンポーネントは、様々なデータ構造を記憶する様々なコンピュータ可読媒体から実行されてよい。例えば、コンポーネントは、ローカルプロセスおよび／またはリモートプロセスを用いることによって、かつ、（例えば、ローカルシステム、分散型システムにおける、および／または、信号を用いて別のシステムとインタラクションする、インターネットなどのネットワークにわたる別のコンポーネントとインタラクションする１つのコンポーネントからのデータのような）１つ又は複数のデータパケットを有する信号に従って、通信を行ってよい。
【００５４】
本発明の実施形態において、コンピュータは、ハードウェアレイヤと、ハードウェアレイヤの上方で実行されるオペレーティングシステムレイヤと、オペレーティングシステムレイヤの上方で実行されるアプリケーションレイヤとを含む。ハードウェアレイヤは、ＣＰＵ、メモリ管理ユニット（Ｍｅｍｏｒｙ  Ｍａｎａｇｅｍｅｎｔ  Ｕｎｉｔ、略してＭＭＵ）、および（記憶装置とも称される）メモリなどのハードウェアを含む。オペレーティングシステムは、例えば、Ｌｉｎｕｘ（登録商標）システム、Ｕｎｉｘ（登録商標）システム、Ａｎｄｒｏｉｄ（登録商標）システム、ｉＯＳ（登録商標）システム、またはＷｉｎｄｏｗｓ（登録商標）システムなどの、プロセスを用いることによってサービス処理を実装する任意の１つ又は複数のコンピュータオペレーティングシステムであってよい。本発明において、このことは具体的に限定されない。アプリケーションレイヤは、ブラウザ、住所録、ワード処理ソフトウェア、およびインスタントメッセージングソフトウェアなどのアプリケーションを含む。上に列挙されたコンピュータデバイスは単に、説明のための例であることが、理解されるべきである。本発明において、このことは具体的に限定されない。
【００５５】
本発明の実施形態における解決手段は、例えば、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎ、略してＧＳＭ（登録商標））、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ（登録商標））システム、ロングタームエボリューション（Ｌｏｎｇ  Ｔｅｒｍ  Ｅｖｏｌｕｔｉｏｎ、略してＬＴＥ）システム、または符号分割多重接続（Ｃｏｄｅ  Ｄｉｖｉｓｉｏｎ  Ｍｕｌｔｉｐｌｅ  Ａｃｃｅｓｓ、略してＣＤＭＡ）システムなどの既存のセルラ通信システムに適用されてよく、サポートされる通信は主に、音声およびデータのための通信である。概して、従来の基地局によりサポートされた接続の数量が限定されており、容易に実装される。
【００５６】
任意選択的に、ネットワークデバイスは、基地局であり、端末デバイスは、ユーザ機器である。
【００５７】
本発明の実施形態は、端末デバイスに関連して説明される。端末デバイスは、ユーザ機器（Ｕｓｅｒ  Ｅｑｕｉｐｍｅｎｔ、略してＵＥ）、アクセス端末、加入者ユニット、加入者局、移動局、モバイルコンソール、遠隔局、遠隔端末、モバイルデバイス、ユーザ端末、端末、無線通信デバイス、ユーザエージェント、ユーザ装置、または同様のものとも称されてよい。端末デバイスは、無線ローカルエリアネットワーク（Ｗｉｒｅｌｅｓｓ  Ｌｏｃａｌ  Ａｒｅａ  Ｎｅｔｗｏｒｋｓ、略してＷＬＡＮ）におけるステーション（ＳＴＡＴＩＯＮ、略してＳＴ）であってよく、または、セルラ電話、コードレス電話、セッション開始プロトコル（Ｓｅｓｓｉｏｎ  Ｉｎｉｔｉａｔｉｏｎ  Ｐｒｏｔｏｃｏｌ、略してＳＩＰ）電話、無線ローカルループ（Ｗｉｒｅｌｅｓｓ  Ｌｏｃａｌ  Ｌｏｏｐ、略してＷＬＬ）ステーション、パーソナルデジタルアシスタント（Ｐｅｒｓｏｎａｌ  Ｄｉｇｉｔａｌ  Ａｓｓｉｓｔａｎｔ、略してＰＤＡ）、無線通信機能を有するハンドヘルドデバイス、コンピューティングデバイス、無線モデムに接続された別の処理デバイス、車載デバイス、ウェアラブルデバイス、または将来の５Ｇネットワークにおける端末デバイスであってよい。
【００５８】
加えて、本発明の実施形態は、ネットワークデバイスに関連して説明される。ネットワークデバイスは、モバイルデバイスと通信するように構成されるデバイスであってよい。ネットワークデバイスは、ＷＬＡＮにおけるアクセスポイント（ＡＣＣＥＳＳ  ＰＯＩＮＴ、略してＡＰ）、またはＧＳＭ（登録商標）またはＣＤＭＡにおけるベーストランシーバステーション（Ｂａｓｅ  Ｔｒａｎｓｃｅｉｖｅｒ  Ｓｔａｔｉｏｎ、略してＢＴＳ）であってよく、または、ＷＣＤＭＡ（登録商標）におけるノードＢ（ＮｏｄｅＢ、略してＮＢ）であってよく、または、ＬＴＥにおける進化型ＮｏｄｅＢ（Ｅｖｏｌｕｔｉｏｎａｌ  ＮｏｄｅＢ、略してｅＮＢまたはｅＮｏｄｅＢ）、リレーノードまたはアクセスポイント、車載デバイス、ウェアラブルデバイス、または将来の５Ｇネットワークにおけるネットワークデバイスであってよい。
【００５９】
加えて、本発明の実施形態における態様または特徴は、方法、装置、または標準プログラミングおよび／またはエンジニアリング技術を用いる製品として実装されてよい。本出願において用いられる「製品」という用語は、任意のコンピュータ可読コンポーネント、キャリア、または媒体からアクセスされ得るコンピュータプログラムを含む。例えば、コンピュータ可読媒体は、（ハードディスク、フロッピー（登録商標）ディスク、または磁気テープなどの）磁気記憶装置コンポーネント、コンパクトディスク（Ｃｏｍｐａｃｔ  Ｄｉｓｋ、略してＣＤ）またはデジタルバーサタイルディスク（Ｄｉｇｉｔａｌ  Ｖｅｒｓａｔｉｌｅ  Ｄｉｓｋ、略してＤＶＤ）などの光ディスク、スマートカード、消去可能プログラマブルリードオンリメモリ（Ｅｒａｓａｂｌｅ  Ｐｒｏｇｒａｍｍａｂｌｅ  Ｒｅａｄ−Ｏｎｌｙ  Ｍｅｍｏｒｙ、略してＥＰＲＯＭ）などのフラッシュメモリコンポーネントを含んでよいが、これらに限定されない。加えて、本明細書において説明されている様々な記憶媒体は、１つ又は複数のデバイスおよび／または情報を記憶するために用いられる他の機械可読媒体を示してよい。「機械可読媒体」という用語は、無線チャネル、および、命令および／またはデータを記憶、含有および／または保持する様々な他の媒体を含んでよいが、これらに限定されない。
【００６０】
本発明の実施形態において、通信システムにより用いられる周波数領域リソースは、ネットワークデバイスにより用いられ、特定の帯域幅を有するキャリアに対応するスペクトルリソースであってよい。キャリアは、複数のサブキャリア（Ｓｕｂ−ｃａｒｒｉｅｒ）を含んでよく、または、キャリアは、複数のリソースブロック（ＲＢ、Ｒｅｓｏｕｒｃｅ  Ｂｌｏｃｋ）を含んでよい。
【００６１】
加えて、本発明の実施形態において、周波数領域リソースの帯域幅は、システム要求またはプロトコル規則に従ってランダムに設定されてよい。本発明において、このことは具体的に限定されない。例えば、周波数領域リソースの帯域幅は、２０ＭＨｚまたは１００ＭＨｚであってよい。
【００６２】
図１は、本発明の実施形態に係る周波数領域リソースの区分方式の一例の模式図を示す。図１において示されているように、周波数領域リソース（すなわち、キャリアに対応するスペクトルリソース）は、Ｎ個の周波数領域リソースグループ（または、「ワイドサブバンド」と称されてよい）、すなわち、図１において示されている周波数領域リソースグループ＃０から周波数領域リソースグループ＃Ｎに区分されてよく、Ｎ≧２である。
【００６３】
各周波数領域リソースグループは、ＲＢを含むか、または、各周波数領域リソースグループは、少なくとも２つのサブキャリアを含む。
【００６４】
本発明のこの実施形態において、全てのＮ個の周波数領域リソースグループの帯域幅（または、全てのＮ個の周波数領域リソースグループにより含まれるサブキャリアまたはＲＢの数量）は、同じまたは異なってよいことに留意すべきである。本発明において、このことは具体的に限定されない。
【００６５】
任意選択的に、少なくとも２つの周波数領域リソースグループは、周波数領域リソースにおいて連続して分布される。
【００６６】
具体的には、本発明のこの実施形態において、任意の２つの隣接する周波数領域リソースグループは、連続して設定されてよく、または、任意の２つの隣接する周波数領域リソースグループの間にガードインターバルが設定されなくてよい。従って、帯域幅利用率を向上させることができる。
【００６７】
上に列挙された、周波数領域リソースグループの間の設定関係は単に、説明のための例であることは、理解されるべきである。本発明において、このことは限定されない。例えば、ガードインターバルが、Ｎ個の周波数領域リソースグループの一部または全てにおいて、２つの隣接する周波数領域リソースグループの間に設定されてよい。
【００６８】
任意選択的に、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成される。
【００６９】
具体的には、図２において示されているように、本発明のこの実施形態において、Ｎ個のハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）エンティティは、ネットワークデバイスにおいて設定されてよく、Ｎ個のＨＡＲＱエンティティは、Ｎ個の周波数領域リソースグループと１対１の対応関係にあり、すなわち、各ＨＡＲＱエンティティは、対応する周波数領域リソースグループにおいて保持されている（アップリンク伝送およびダウンリンク伝送を含む）伝送のみに対してフィードバック処理を実行するように構成される。従って、１つのＨＡＲＱエンティティが複数の周波数領域リソースグループに対してフィードバック処理を処理するように構成されたことに起因して引き起こされる伝送エラーを回避することができ、本発明のこの実施形態の実行可能性をさらに向上させることができる。
【００７０】
本発明のこの実施形態において、Ｎ個の周波数領域リソースグループは、一次−二次方式（すなわち、設定方式１）で設定されてよく、または、Ｎ個の周波数領域リソースグループは、独立して設定されてよい（すなわち、設定方式２）。以下では、２つの設定方式を個別に詳細に説明する。
【００７１】
［設定方式１］
任意選択的に、少なくとも２つの周波数領域リソースグループは、一次周波数領域リソースグループおよび少なくとも１つの二次周波数領域リソースグループを含む。
【００７２】
具体的には、Ｎ個の周波数領域リソースグループが同じキャリアに対応するスペクトルリソースに属するので、Ｎ個の周波数領域リソースグループは、同じセルに属してよく、または、Ｎ個の周波数領域リソースグループに対応するセルのセル設定が同じであってよい。
【００７３】
従って、本発明のこの実施形態において、Ｎ個の周波数領域リソースグループのうち１つ（または複数）は、一次周波数領域リソースグループ、例えば、図１において示されている周波数領域リソースグループ＃０として設定されてよい。
【００７４】
加えて、別の周波数領域リソースグループは、二次周波数領域リソースグループとして用いられてよい。
【００７５】
本発明のこの実施形態において、一次周波数領域リソースグループは、プロトコルにより特定されてよく、または、ネットワークデバイスおよび（ターゲット端末デバイスを含む）端末デバイスにより、ネゴシエーションを用いて決定されてよいことに留意すべきである。本発明において、このことは具体的に限定されない。
【００７６】
加えて、本発明のこの実施形態において、一次周波数領域リソースグループは、ネットワークデバイスに最初にアクセスするために端末デバイスにより用いられる周波数領域リソースとして用いられてよい。
【００７７】
すなわち、ネットワークデバイスは、マスタ情報ブロック（ＭＩＢ、Ｍａｓｔｅｒ  Ｉｎｆｏｒｍａｔｉｏｎ  Ｂｌｏｃｋ）などのシステム情報を伝送するために用いられる予め設定された時間−周波数リソースを用いることによって、一次周波数領域リソースグループの指示情報、例えば、一次周波数領域リソースグループのシーケンス番号、または周波数領域リソースにおける一次周波数領域リソースグループの位置などの情報を、端末デバイスへ送ってよい。従って、端末デバイスは、一次周波数領域リソースグループを決定し、一次周波数領域リソースグループを用いることによってアクセス処理を実行してよい。
【００７８】
加えて、アクセスが実行された後に、ネットワークデバイスはさらに、例えば、端末デバイスの処理能力（すなわち、端末デバイスにより処理できるスペクトルリソースの幅）に従って、別の周波数領域リソースグループを端末デバイスに割り当ててよい。例えば、比較的低い処理能力を有する端末デバイスは、一次周波数領域リソースグループのみを用いることによって、通信を行い得て、比較的高い処理能力を有する端末デバイスは、一次周波数領域リソースグループおよび１つ又は複数の二次周波数領域リソースグループを用いることによって、通信を行い得る。
【００７９】
あるいは、アクセスが実行された後に、ネットワークデバイスはさらに、例えば、端末デバイスが訪問したサービスのサービスタイプ（または、サービスの帯域幅要求）に従って、別の周波数領域リソースグループを端末デバイスに割り当ててよい。例えば、端末デバイスが、比較的高い帯域幅要求を有するサービスを訪問する場合、端末デバイスは、一次周波数領域リソースグループのみを用いて、通信を行ってよい。端末デバイスが、比較的低い帯域幅要求を有するサービスを訪問する場合、端末デバイスは、一次周波数領域リソースグループおよび１つ又は複数の二次周波数領域リソースグループを用いることによって、通信を行ってよい。
【００８０】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられる。
【００８１】
具体的には、図３において示されているように、制御チャネルは、（例えば、周波数領域リソースグループ＃１から周波数領域リソースグループ＃Ｎを含み得る）二次周波数領域リソースグループの代わりに、周波数領域リソースグループ＃０（すなわち、一次周波数領域リソースグループの例）のみにおいて設定されてよい。加えて、全ての第２の周波数領域リソースグループのダウンリンク制御情報（ＤＣＩ、Ｄｏｗｎｌｉｎｋ  Ｃｏｎｔｒｏｌ  Ｉｎｆｏｒｍａｔｉｏｎ）などの制御情報は、周波数領域リソースグループ＃０における制御チャネル上で伝送されてよい。
【００８２】
限定ではなく、例として、複数の端末デバイスの制御情報が、一次周波数領域リソースグループにおける制御チャネルを用いることによって、１つのスケジューリング期間において伝送される必要がある場合、複数の端末デバイスの制御情報は、符号分割多重化方式、時間分割多重化方式、周波数分割多重化方式、または同様の方式で、一次周波数領域リソースグループにおいて制御チャネルを共有してよい。
【００８３】
加えて、本発明のこの実施形態において、（例えば、一次周波数領域リソースグループおよび少なくとも１つの二次周波数領域リソースグループを含み得る）複数の周波数領域リソースグループが１つの端末デバイスに割り当てられる必要がある場合、以下の場合が存在する。
【００８４】
例えば、端末デバイスに割り当てられる各周波数領域リソースグループは、独立したＤＣＩを有してよく、各ＤＣＩは、ＤＣＩを用いることによってスケジューリングされた周波数領域リソースグループを示すために用いられる周波数領域リソースグループ指示情報（または、周波数領域リソースグループインジケータフィールド）を含んでよい。加えて、各ＤＣＩは、周波数領域リソースグループにおいて保持されているＴＢの数量を示すために用いられるＴＢ指示情報（またはＴＢフィールド）を含んでよい。加えて、各ＤＣＩは、周波数領域リソースグループにおける、各ＴＢがマッピングされた具体的なリソースブロックを示すために用いられるリソースブロック指示情報（すなわち、リソースブロックインジケータフィールド）を含んでよい。ここで、各周波数領域リソースグループにおいて保持されている全てのＴＢは、周波数領域リソースグループにおける同じリソースブロックにおいて保持されてよく、または、各周波数領域リソースグループにおいて保持されている全てのＴＢは、周波数領域リソースグループにおける異なるリソースブロックにおいて個別に保持されてよい。本発明において、このことは具体的に限定されない。
【００８５】
あるいは、端末デバイスに割り当てられる全ての周波数領域リソースグループは、同じＤＣＩを共有してよく、すなわち、任意選択的に、ターゲット周波数領域リソースグループは、少なくとも２つの周波数領域リソースグループを含む。ネットワークデバイスが、ターゲット周波数領域リソースグループを用いることによって、ターゲット端末デバイスと無線通信を行う段階は、１つのスケジューリング情報を用いることによって、ターゲット周波数領域リソースグループにおける全ての周波数領域リソースグループに対してリソーススケジューリングを実行する段階を含む。
【００８６】
一実装方式において、全ての周波数領域リソースグループは、同じリソース割り当て方式を有してよく（例えば、全ての周波数領域リソースグループは、同じ数量のＴＢを保持し、ＴＢを保持するために用いられる、全ての周波数領域リソースグループにあるリソースブロックも、同じ位置を有する）、これにより、全ての周波数領域リソースグループのリソース割り当て方式（または、スケジューリング方式）は、１つのＤＣＩを用いることによって示される。
【００８７】
すなわち、任意選択的に、スケジューリング情報は、ターゲット周波数領域リソースグループに含まれる周波数領域リソースグループを示すために用いられる指示情報を含む。
【００８８】
具体的には、ビットマップ（Ｂｉｔｍａｐ）などの、現在のセルの全ての周波数領域リソースグループにおける、ターゲット端末デバイスに割り当てられるべき周波数領域リソースグループを示すために用いられる指示情報は、ＤＣＩにおいて設定され得て、これにより、ターゲット端末デバイスは、ＤＣＩにおいて保持されているビットマップに従って、ビットマップにより示された周波数領域リソースグループは、情報を伝送するために用いられることができることを決定する。
【００８９】
あるいは、周波数領域リソースグループ識別子は、セルにおける各周波数領域リソースグループに割り当てられ得て、これにより、１つの周波数領域リソースグループ識別子は、セルにおける１つの周波数領域リソースグループを一意に示すことができる。従って、現在のセルにおける、ターゲット端末デバイスに割り当てられる周波数領域リソースグループの周波数領域リソースグループ識別子は、ＤＣＩにおいて保持され得て、これにより、ターゲット端末デバイスは、ＤＣＩにおいて保持されている周波数領域リソースグループ識別子に従って、周波数領域リソースグループ識別子により示される周波数領域リソースグループが情報を伝送するために用いられることができると決定する。
【００９０】
別の実装方式において、ＤＣＩは、複数の情報フラグメントを含んでよく、各情報フラグメントは、対応する周波数領域リソースグループのリソース割り当て方式を示すために用いられる。例えば、１つの端末デバイスに割り当てられるターゲット周波数領域リソースグループが、Ｍ個（Ｎ≧Ｍ≧２）の周波数領域リソースグループ（例えば、周波数領域リソースグループ＃１から周波数領域リソースグループ＃Ｍ）を含む場合、ＤＣＩは、Ｍ個の情報フラグメント（例えば、情報フラグメント＃１から情報フラグメント＃Ｍ）を含む。情報フラグメント＃１は、周波数領域リソースグループ＃１のリソース割り当て方式を示すために用いられる。例えば、情報フラグメント＃１は、周波数領域リソースグループ＃１の識別子、周波数領域リソースグループ＃１において保持されているＴＢの数量、およびＴＢを保持するために用いられる、周波数領域リソースグループ＃１におけるリソースブロックの位置を含んでよい。同様に、情報フラグメント＃Ｍは、周波数領域リソースグループ＃Ｍのリソース割り当て方式を示すために用いられる。例えば、情報フラグメント＃Ｍは、周波数領域リソースグループ＃Ｍの識別子、周波数領域リソースグループ＃Ｍにおいて保持されているＴＢの数量、およびＴＢを保持するために用いられる、周波数領域リソースグループ＃Ｍにおけるリソースブロックの位置を含んでよい。
【００９１】
すなわち、任意選択的に、スケジューリング情報は、少なくとも２つの情報フラグメントを含み、少なくとも２つの情報フラグメントは、ターゲット周波数領域リソースグループに含まれる少なくとも２つの周波数領域リソースグループと１対１の対応関係にあり、各情報フラグメントは、対応する周波数領域リソースグループのリソース割り当て方式を示すために用いられる。
【００９２】
加えて、限定ではなく、例として、集中制御チャネルは、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、拡張物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、または同様のものであってよい。本発明において、このことは具体的に限定されない。
【００９３】
制御チャネルは、一次周波数領域リソースグループのみにおいて設定され、制御チャネルを用いることによって、（一次周波数領域リソースグループおよび二次周波数領域リソースグループを含む）全ての周波数領域リソースグループのスケジューリング情報が伝送され、これにより、制御チャネルのリソースオーバヘッドを低減することができ、通信システムのデータスループットを向上させることができる。
【００９４】
任意選択的に、アップリンクフィードバックチャネルが一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられる。
【００９５】
具体的には、図４において示されているように、アップリンクフィードバックチャネルは、二次周波数領域リソースグループ（周波数領域リソースグループ＃１から周波数領域リソースグループ＃Ｎなど）の代わりに、一次周波数領域リソースグループ（周波数領域リソースグループ＃０など）において設定されてよく、全ての二次周波数領域リソースグループにおいて保持されているダウンリンク伝送のフィードバック情報は、集中アップリンクフィードバックチャネル上で伝送される。
【００９６】
加えて、限定ではなく、例として、集中アップリンクフィードバックチャネルは、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）または同様のものであってよい。本発明において、このことは具体的に限定されない。
【００９７】
アップリンクフィードバックチャネルは、一次周波数領域リソースグループのみにおいて設定され、（一次周波数領域リソースグループおよび二次周波数領域リソースグループを含む）全ての周波数領域リソースグループのアップリンクフィードバック情報は、アップリンクフィードバックチャネルを用いることによって伝送され、これにより、アップリンクフィードバックチャネルのリソースオーバヘッドを低減することができ、通信システムのデータスループットを向上させることができる。
【００９８】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられる。
【００９９】
具体的には、図５において示されているように、ダウンリンクフィードバックチャネルは、二次周波数領域リソースグループ（周波数領域リソースグループ＃１から周波数領域リソースグループ＃Ｎなど）の代わりに、一次周波数領域リソースグループ（周波数領域リソースグループ＃０など）において設定され、全ての二次周波数領域リソースグループにおいて保持されているアップリンク伝送のフィードバック情報は、集中ダウンリンクフィードバックチャネル上で伝送される。
【０１００】
加えて、限定ではなく例として、集中ダウンリンクフィードバックチャネルは、物理ハイブリッド自動再送要求インジケータチャネル（ＰＨＩＣＨ、Ｐｈｙｓｉｃａｌ  Ｈｙｂｒｉｄ  ＡＲＱ  Ｉｎｄｉｃａｔｏｒ  Ｃｈａｎｎｅｌ）、または同様のものであってよい。本発明において、このことは具体的に限定されない。
【０１０１】
ダウンリンクフィードバックチャネルは、一次周波数領域リソースグループのみにおいて設定され、ダウンリンクフィードバックチャネルを用いることによって、（一次周波数領域リソースグループおよび二次周波数領域リソースグループを含む）全ての周波数領域リソースグループのダウンリンクフィードバック情報が伝送され、これにより、ダウンリンクフィードバックチャネルのリソースオーバヘッドを低減することができ、通信システムのデータスループットを向上させることができる。
【０１０２】
設定方式１が用いられる場合、一次周波数領域リソースグループにおける各チャネルが、システムの、現在の通信期間において通信を行う必要がある全ての端末デバイスにより、検出され得ることに留意すべきである。
【０１０３】
［設定方式２］
任意選択的に、制御チャネルが各周波数領域リソースグループにおいて設定され、各制御チャネルは、当該制御チャネルが属する周波数領域リソースグループのスケジューリング情報を伝送するために用いられる。
【０１０４】
具体的には、図６において示されているように、制御チャネルは、全ての周波数領域リソースグループ（周波数領域リソースグループ＃０から周波数領域リソースグループ＃Ｎなど）において設定されてよく、各周波数領域リソースグループのダウンリンク制御情報（ＤＣＩ、Ｄｏｗｎｌｉｎｋ  Ｃｏｎｔｒｏｌ  Ｉｎｆｏｒｍａｔｉｏｎ）などの制御情報は、各周波数領域リソースグループにおける制御チャネル上で伝送される。
【０１０５】
加えて、限定ではなく、例として、制御チャネルは、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、拡張物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、または同様のものであってよい。本発明において、このことは具体的に限定されない。
【０１０６】
独立した制御チャネルが、各周波数領域リソースグループにおいて設定され、これにより、各周波数領域リソースグループにおける伝送を柔軟に制御することができ、本発明の実施形態における無線通信方法の柔軟性を向上させることができる。
【０１０７】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられる。
【０１０８】
具体的には、図７において示されているように、アップリンクフィードバックチャネルは、全ての周波数領域リソースグループ（周波数領域リソースグループ＃０から周波数領域リソースグループ＃Ｎなど）において設定され、各周波数領域リソースグループにおいて保持されているダウンリンク伝送のフィードバック情報は、各周波数領域リソースグループにおけるアップリンクフィードバックチャネル上で伝送される。
【０１０９】
加えて、限定ではなく、例として、アップリンクフィードバックチャネルは、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、または同様のものであってよい。本発明において、このことは具体的に限定されない。
【０１１０】
独立したアップリンクフィードバックチャネルが、各周波数領域リソースグループにおいて設定され、これにより、フィードバックを各周波数領域リソースグループに対して柔軟に実行することができ、本発明の実施形態における無線通信方法の柔軟性を向上させることができる。
【０１１１】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられる。
【０１１２】
具体的には、図８において示されているように、ダウンリンクフィードバックチャネルは、全ての周波数領域リソースグループ（周波数領域リソースグループ＃０から周波数領域リソースグループ＃Ｎなど）において設定され得て、各周波数領域リソースグループにおいて保持されているアップリンク伝送のフィードバック情報は、各周波数領域リソースグループにおけるダウンリンクフィードバックチャネル上で伝送される。
【０１１３】
加えて、限定ではなく、例として、ダウンリンクフィードバックチャネルは、物理ハイブリッド自動再送要求インジケータチャネル（ＰＨＩＣＨ）または同様のものであってよい。本発明において、このことは具体的に限定されない。
【０１１４】
独立したダウンリンクフィードバックチャネルが、各周波数領域リソースグループにおいて設定され、これにより、フィードバックを各周波数領域リソースグループに対して柔軟に実行することができ、本発明の実施形態における無線通信方法の柔軟性を向上させることができる。
【０１１５】
本発明のこの実施形態において、各周波数領域リソースグループにおける各チャネルは、周波数領域リソースグループが割り当てられた端末デバイスのみにより検出され得ることに留意すべきである。
【０１１６】
上に列挙された設定方式１および設定方式２は、個別に用いられてよく、または共に用いられてよいことが、理解されるべきである。本発明において、このことは具体的に限定されない。例えば、制御情報は、端末デバイスに割り当てられた二次周波数領域リソースグループを端末デバイスに通知するために、一次周波数領域リソースグループにおいて設定された制御チャネルを用いることによって伝送されてよく、各二次周波数領域リソースグループの制御情報は、各二次周波数領域リソースグループにおいて設定された制御チャネルを用いることによって伝送される。
【０１１７】
先述において、図１から図８を参照して、本発明のこの実施形態における周波数領域リソースの区分方式を詳細に説明している。以下では、図９から図１１を参照して、本発明の実施形態における無線通信方法を詳細に説明する。
【０１１８】
図９は、本発明の実施形態に係るネットワークデバイスの視点から説明される無線通信方法１００の模式的フローチャートを示す。方法１００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図９に示されているように、方法１００は、以下の段階を備える。
【０１１９】
Ｓ１１０．ネットワークデバイスが、少なくとも２つの周波数領域リソースグループから、ターゲット端末デバイスに割り当てられるべきターゲット周波数領域リソースグループを決定し、ここで、ターゲット周波数領域リソースグループは、少なくとも１つの周波数領域リソースグループを含む。
【０１２０】
Ｓ１２０．ネットワークデバイスは、第１の指示情報をターゲット端末デバイスへ送信し、ここで、第１の指示情報は、ターゲット周波数領域リソースグループを示すために用いられる。
【０１２１】
Ｓ１３０．ネットワークデバイスは、ターゲット周波数領域リソースグループを用いることによって、ターゲット端末デバイスと無線通信を行う。
【０１２２】
具体的には、端末デバイス＃Ａ（すなわち、ターゲット端末デバイスの一例）がネットワークデバイスと無線通信を行う必要がある場合、ネットワークデバイスは、ターゲット周波数領域リソースグループを、端末デバイス＃Ａに割り当ててよい。加えて、本発明のこの実施形態において、ターゲット周波数領域リソースグループは、区分を用いて得られたＭ個の周波数領域リソースグループを含んでよく、Ｍ≦Ｎである。
【０１２３】
限定ではなく、例として、区分を用いて得られたＮ個の周波数領域リソースグループが、一次周波数領域リソースグループを含む場合、ネットワークデバイスは、システム情報（ＭＩＢメッセージなど）を用いることによって、端末デバイス＃Ａに、一次周波数領域リソースグループの位置を通知し得る。
【０１２４】
あるいは、一次周波数領域リソースグループの位置が、プロトコルにより特定され得る。
【０１２５】
従って、端末デバイスは、一次周波数領域リソースグループを用いることによって、アクセス処理を実行することができる。
【０１２６】
上に列挙されたアクセス処理方法は単に、説明のための例であることが理解されるべきである。本発明において、このことは、限定されない。例えば、端末デバイスおよびネットワークデバイスはさらに、プロトコルにより特定された、予め設定された時間−周波数リソースに従って、アクセス処理を実行してよい。
【０１２７】
任意選択的に、ネットワークデバイスが、少なくとも２つの周波数領域リソースグループから、ターゲット端末デバイスに割り当てられるべきターゲット周波数領域リソースグループを決定する段階は、ネットワークデバイスが、ターゲット端末デバイスにより送信された端末能力情報を受信する段階であって、端末能力情報は、ターゲット端末デバイスにより処理され得る周波数領域リソースの最大幅を示すために用いられる、段階と、ネットワークデバイスが、端末能力情報に従って、少なくとも２つの周波数領域リソースグループから、ターゲット端末デバイスに割り当てられるべきターゲット周波数領域リソースグループを決定する段階とを含む。
【０１２８】
具体的には、端末デバイス＃Ａは、例えば、一次周波数領域リソースグループにおける時間−周波数リソースを用いることによって、端末能力情報をネットワークデバイスへ送信し得る。本発明のこの実施形態において、端末能力情報は、端末デバイス＃Ａにより処理され得る帯域幅を示してよい。従って、ネットワークデバイスは、端末能力情報に基づき、ターゲット周波数領域リソースグループを端末デバイス＃Ａへ割り当て得る。
【０１２９】
例えば、端末デバイス＃Ａが比較的低い帯域幅を処理できる場合、比較的小さい数量（例えば１つ）の周波数領域リソースグループのみが、端末デバイス＃Ａに割り当てられ得て、ターゲット周波数領域リソースグループとして用いられ得る。この場合、限定ではなく、例として、一次周波数領域リソースグループは、ターゲット周波数領域リソースグループとして用いられてよい。
【０１３０】
別の例において、端末デバイス＃Ａが比較的高い帯域幅を処理できる場合、複数の周波数領域リソースグループが端末デバイス＃Ａに割り当てられ得て、ターゲット周波数領域リソースグループとして用いられ得る。
【０１３１】
任意選択的に、ネットワークデバイスは、少なくとも２つの周波数領域リソースグループから、ターゲット端末デバイスに割り当てられるべきターゲット周波数領域リソースグループを決定する段階は、ネットワークデバイスが、ターゲット端末デバイスにより送信されたサービスタイプ情報を受信する段階であって、サービスタイプ情報は、ターゲット端末デバイスが訪問したサービスに必要とされる周波数領域リソースの最大幅を示すために用いられる、段階と、ネットワークデバイスが、サービスタイプ情報に従って、少なくとも２つの周波数領域リソースグループから、ターゲット端末デバイスに割り当てられるべきターゲット周波数領域リソースグループを決定する段階とを含む。
【０１３２】
具体的には、端末デバイス＃Ａは、例えば、一次周波数領域リソースグループにおける時間−周波数リソースを用いることによって、サービスタイプ情報をネットワークデバイスへ送信してよい。本発明のこの実施形態において、サービスタイプ情報は、端末デバイス＃Ａが訪問したサービスに必要とされる帯域幅を示し得る。従って、ネットワークデバイスは、サービスタイプ情報に基づき、ターゲット周波数領域リソースグループを端末デバイス＃Ａに割り当てることができる。
【０１３３】
例えば、端末デバイス＃Ａが訪問したサービスが、音声サービスまたはショートメッセージサービスなどの従来のサービスである場合、サービスは、比較的低い帯域幅要求を有し、比較的小さい数量（例えば、１つ）の周波数領域リソースグループのみが、端末デバイス＃Ａに割り当てられ得て、ターゲット周波数領域リソースグループとして用いられ得る。この場合、限定ではなく、例として、一次周波数領域リソースグループは、ターゲット周波数領域リソースグループとして用いられてよい。
【０１３４】
例えば、端末デバイス＃Ａが訪問したサービスが、動画サービスまたは高解像度の画像サービスなどの大容量データのサービスである場合、複数の周波数領域リソースグループが、端末デバイス＃Ａに割り当てられ得て、ターゲット周波数領域リソースグループとして用いられ得る。
【０１３５】
ターゲット周波数領域リソースグループの先述の割り当て処理は、先述のアクセスプロセスにおいて実行されてよく、または、アクセスプロセスが完了した後に実行されてよいことが理解されるべきである。本発明において、このことは具体的に限定されない。
【０１３６】
続いて、ネットワークデバイスは、割り当てられたターゲット周波数領域リソースグループの指示情報（すなわち、第１の指示情報）をターゲット端末デバイスへ送信してよい。
【０１３７】
任意選択的に、ネットワークデバイスが第１の指示情報をターゲット端末デバイスへ送信する段階は、ネットワークデバイスが、一次周波数領域リソースグループを用いることによって、第１の指示情報をターゲット端末デバイスへ送信する段階を含む。
【０１３８】
具体的には、区分を用いて得られたＮ個の周波数領域リソースグループが、一次周波数領域リソースグループを含む場合、ネットワークデバイスは、一次周波数領域リソースグループ（例えば、一次周波数領域リソースグループにおける集中制御チャネル）を用いることによって、ターゲット周波数領域リソースグループの指示情報を、端末デバイス＃Ａへ送信してよい。
【０１３９】
上に列挙された、ターゲット周波数領域リソースグループの指示情報の送信方式は単に、説明のための例であることが理解されるべきである。本発明において、このことは限定されない。例えば、ターゲット周波数領域リソースグループの指示情報はさらに、ＭＩＢメッセージまたは同様のものを用いることによって、端末デバイス＃Ａへ送信されてよい。
【０１４０】
ネットワークデバイスおよび端末デバイス＃Ａがネゴシエーションを用いてターゲット周波数領域リソースグループを決定した後に、ネットワークデバイスおよび端末デバイス＃Ａは、ターゲット周波数領域リソースグループを用いることによって、無線通信を行うことができる。
【０１４１】
本発明のこの実施形態において、ネットワークデバイスは、ターゲット周波数領域リソースグループにおける独立した制御チャネルを用いることによって、または、一次周波数領域リソースグループにおける集中制御チャネルを用いることによって、スケジューリング情報を端末デバイス＃Ａへ送信してよい。加えて、端末デバイス＃Ａは、ターゲット周波数領域リソースグループを用いることによって、スケジューリング情報に従って、データを伝送してよい。
【０１４２】
例えば、ダウンリンク伝送中に、ネットワークデバイスは、スケジューリング情報により示されたターゲット周波数領域リソースグループにおける一部または全ての時間−周波数リソースに、端末デバイス＃Ａへ送信される必要があるトランスポートブロック（ＴＢ、Ｔｒａｎｓｐｏｒｔ  Ｂｌｏｃｋ）をマッピングし得て、これにより、ターゲット周波数領域リソースグループを用いることによって、当該ＴＢを端末デバイス＃Ａへ送信し得る。
【０１４３】
別の例において、アップリンク伝送中に、端末デバイス＃Ａは、スケジューリング情報により示されたターゲット周波数領域リソースグループにおける一部または全ての時間−周波数リソースに、ネットワークデバイスへ送信される必要があるＴＢをマッピングし得て、これにより、ターゲット周波数領域リソースグループを用いることによって、当該ＴＢをネットワークデバイスへ送信し得る。
【０１４４】
以下では、ターゲット周波数領域リソースグループにおけるＴＢマッピング方式を詳細に説明する。
【０１４５】
本発明のこの実施形態において、少なくとも１つのＴＢが、各周波数領域リソースグループにマッピングされ得る。全ての周波数領域リソースグループにマッピングされたＴＢは、同じまたは異なってよい。本発明において、このことは具体的に限定されない。
【０１４６】
任意選択的に、ターゲット周波数領域リソースグループは、少なくとも２つの周波数領域リソースグループを含み、ネットワークデバイスが、ターゲット周波数領域リソースグループを用いることによって、ターゲット端末デバイスと無線通信を行う段階は、ネットワークデバイスが、ターゲット周波数領域リソースグループを用いることによって、少なくとも２つのトランスポートブロックＴＢを、ターゲット端末デバイスへ伝送する段階を含み、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０１４７】
具体的には、本発明のこの実施形態において、端末デバイス＃Ａが２つまたはそれより多いＴＢを伝送（例えば、送信または受信）する必要がある場合、これらのＴＢは、異なる周波数領域リソースグループにおいて個別に保持され（または異なる周波数領域リソースグループにマッピングされ）得る。
【０１４８】
例えば、ターゲット周波数領域リソースグループにおける各周波数領域リソースグループは、１つのＴＢを保持してよい。すなわち、端末デバイス＃ＡがＮ個のＴＢを伝送する必要がある場合、Ｎ個の周波数領域リソースグループ（例えば、周波数領域リソースグループ＃０から周波数領域リソースグループ＃Ｎ−１）が、端末デバイス＃Ａに割り当てられ得て、ターゲット周波数領域リソースグループとして用いられ得る。加えて、Ｎ個のＴＢは、Ｎ個の周波数領域リソースグループと１対１の対応関係にあり、すなわち、各周波数領域リソースグループは、対応するＴＢを保持する。
【０１４９】
あるいは、ターゲット周波数領域リソースグループにおける一部の周波数領域リソースグループはそれぞれ、１つのＴＢを保持してよく、他の周波数領域リソースグループはそれぞれ、２つ（または２つよりより多くの）ＴＢを保持してよい。
【０１５０】
任意選択的に、ネットワークデバイスが、ターゲット周波数領域リソースグループを用いることによってターゲット端末デバイスと無線通信を行う段階は、ネットワークデバイスが、ターゲット周波数領域リソースグループを用いることによって、少なくとも３つのトランスポートブロックＴＢをターゲット端末デバイスへ伝送する段階を含む。
【０１５１】
ターゲット周波数領域リソースグループは、少なくとも２つの周波数領域リソースグループを含み、ターゲット周波数領域リソースにおける少なくとも１つの周波数領域リソースグループは、少なくとも２つのＴＢを保持するために用いられるか、または、ターゲット周波数領域リソースグループは、少なくとも３つの周波数領域リソースグループを含み、ターゲット周波数領域リソースグループにおける各周波数領域リソースグループは、少なくとも１つのＴＢを保持するために用いられる。
【０１５２】
具体的には、ターゲット周波数領域リソースグループが少なくとも３つの周波数領域リソースグループを含む場合、１つのＴＢは、ターゲット周波数領域リソースグループに含まれる各周波数領域リソースグループにマッピングされてよい。例えば、図１０において示されているように、伝送側のデバイス（すなわち、ネットワークデバイスまたは端末デバイス＃Ａのいずれか）により送信される必要があるＴＢの数量が、例えば、４であり得て、かつ、ターゲット周波数領域リソースグループに含まれる周波数領域リソースグループの数量が、例えば、４であり得る場合、ＴＢ＃１が周波数領域リソースグループ＃１にマッピングされてよく、ＴＢ＃２が周波数領域リソースグループ＃２にマッピングされてよく、ＴＢ＃３が周波数領域リソースグループ＃３にマッピングされてよく、ＴＢ＃４が周波数領域リソースグループ＃４にマッピングされてよい。
【０１５３】
あるいは、ターゲット周波数領域リソースグループが少なくとも２つの周波数領域リソースグループを含む場合、２つまたはそれより多いＴＢは、ターゲット周波数領域リソースグループに含まれる１つ又は複数の周波数領域リソースグループのうちのそれぞれにマッピングされてよい。加えて、１つのＴＢが、ターゲット周波数領域リソースグループに含まれる他の周波数領域リソースグループのそれぞれにマッピングされてよい。
【０１５４】
あるいは、ターゲット周波数領域リソースグループが少なくとも２つの周波数領域リソースグループを含む場合、２つまたはそれより多いＴＢは、ターゲット周波数領域リソースグループに含まれる各周波数領域リソースグループにマッピングされてよい。
【０１５５】
従来技術において、１つの伝送期間において１つのキャリアを用いることによって、１つの端末デバイスの最大で２つのＴＢを伝送することができる。従来技術と比較して、本発明のこの実施形態において、１つのキャリア上の少なくとも２つの周波数領域リソースグループは、１つの端末デバイスに割り当てられ、これにより、端末デバイス＃Ａの少なくとも３つのＴＢは、１つの伝送期間において伝送され得る。従って、本発明のこの実施形態における無線通信方法によれば、個々の端末デバイスのデータ伝送時間を短縮できる。
【０１５６】
加えて、従来技術において、１つの端末デバイスの２つのＴＢが１つのキャリアを用いて伝送される場合、空間分割多重化などの技術を用いることによって、当該キャリア上の同じ周波数領域リソースは、当該２つのＴＢに対して多重化される。従来技術と比較して、本発明のこの実施形態において、１つのキャリア上の少なくとも２つの周波数領域リソースグループは、１つの端末デバイスに割り当てられ、これにより、異なるＴＢは、異なる周波数領域リソースグループを用いることによって伝送されることができ、空間分割多重化などの技術を用いる必要がない。従って、端末デバイスおよびネットワークデバイスの処理要求および負荷を低減することができる。
【０１５７】
上に列挙されたマッピング方式は単に、説明のための例であることが理解されるべきである。本発明において、このことは、限定されない。ターゲット周波数領域リソースグループに含まれる周波数領域リソースグループの数量は、ランダムに設定されてよく、端末デバイス＃ＡのＴＢ数も、ランダムに設定されてよい。本発明において、このことは具体的に限定されない。
【０１５８】
任意選択的に、ネットワークデバイスがターゲット周波数領域リソースグループを用いることによって、ターゲット端末デバイスと無線通信を行う段階は、ネットワークデバイスが、一次周波数領域リソースグループにおける制御チャネルを用いることによって、ターゲット周波数領域リソースグループのスケジューリング情報をターゲット端末デバイスへ送信する段階を含む。
【０１５９】
具体的には、本発明のこの実施形態において、ネットワークデバイスは、一次周波数領域リソースグループにおいて設定された制御チャネルを用いることによって、ターゲット周波数領域リソースグループのスケジューリング情報（ＤＣＩなど）を、端末デバイス＃Ａへ送信してよい。それに応じて、端末デバイス＃Ａは、一次周波数領域リソースグループにおける制御チャネル上でターゲット周波数領域リソースグループのスケジューリング情報を受信し、スケジューリング情報に基づき、かつ、ターゲット周波数領域リソースグループを用いることによって、ＴＢを伝送してよい。
【０１６０】
任意選択的に、ネットワークデバイスが、ターゲット周波数領域リソースグループを用いることによって、ターゲット端末デバイスと無線通信を行う段階は、ネットワークデバイスが、ターゲット周波数領域リソースグループにおける制御チャネルを用いることによって、ターゲット周波数領域リソースグループのスケジューリング情報を、ターゲット端末デバイスへ送信する段階を含む。
【０１６１】
具体的には、本発明のこの実施形態において、ネットワークデバイスは、ターゲット周波数領域リソースグループにおける各周波数領域リソースグループにおいて設定された制御チャネルを用いることによって、ターゲット周波数領域リソースにおける各周波数領域リソースグループのスケジューリング情報（ＤＣＩなど）を、端末デバイス＃Ａへ送信してよい。それに応じて、端末デバイス＃Ａは、ターゲット周波数領域リソースの各周波数領域リソースグループにおける制御チャネル上で、ターゲット周波数領域リソースにおける各周波数領域リソースグループのスケジューリング情報を受信し、スケジューリング情報に基づき、かつ、各周波数領域リソースグループを用いることによって、ＴＢを伝送してよい。
【０１６２】
任意選択的に、ネットワークデバイスが、ターゲット周波数領域リソースグループを用いることによって、ターゲット端末デバイスと無線通信を行う段階は、ネットワークデバイスが、一次周波数領域リソースグループにおけるアップリンクフィードバックチャネルを用いることによって、ターゲット端末デバイスにより送信された、ターゲット周波数領域リソースグループにおいて保持されているダウンリンク伝送のフィードバック情報を受信する段階を含む。
【０１６３】
具体的には、本発明のこの実施形態において、端末デバイス＃Ａは、一次周波数領域リソースグループにおいて設定されたアップリンクフィードバックチャネル（ＰＵＣＣＨなど）を用いることによって、ターゲット周波数領域リソースグループにおける各周波数領域リソースグループにおいて保持されているダウンリンク伝送のフィードバック情報（ダウンリンクＨＡＲＱのフィードバック情報など）を、ネットワークデバイスへ送信してよい。それに応じて、ネットワークデバイスは、一次周波数領域リソースグループにおけるアップリンクフィードバックチャネル上で、ターゲット周波数領域リソースグループにおける各周波数領域リソースグループにおいて保持されているダウンリンク伝送のフィードバック情報を受信し、フィードバック情報に基づき、ＨＡＲＱ処理を実行してよい。
【０１６４】
任意選択的に、ネットワークデバイスが、ターゲット周波数領域リソースグループを用いることによって、ターゲット端末デバイスと無線通信を行う段階は、ネットワークデバイスが、ターゲット周波数領域リソースグループにおけるアップリンクフィードバックチャネルを用いることによって、ターゲット端末デバイスにより送信された、ターゲット周波数領域リソースグループにおいて保持されているダウンリンク伝送のフィードバック情報を受信する段階を含む。
【０１６５】
具体的には、本発明のこの実施形態において、端末デバイス＃Ａは、ターゲット周波数領域リソースグループにおける各周波数領域リソースグループにおいて設定されたアップリンクフィードバックチャネル（ＰＵＣＣＨなど）を用いることによって、ターゲット周波数領域リソースグループにおける各周波数領域リソースグループにおいて保持されているダウンリンク伝送のフィードバック情報（ダウンリンクＨＡＲＱおフィードバック情報など）を、ネットワークデバイスへ送信してよい。それに応じて、ネットワークデバイスは、ターゲット周波数領域リソースグループの各周波数領域リソースグループにおけるアップリンクフィードバックチャネル上で、ターゲット周波数領域リソースグループにおける各周波数領域リソースグループにおいて保持されているダウンリンク伝送のフィードバック情報を受信し、フィードバック情報に基づき、ＨＡＲＱ処理を実行してよい。
【０１６６】
任意選択的に、ネットワークデバイスが、ターゲット周波数領域リソースグループを用いることによって、ターゲット端末デバイスと無線通信を行う段階は、ネットワークデバイスが、一次周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信する段階を含む。
【０１６７】
具体的には、本発明のこの実施形態において、ネットワークデバイスは、一次周波数領域リソースグループにおいて設定されたダウンリンクフィードバックチャネル（ＰＨＩＣＨなど）を用いることによって、ターゲット周波数領域リソースグループにおける各周波数領域リソースグループにおいて保持されているアップリンク伝送のフィードバック情報（アップリンクＨＡＲＱのフィードバック情報など）を、端末デバイス＃Ａへ送信してよい。それに応じて、端末デバイス＃Ａは、一次周波数領域リソースグループにおけるアップリンクフィードバックチャネル上で、ターゲット周波数領域リソースグループにおける各周波数領域リソースグループにおいて保持されているアップリンク伝送のフィードバック情報を受信し、フィードバック情報に基づき、ＨＡＲＱ処理を実行してよい。
【０１６８】
任意選択的に、ネットワークデバイスが、ターゲット周波数領域リソースグループを用いることによって、ターゲット端末デバイスと無線通信を行う段階は、ネットワークデバイスが、ターゲット周波数領域リソースグループにおけるダウンリンクフィードバックチャネルを用いることによって、ターゲット周波数領域リソースグループにおいて保持されているアップリンク伝送のフィードバック情報をターゲット端末デバイスへ送信する段階を含む。
【０１６９】
具体的には、本発明のこの実施形態において、ネットワークデバイスは、ターゲット周波数領域リソースグループにおける各周波数領域リソースグループにおいて設定されたダウンリンクフィードバックチャネル（ＰＨＩＣＨなど）を用いることによって、ターゲット周波数領域リソースグループにおける各周波数領域リソースグループにおいて保持されているダウンリンク伝送のフィードバック情報（アップリンクＨＡＲＱのフィードバック情報など）を、端末デバイス＃Ａへ送信してよい。それに応じて、端末デバイス＃Ａは、ターゲット周波数領域リソースグループの各周波数領域リソースグループにおけるダウンリンクフィードバックチャネル上で、ターゲット周波数領域リソースグループにおける各周波数領域リソースグループにおいて保持されているアップリンク伝送のフィードバック情報を受信し、フィードバック情報に基づき、ＨＡＲＱ処理を実行してよい。
【０１７０】
本発明のこの実施形態における無線通信方法によれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられてよく、これにより、端末デバイスの要求に基づき、対応する周波数領域リソースを端末デバイスに提供することができる。従って、異なるユーザ要求が柔軟に満たされ得る。
【０１７１】
図１１は、本発明の実施形態に係る端末デバイスの視点から説明されている通信方法２００の模式的フローチャートを示す。方法２００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図１１において示されているように、方法２００は、以下の段階を含む。
【０１７２】
Ｓ２１０．ターゲット端末デバイスが、ネットワークデバイスにより送信された第１の指示情報を受信し、ここで、第１の指示情報は、ターゲット周波数領域リソースグループを示すために用いられ、ターゲット周波数領域リソースグループは、ネットワークデバイスにより、少なくとも２つの周波数領域リソースグループから決定され、ターゲット周波数領域リソースグループは、少なくとも１つの周波数領域リソースグループを含む。
【０１７３】
Ｓ２２０．ターゲット端末デバイスは、ターゲット周波数領域リソースグループを用いることによって、ネットワークデバイスと無線通信を行う。
【０１７４】
任意選択的に、ターゲット周波数領域リソースグループは、少なくとも２つの周波数領域リソースグループを含み、ターゲット端末デバイスが、ターゲット周波数領域リソースグループを用いることによって、ネットワークデバイスと無線通信を行う段階は、ターゲット端末デバイスが、ターゲット周波数領域リソースグループを用いることによって、少なくとも２つのトランスポートブロックＴＢを、ネットワークデバイスへ伝送する段階を含み、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０１７５】
任意選択的に、方法はさらに、ターゲット端末デバイスが、端末能力情報をネットワークデバイスへ送信する段階を備え、ここで、端末能力情報は、ターゲット端末デバイスにより処理され得る周波数領域リソースの最大幅を示すために用いられ、これにより、ネットワークデバイスは、端末能力情報に従って、ターゲット周波数領域リソースグループを決定する。
【０１７６】
任意選択的に、少なくとも２つの周波数領域リソースグループは、周波数領域リソースにおいて連続して分布される。
【０１７７】
任意選択的に、少なくとも２つの周波数領域リソースグループは、一次周波数領域リソースグループおよび少なくとも１つの二次周波数領域リソースグループを含む。
【０１７８】
任意選択的に、ターゲット端末デバイスが、ネットワークデバイスにより送信された第１の指示情報を受信する段階は、ターゲット端末デバイスが、一次周波数領域リソースグループを用いることによって、ネットワークデバイスにより送信された第１の指示情報を受信する段階を含む。
【０１７９】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、一次周波数領域リソースグループにおける制御チャネルを用いることによって受信する段階を含む。
【０１８０】
任意選択的に、制御チャネルが、各周波数領域リソースグループにおいて設定され、各制御チャネルは、制御チャネルが属する周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、ターゲット周波数領域リソースグループにおける制御チャネルを用いることによって受信する段階を含む。
【０１８１】
任意選択的に、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、一次周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信する段階を含む。
【０１８２】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ターゲット周波数領域リソースグループにおけるアップリンクフィードバックチャネルを用いることによって、ターゲット周波数領域リソースグループにおいて保持されているダウンリンク伝送のフィードバック情報をネットワークデバイスへ送信する段階を含む。
【０１８３】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されるアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、一次周波数領域リソースグループにおけるダウンリンクフィードバックチャネルを用いることによって、ネットワークデバイスにより送信された、ターゲット周波数領域リソースグループにおいて保持されているアップリンク伝送のフィードバック情報を受信する段階を含む。
【０１８４】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループにおいて保持されているアップリンク伝送のフィードバック情報を、ターゲット周波数領域リソースグループにおけるダウンリンクフィードバックチャネルを用いることによって受信する段階を含む。
【０１８５】
方法２００における端末デバイスの動作は、方法１００における端末デバイスの動作と同様であり、方法２００におけるネットワークデバイスの動作は、方法１００におけるネットワークデバイスの動作と同様である。ここでは、繰り返しを回避するために、それらの詳述な説明を省略する。
【０１８６】
本発明のこの実施形態における無線通信方法によれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０１８７】
先述においては、図１から図１１を参照して、本発明の実施形態に係る無線通信方法を詳細に説明している。以下では、図１２および図１３を参照して、本発明の実施形態に係る無線通信装置を詳細に説明する。
【０１８８】
図１２は、本発明の実施形態に係る無線通信装置３００の模式的ブロック図を示す。装置３００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図１２において示されているように、装置３００は、少なくとも２つの周波数領域リソースグループから、ターゲット端末デバイスに割り当てられるべきターゲット周波数領域リソースグループを決定するように構成される決定ユニット３１０であって、ターゲット周波数領域リソースグループは、少なくとも１つの周波数領域リソースグループを含む、決定ユニット３１０と、第１の指示情報をターゲット端末デバイスへ送信するように構成される通信ユニット３２０であって、第１の指示情報は、ターゲット周波数領域リソースグループを示すために用いられる、通信ユニット３２０とを備える。
【０１８９】
通信ユニット３１０はさらに、ターゲット周波数領域リソースグループを用いることによって、ターゲット端末デバイスと無線通信を行うように構成される。
【０１９０】
任意選択的に、ターゲット周波数領域リソースグループは、少なくとも２つの周波数領域リソースグループを含み、通信ユニットは具体的に、ターゲット周波数領域リソースグループを用いることによって、少なくとも２つのトランスポートブロックＴＢを、ターゲット端末デバイスへ伝送するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０１９１】
任意選択的に、通信ユニットはさらに、ターゲット端末デバイスにより送信された端末能力情報を受信するように構成される。端末能力情報は、ターゲット端末デバイスにより処理され得る周波数領域リソースの最大幅を示すために用いられる。
【０１９２】
決定ユニットは具体的に、端末能力情報に従って、少なくとも２つの周波数領域リソースグループから、ターゲット端末デバイスに割り当てられるべきターゲット周波数領域リソースグループを決定するように構成される。
【０１９３】
任意選択的に、少なくとも２つの周波数領域リソースグループは、周波数領域リソースにおいて連続して分布される。
【０１９４】
任意選択的に、少なくとも２つの周波数領域リソースグループは、一次周波数領域リソースグループおよび少なくとも１つの二次周波数領域リソースグループを含む。
【０１９５】
任意選択的に、通信ユニットは具体的に、一次周波数領域リソースグループを用いることによって、第１の指示情報をターゲット端末デバイスへ送信するように構成される。
【０１９６】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、通信ユニットは具体的に、一次周波数領域リソースグループにおける制御チャネルを用いることによって、ターゲット周波数領域リソースグループのスケジューリング情報をターゲット端末デバイスへ送信するように構成される。
【０１９７】
任意選択的に、制御チャネルが、各周波数領域リソースグループにおいて設定され、各制御チャネルは、当該制御チャネルが属する周波数領域リソースグループのスケジューリング情報を伝送するために用いられ、通信ユニットは具体的に、ターゲット周波数領域リソースグループにおける制御チャネルを用いることによって、ターゲット周波数領域リソースグループのスケジューリング情報を、ターゲット端末デバイスへ送信するように構成される。
【０１９８】
任意選択的に、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、通信ユニットは具体的に、ターゲット端末デバイスにより送信された、ターゲット周波数領域リソースグループにおいて保持されているダウンリンク伝送のフィードバック情報を、一次周波数領域リソースグループにおけるアップリンクフィードバックチャネルを用いることによって受信するように構成される。
【０１９９】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、通信ユニットは具体的に、ターゲット端末デバイスにより送信された、ターゲット周波数領域リソースグループにおいて保持されているダウンリンク伝送のフィードバック情報を、ターゲット周波数領域リソースグループにおけるアップリンクフィードバックチャネルを用いることによって受信するように構成される。
【０２００】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、通信ユニットは具体的に、一次周波数領域リソースグループにおけるダウンリンクフィードバックチャネルを用いることによって、ターゲット周波数領域リソースグループにおいて保持されているアップリンク伝送のフィードバック情報をターゲット端末デバイスへ送信するように構成される。
【０２０１】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、通信ユニットは具体的に、ターゲット周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信するように構成される。
【０２０２】
任意選択的に、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成される。決定ユニットはさらに、ターゲット周波数領域リソースグループに対応するＨＡＲＱエンティティを決定するように構成され、通信ユニットは具体的に、ターゲット周波数領域リソースグループに対応するＨＡＲＱエンティティに従って、ターゲット周波数領域リソースグループにおいて保持されている伝送に対してＨＡＲＱ処理を実行するように構成される。
【０２０３】
本発明のこの実施形態に係る無線通信装置３００は、本発明の実施形態の方法におけるネットワークデバイスに対応してよい。加えて、無線通信装置３００におけるユニットおよびモジュール、ならびに先述の他の動作および／または機能は別々に、図９の方法１００の対応する手順を実装することを意図する。簡潔さのために、その詳細はここでは、説明されない。
【０２０４】
本発明のこの実施形態における無線通信装置によれば、システムにより提供された周波数領域リソースは、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０２０５】
図１３は、本発明の実施形態に係る無線通信装置４００の模式的ブロック図を示す。装置４００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図１３において示されているように、装置４００は、ネットワークデバイスにより送信された第１の指示情報を受信するように構成される通信ユニット４１０であって、第１の指示情報は、ターゲット周波数領域リソースグループを示すために用いられ、ターゲット周波数領域リソースグループは、ネットワークデバイスにより、少なくとも２つの周波数領域リソースグループから決定され、ターゲット周波数領域リソースグループは、少なくとも１つの周波数領域リソースグループを含む、通信ユニット４１０と、第１の指示情報に従って、ターゲット周波数領域リソースグループを決定するように構成される決定ユニット４２０とを備える。
【０２０６】
通信ユニット４１０はさらに、ターゲット周波数領域リソースグループを用いることによって、ネットワークデバイスと無線通信を行うように構成される。
【０２０７】
任意選択的に、ターゲット周波数領域リソースグループは、少なくとも２つの周波数領域リソースグループを含み、通信ユニットは具体的に、ターゲット周波数領域リソースグループを用いることによって、少なくとも２つのトランスポートブロックＴＢを、ネットワークデバイスへ伝送するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０２０８】
任意選択的に、通信ユニットはさらに、端末能力情報をネットワークデバイスへ送信するように構成される。端末能力情報は、ターゲット端末デバイスにより処理され得る周波数領域リソースの最大幅を示すために用いられ、これにより、ネットワークデバイスは、端末能力情報に従って、ターゲット周波数領域リソースグループを決定する。
【０２０９】
任意選択的に、少なくとも２つの周波数領域リソースグループは、周波数領域リソースにおいて連続して分布される。
【０２１０】
任意選択的に、少なくとも２つの周波数領域リソースグループは、一次周波数領域リソースグループおよび少なくとも１つの二次周波数領域リソースグループを含む。
【０２１１】
任意選択的に、通信ユニットは具体的に、一次周波数領域リソースグループを用いることによって、ネットワークデバイスにより送信された第１の指示情報を受信するように構成される。
【０２１２】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、通信ユニットは具体的に、ネットワークデバイスにより送信された、ターゲット周波数領域リソースグループのスケジューリング情報を、一次周波数領域リソースグループにおける制御チャネルを用いることによって受信するように構成される。
【０２１３】
任意選択的に、制御チャネルが、各周波数領域リソースグループにおいて設定され、各制御チャネルは、当該制御チャネルが属する周波数領域リソースグループのスケジューリング情報を伝送するために用いられ、通信ユニットは具体的に、ネットワークデバイスにより送信された、ターゲット周波数領域リソースグループのスケジューリング情報を、ターゲット周波数領域リソースグループにおける制御チャネルを用いることによって受信するように構成される。
【０２１４】
任意選択的に、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されるダウンリンク伝送のフィードバック情報を伝送するために用いられ、通信ユニットは具体的に、一次周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信するように構成される。
【０２１５】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、通信ユニットは具体的に、ターゲット周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信するように構成される。
【０２１６】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、通信ユニットは具体的に、一次周波数領域リソースグループにおけるダウンリンクフィードバックチャネルを用いることによって、ネットワークデバイスにより送信された、ターゲット周波数領域リソースグループにおいて保持されているアップリンク伝送のフィードバック情報を受信するように構成される。
【０２１７】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、通信ユニットは具体的に、ターゲット周波数領域リソースグループにおけるダウンリンクフィードバックチャネルを用いることによって、ネットワークデバイスにより送信された、ターゲット周波数領域リソースグループにおいて保持されているアップリンク伝送のフィードバック情報を受信するように構成される。
【０２１８】
本発明のこの実施形態に係る無線通信装置４００は、本発明の実施形態の方法におけるターゲット端末デバイス（端末デバイス＃Ａなど）に対応してよい。加えて、無線通信装置４００におけるユニットおよびモジュール、ならびに先述の他の動作および／または機能は別々に、図１１の方法２００の対応する手順を実装することを意図する。簡潔さのために、その詳細はここでは、説明されない。
【０２１９】
本発明のこの実施形態における無線通信装置によれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられて得て、これにより、端末デバイスの要求に基づき、対応する周波数領域リソースを端末デバイスに提供することができる。従って、異なるユーザ要求が柔軟に満たされ得る。
【０２２０】
先述においては、図１から図１１を参照して、本発明の実施形態に係る無線通信方法を詳細に説明している。以下では、図１４および図１５を参照して、本発明の実施形態に係る無線通信デバイスを詳細に説明する。
【０２２１】
図１４は、本発明の実施形態に係る無線通信デバイス５００の模式的ブロック図を示す。図１４により示されているように、デバイス５００は、プロセッサ５１０およびトランシーバ５２０を備え、プロセッサ５１０は、トランシーバ５２０に接続される。任意選択的に、デバイス５００はさらに、メモリ５３０を備え、メモリ５３０は、プロセッサ５１０に接続される。任意選択的に、デバイス５００はさらに、バスシステム５４０を備える。プロセッサ５１０、メモリ５３０、およびトランシーバ５２０は、バスシステム５４０を用いることによって、接続されてよい。メモリ５３０は、命令を記憶するように構成されてよい。プロセッサ５１０は、メモリ５３０において記憶されている命令を実行するように構成され、情報または信号を送信するようにトランシーバ５２０を制御する。デバイス５００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。
【０２２２】
プロセッサ５１０は、少なくとも２つの周波数領域リソースグループから、ターゲット端末デバイスに割り当てられるべきターゲット周波数領域リソースグループを決定するように命令を実行する。ターゲット周波数領域リソースグループは、少なくとも１つの周波数領域リソースグループを含む。
【０２２３】
プロセッサ５１０はさらに、第１の指示情報をターゲット端末デバイスへ送信するようにトランシーバ５２０を制御するように構成される。第１の指示情報は、ターゲット周波数領域リソースグループを示すために用いられる。
【０２２４】
プロセッサ５１０はさらに、ターゲット周波数領域リソースグループを用いることによってターゲット端末デバイスと無線通信を行うようにトランシーバ５２０を制御するように構成される。
【０２２５】
任意選択的に、ターゲット周波数領域リソースグループは、少なくとも２つの周波数領域リソースグループを含み、プロセッサ５１０は具体的に、ターゲット周波数領域リソースグループを用いることによって少なくとも２つのトランスポートブロックＴＢをターゲット端末デバイスへ伝送するようにトランシーバ５２０を制御するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０２２６】
任意選択的に、プロセッサ５１０は具体的に、ターゲット端末デバイスにより送信された端末能力情報を受信するようにトランシーバ５２０を制御するように構成される。端末能力情報は、ターゲット端末デバイスにより処理され得る周波数領域リソースの最大幅を示すために用いられる。
【０２２７】
プロセッサ５１０は具体的に、端末能力情報に従って、少なくとも２つの周波数領域リソースグループから、ターゲット端末デバイスに割り当てられるべきターゲット周波数領域リソースグループを決定するように構成される。
【０２２８】
任意選択的に、少なくとも２つの周波数領域リソースグループは、周波数領域リソースにおいて連続して分布される。
【０２２９】
任意選択的に、少なくとも２つの周波数領域リソースグループは、一次周波数領域リソースグループと、少なくとも１つの二次周波数領域リソースグループを含む。
【０２３０】
任意選択的に、プロセッサ５１０は具体的に、一次周波数領域リソースグループを用いることによって第１の指示情報をターゲット端末デバイスへ送信するようにトランシーバ５２０を制御するように構成される。
【０２３１】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、プロセッサ５１０は具体的に、一次周波数領域リソースグループにおける制御チャネルを用いることによってターゲット周波数領域リソースグループのスケジューリング情報をターゲット端末デバイスへ送信するようにトランシーバ５２０を制御するように構成される。
【０２３２】
任意選択的に、制御チャネルが、各周波数領域リソースグループにおいて設定され、各制御チャネルは、当該制御チャネルが属する周波数領域リソースグループのスケジューリング情報を伝送するために用いられ、プロセッサ５１０は具体的に、ターゲット周波数領域リソースグループにおける制御チャネルを用いることによってターゲット周波数領域リソースグループのスケジューリング情報をターゲット端末デバイスへ送信するようにトランシーバ５２０を制御するように構成される。
【０２３３】
任意選択的に、アップリンクフィードバックチャネルが一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されるダウンリンク伝送のフィードバック情報を伝送するために用いられ、プロセッサ５１０は具体的に、ターゲット端末デバイスにより送信された、ターゲット周波数領域リソースグループにおいて保持されているダウンリンク伝送のフィードバック情報を一次周波数領域リソースグループにおけるアップリンクフィードバックチャネルを用いることによって受信するようにトランシーバ５２０を制御するように構成される。
【０２３４】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、プロセッサ５１０は具体的に、ターゲット端末デバイスにより送信された、ターゲット周波数領域リソースグループにおいて保持されているダウンリンク伝送のフィードバック情報をターゲット周波数領域リソースグループにおけるアップリンクフィードバックチャネルを用いることによって受信するようにトランシーバ５２０を制御するように構成される。
【０２３５】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、プロセッサ５１０は具体的に、一次周波数領域リソースグループにおけるダウンリンクフィードバックチャネルを用いることによってターゲット周波数領域リソースグループにおいて保持されているアップリンク伝送のフィードバック情報をターゲット端末デバイスへ送信するようにトランシーバ５２０を制御するように構成される。
【０２３６】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、プロセッサ５１０は具体的に、ターゲット周波数領域リソースグループにおけるダウンリンクフィードバックチャネルを用いることによってターゲット周波数領域リソースグループにおいて保持されているアップリンク伝送のフィードバック情報をターゲット端末デバイスへ送信するようにトランシーバ５２０を制御するように構成される。
【０２３７】
任意選択的に、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成され、プロセッサ５１０はさらに、ターゲット周波数領域リソースグループに対応するＨＡＲＱエンティティを決定するように構成され、プロセッサ５１０はさらに、ターゲット周波数領域リソースグループに対応するＨＡＲＱエンティティに従って、ターゲット周波数領域リソースグループにおいて保持されている伝送に対してＨＡＲＱ処理を実行するように構成される。
【０２３８】
本発明のこの実施形態において、プロセッサ５１０は、中央処理装置（Ｃｅｎｔｒａｌ  Ｐｒｏｃｅｓｓｉｎｇ  Ｕｎｉｔ、略して「ＣＰＵ」）であってよく、または、プロセッサ５１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサは、マイクロプロセッサであってよく、またはプロセッサは、任意の従来のプロセッサまたは同様のものであってよい。
【０２３９】
メモリ５３０は、リードオンリメモリおよびランダムアクセスメモリを含んでよく、命令およびデータをプロセッサ７１０に提供してよい。メモリ５３０の一部はさらに、不揮発性ランダムアクセスメモリを含んでよい。例えば、メモリ５３０はさらに、デバイスタイプについての情報を記憶してよい。
【０２４０】
データバスに加えて、バスシステム５４０はさらに、電力バス、制御バス、ステータス信号バス、および同様のものを含んでよい。しかしながら、説明を分かり易くするために、様々なバスが、図面のバスシステム５４０として示されている。
【０２４１】
実装プロセスにおいて、先述の方法における段階は、プロセッサ５１０におけるハードウェアの集積論理回路、またはソフトウェア形成の命令を用いることによって、完了し得る。本発明の実施形態に関連して開示されている方法における段階は、ハードウェアプロセッサにより直接実行されてよく、または、プロセッサにおけるハードウェアとソフトウェアモジュールとの組み合わせを用いることによって、実行されてよい。ソフトウェアモジュールは、当技術分野において成熟した記憶媒体、例えば、ランダムアクセスメモリ、フラッシュメモリ、リードオンリメモリ、プログラマブルリードオンリメモリ、電気的に消去可能プログラマブルメモリ、またはレジスタに位置してよい。記憶媒体は、メモリ５３０に位置する。プロセッサ５１０は、メモリ５３０における情報を読み出し、プロセッサ５１０のハードウェアとの組み合わせで先述の方法の段階を完了させる。繰り返しを回避するために、詳細は、ここでは説明されない。
【０２４２】
本発明のこの実施形態に係る無線通信デバイス５００は、本発明の実施形態の方法におけるネットワークデバイスに対応してよい。加えて、無線通信デバイス５００におけるユニットおよびモジュール、ならびに先述の他の動作および／または機能は別々に、図９の方法１００の対応する手順を実装することを意図する。簡潔さのために、その詳細はここでは、説明されない。
【０２４３】
本発明のこの実施形態における無線通信デバイスによれば、システムにより提供された周波数領域リソースは、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０２４４】
図１５は、本発明の実施形態に係る無線通信デバイス６００の模式的ブロック図を示す。図１５において示されているように、デバイス６００は、プロセッサ６１０およびトランシーバ６２０を備え、プロセッサ６１０は、トランシーバ６２０に接続される。任意選択的に、デバイス６００はさらに、メモリ６３０を備え、メモリ６３０はプロセッサ６１０に接続される。任意選択的に、デバイス６００はさらに、バスシステム６４０を備える。プロセッサ６１０、メモリ６３０、およびトランシーバ６２０は、バスシステム６４０を用いることによって、接続されてよい。メモリ６３０は、命令を記憶するように構成される。プロセッサ６１０は、メモリ６３０において記憶されている命令を実行するように構成され、情報または信号を送信するようにトランシーバ６２０を制御する。デバイス６００は、特定の帯域幅を有する周波数領域リソースを用いう通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。
【０２４５】
プロセッサ６１０は、ネットワークデバイスにより送信された第１の指示情報を受信するようにトランシーバ６２０を制御するように命令を実行する。第１の指示情報は、ターゲット周波数領域リソースグループを示すために用いられ、ターゲット周波数領域リソースグループは、ネットワークデバイスにより、少なくとも２つの周波数領域リソースグループから決定され、ターゲット周波数領域リソースグループは、少なくとも１つの周波数領域リソースグループを含む。
【０２４６】
プロセッサ６１０は、第１の指示情報に従って、ターゲット周波数領域リソースグループを決定するように構成される。
【０２４７】
プロセッサ６１０は、ターゲット周波数領域リソースグループを用いることによってネットワークデバイスと無線通信を行うようにトランシーバ６２０を制御するように構成される。
【０２４８】
任意選択的に、ターゲット周波数領域リソースグループは、少なくとも２つの周波数領域リソースグループを含み、プロセッサ６１０は具体的に、ターゲット周波数領域リソースグループを用いることによって少なくとも２つのトランスポートブロックＴＢをネットワークデバイスへ伝送するようにトランシーバ６２０を制御するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０２４９】
任意選択的に、プロセッサ６１０はさらに、端末能力情報をネットワークデバイスへ送信するようにトランシーバ６２０を制御するように構成される。端末能力情報は、ターゲット端末デバイスにより処理され得る周波数領域リソースの最大幅を示すために用いられ、これにより、ネットワークデバイスは、端末能力情報に従ってターゲット周波数領域リソースグループを決定する。
【０２５０】
任意選択的に、少なくとも２つの周波数領域リソースグループは、周波数領域リソースにおいて連続して分布される。
【０２５１】
任意選択的に、少なくとも２つの周波数領域リソースグループは、一次周波数領域リソースグループおよび少なくとも１つの二次周波数領域リソースグループを含む。
【０２５２】
任意選択的に、プロセッサ６１０は具体的に、ネットワークデバイスにより送信された第１の指示情報を、一次周波数領域リソースグループを用いることによって受信するようにトランシーバ６２０を制御するように構成される。
【０２５３】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、プロセッサ６１０は具体的に、ネットワークデバイスにより送信された、ターゲット周波数領域リソースグループのスケジューリング情報を一次周波数領域リソースグループにおける制御チャネルを用いることによって受信するようにトランシーバ６２０を制御するように構成される。
【０２５４】
任意選択的に、制御チャネルが、各周波数領域リソースグループにおいて設定され、各制御チャネルは、当該制御チャネルが属する周波数領域リソースグループのスケジューリング情報を伝送するために用いられ、プロセッサ６１０は具体的に、ネットワークデバイスにより送信された、ターゲット周波数領域リソースグループのスケジューリング情報をターゲット周波数領域リソースグループにおける制御チャネルを用いることによって受信するようにトランシーバ６２０を制御するように構成される。
【０２５５】
任意選択的に、アップリンクフィードバックチャネルが一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、プロセッサ６１０は具体的に、一次周波数領域リソースグループにおけるアップリンクフィードバックチャネルを用いることによってターゲット周波数領域リソースグループにおいて保持されているダウンリンク伝送のフィードバック情報をネットワークデバイスへ送信するようにトランシーバ６２０を制御するように構成される。
【０２５６】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、プロセッサ６１０は具体的に、ターゲット周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信するように、トランシーバ６２０を制御するように構成される。
【０２５７】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、プロセッサ６１０は具体的に、ネットワークデバイスにより送信された、ターゲット周波数領域リソースグループにおいて保持されているアップリンク伝送のフィードバック情報を一次周波数領域リソースグループにおけるダウンリンクフィードバックチャネルを用いることによって受信するようにトランシーバ６２０を制御するように構成される。
【０２５８】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、プロセッサ６１０は具体的に、ネットワークデバイスにより送信された、ターゲット周波数領域リソースグループにおいて保持されているアップリンク伝送のフィードバック情報をターゲット周波数領域リソースグループにおけるダウンリンクフィードバックチャネルを用いることによって受信するようにトランシーバ６２０を制御するように構成される。
【０２５９】
本発明のこの実施形態において、プロセッサ６１０は、中央処理装置（Ｃｅｎｔｒａｌ  Ｐｒｏｃｅｓｓｉｎｇ  Ｕｎｉｔ、略して「ＣＰＵ」）であってよく、またはプロセッサ６１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサは、マイクロプロセッサであってよく、または、プロセッサは、任意の従来のプロセッサまたは同様のものであってよい。
【０２６０】
メモリ６３０は、リードオンリメモリおよびランダムアクセスメモリを含んでよく、命令およびデータをプロセッサ６１０に提供しよい。メモリ６３０の一部はさらに、不揮発性ランダムアクセスメモリを含んでよい。例えば、メモリ６３０はさらに、デバイスタイプについての情報を記憶してよい。
【０２６１】
データバスに加えて、バスシステム６４０はさらに、電力バス、制御バス、ステータス信号バス、および同様のものを備えてよい。しかしながら、説明を分かり易くするために、様々なバスは、図面においてバスシステム６４０として示されている。
【０２６２】
実装プロセスにおいて、先述の方法における段階は、プロセッサ６１０におけるハードウェアの集積論理回路、またはソフトウェア形成の命令を用いることによって、完了し得る。本発明の実施形態に関連して開示される方法の段階は、ハードウェアプロセッサによって直接実行されてよく、またはプロセッサにおけるハードウェアとソフトウェアモジュールとの組み合わせを用いることによって実行されてよい。ソフトウェアモジュールは、当技術分野において成熟した記憶媒体、例えば、ランダムアクセスメモリ、フラッシュメモリ、リードオンリメモリ、プログラマブルリードオンリメモリ、電気的に消去可能プログラマブルメモリ、またはレジスタに位置してよい。記憶媒体は、メモリ６３０に位置する。プロセッサ６１０は、メモリ６３０における情報を読み出し、プロセッサ６１０のハードウェアとの組み合わせで先述の方法の段階を完了させる。繰り返しを回避するために、詳細はここでは説明されない。
【０２６３】
本発明のこの実施形態に係る無線通信デバイス６００は、本発明の実施形態の方法におけるターゲット端末デバイス（端末デバイス＃Ａなど）に対応してよい。加えて無線通信デバイス６００、におけるユニットおよびモジュール、ならびに先述の他の動作および／または機能は別々に、図１１の方法２００の対応する手順を実装することを意図する。簡潔さのために、その詳細はここでは、説明されない。
【０２６４】
本発明のこの実施形態における無線通信デバイスによれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０２６５】
本明細書における「および／または」という用語は単に、関連付けられた対象物を説明するための関連関係を説明し、３つの関係が存在し得ることを表すことが、理解されるべきである。例えば、Ａおよび／またはＢとは、Ａのみが存在する、ＡおよびＢの両方が存在する、およびＢのみが存在するという３つの場合を表し得る。加えて、本明細書における「／」という記号は概して、関連付けられた対象物の間の「または」という関係を示している。
【０２６６】
先述の処理のシーケンス番号は、本発明の実施形態の実行順序を意味するものではないことが、理解されるべきである。処理の実行順序は、処理の機能および内部ロジックに応じて決定されるべきであり、本発明の実施形態の実装プロセスに対する何らかの限定と解釈されるべきではない。
【０２６７】
本明細書において開示されている実施形態において説明されている例の組み合わせで、ユニットおよびアルゴリズム段階は、電子ハードウェア、またはコンピュータソフトウェアと電子ハードウェアとの組み合わせによって実装され得ることを、当業者は認識し得る。機能がハードウェアまたはソフトウェアによって実行されるかは、技術的解決手段の特定の用途および設計の制約条件に依存する。当業者は、各特定の用途に対して、異なる方法を用いて、説明されている機能を実装してよいが、その実装方式は本発明の実施形態の範囲を超えるものとみなされるべきではない。
【０２６８】
便宜上、および説明の簡潔さのために、先述のシステム、装置、およびユニットの詳述した動作処理については、先述の方法の実施形態における対応する処理を参照することは、当業者により明確に理解され得る。詳細はここでは説明されない。
【０２６９】
本出願において提供されているいくつかの実施形態において、開示されているシステム、装置、および方法は、他の方式で実装され得ることが理解されるべきである。例えば、説明されている装置の実施形態は単に、例である。例えば、ユニットの区分は単に、論理機能の区分であり、実際の実装においては他の区分であってよい。例えば、複数のユニットまたはコンポーネントは、組み合わせられてよく、または、別のシステムに統合されてよく、または、一部の特徴が、無視されてよく、または実行されなくてよい。加えて、表示されまたは説明されている相互結合または直接結合または通信接続は、いくつかのインターフェースを用いて実装されてよい。装置またはユニットの間の、間接結合または通信接続は、電子的、機械的、または他の形成において実装されてよい。
【０２７０】
別々の部分として説明されているユニットは、物理的に個別のものであってもよく、またはそうでなくてもよく、ユニットとして表示されている部分は、物理ユニットであってよく、またはそうでなくてもよく、１つの場所に位置してよく、または複数のネットワークユニット上に分布されてよい。ユニットの一部または全ては、実施形態の解決手段の目的を達成するために実際の要求に応じて選択されてよい。
【０２７１】
加えて、本発明の実施形態における機能的ユニットは、１つの処理ユニットに統合されてよく、または、ユニットのそれぞれは、物理的に単体で存在してよく、または２つまたはそれより多いユニットは、１つのユニットに統合される。
【０２７２】
機能が、ソフトウェアの機能的ユニットの形成で実装され、独立した製品として販売または用いられる場合、機能は、コンピュータ可読記憶媒体において記憶され得る。そのような理解に基づき、本発明の実施形態の技術的解決手段は本質的に、または従来技術に寄与する部分、または技術的解決手段の一部は、ソフトウェア製品の形成で実装されてよい。ソフトウェア製品は、記憶媒体に記憶され、本発明の実施形態において説明されている方法の段階の全てまたは一部を実行するように、（パーソナルコンピュータ、サーバ、ネットワークデバイス、または同様のものであり得る）コンピュータデバイスに命令するためのいくつかの命令を含む。先述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを記憶できる任意の媒体を含む。
【０２７３】
先述の説明は単に、本発明の具体的な実装方式であり、本発明の保護範囲を限定することを意図するものではない。本発明の実施形態において開示されている技術的範囲内において当業者により容易に想到される任意の変形または置き換えは、本発明の実施形態の保護範囲に含まれるものとする。
【図１】
2018536360.tif 000003
【図２】
2018536360.tif 000004
【図３】
2018536360.tif 000005
【図４】
2018536360.tif 000006
【図５】
2018536360.tif 000007
【図６】
2018536360.tif 000008
【図７】
2018536360.tif 000009
【図８】
2018536360.tif 000010
【図９】
2018536360.tif 000011
【図１０】
2018536360.tif 000012
【図１１】
2018536360.tif 000013
【図１２】
2018536360.tif 000014
【図１３】
2018536360.tif 000015
【図１４】
2018536360.tif 000016
【図１５】
2018536360.tif 000017
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
特定の帯域幅を有する周波数領域リソースを用いる通信システムに適用される無線通信方法であって、前記周波数領域リソースは、少なくとも２つの周波数領域リソースグループに区分され、各周波数領域リソースグループは、少なくとも１つのリソースブロックを含み、前記少なくとも２つの周波数領域リソースグループは、同じセルに属し、前記無線通信方法は、
前記少なくとも２つの周波数領域リソースグループから、ターゲット端末デバイスに割り当てられるべきターゲット周波数領域リソースグループを決定する段階であって、前記ターゲット周波数領域リソースグループは、少なくとも１つの周波数領域リソースグループを含む、段階と、
第１の指示情報を前記ターゲット端末デバイスへ送信する段階であって、前記第１の指示情報は、前記ターゲット周波数領域リソースグループを示すために用いられる、段階と、
前記ターゲット周波数領域リソースグループを用いることによって、前記ターゲット端末デバイスと無線通信を行う段階と
を備える
無線通信方法。
【請求項２】
前記ターゲット周波数領域リソースグループは、少なくとも２つの周波数領域リソースグループを含み、
前記ターゲット周波数領域リソースグループを用いることによって、前記ターゲット端末デバイスと無線通信を行う前記段階は、
前記ターゲット周波数領域リソースグループを用いることによって、少なくとも２つのトランスポートブロック（ＴＢ）を前記ターゲット端末デバイスへ伝送する段階であって、前記少なくとも２つのＴＢにおける第１のＴＢが、前記ターゲット周波数領域リソースグループにおける第１の周波数領域リソースグループにおいて保持され、前記少なくとも２つのＴＢにおける第２のＴＢが、前記ターゲット周波数領域リソースグループにおける第２の周波数領域リソースグループにおいて保持され、前記第１の周波数領域リソースグループは、前記第２の周波数領域リソースグループと異なる、段階を含む、請求項１に記載の無線通信方法。
【請求項３】
前記少なくとも２つの周波数領域リソースグループが、一次周波数領域リソースグループおよび少なくとも１つの二次周波数領域リソースグループを含み、かつ、
制御チャネルが、前記一次周波数領域リソースグループにおいて設定され、前記一次周波数領域リソースグループにおける前記制御チャネルは、１つのスケジューリング期間において用いられる全ての周波数領域リソースグループのスケジューリング情報を伝送するために用いられ、前記ターゲット周波数領域リソースグループを用いることによって、前記ターゲット端末デバイスと無線通信を行う前記段階は、
前記一次周波数領域リソースグループにおける前記制御チャネルを用いることによって、前記ターゲット周波数領域リソースグループのスケジューリング情報を、前記ターゲット端末デバイスへ送信する段階を含むか、または、
アップリンクフィードバックチャネルが、前記一次周波数領域リソースグループにおいて設定され、前記一次周波数領域リソースグループにおける前記アップリンクフィードバックチャネルは、１つのダウンリンク伝送期間において用いられる全ての周波数領域リソースグループにおいて保持されているダウンリンク伝送のフィードバック情報を伝送するために用いられ、前記ターゲット周波数領域リソースグループを用いることによって、前記ターゲット端末デバイスと無線通信を行う前記段階は、
前記一次周波数領域リソースグループにおける前記アップリンクフィードバックチャネルを用いることによって、前記ターゲット端末デバイスにより送信された、前記ターゲット周波数領域リソースグループにおいて保持されているダウンリンク伝送のフィードバック情報を受信する段階を含むか、または、
ダウンリンクフィードバックチャネルが、前記一次周波数領域リソースグループにおいて設定され、前記一次周波数領域リソースグループにおける前記ダウンリンクフィードバックチャネルは、１つのアップリンク伝送期間において用いられる全ての周波数領域リソースグループにおいて保持されているアップリンク伝送のフィードバック情報を伝送するために用いられ、前記ターゲット周波数領域リソースグループを用いることによって、前記ターゲット端末デバイスと無線通信を行う前記段階は、
前記一次周波数領域リソースグループにおける前記ダウンリンクフィードバックチャネルを用いることによって、前記ターゲット周波数領域リソースグループにおいて保持されているアップリンク伝送のフィードバック情報を、前記ターゲット端末デバイスへ送信する段階を含む、請求項１または２に記載の無線通信方法。
【請求項４】
制御チャネルが、各周波数領域リソースグループにおいて設定され、各制御チャネルは、前記制御チャネルが属する周波数領域リソースグループのスケジューリング情報を伝送するために用いられ、前記ターゲット周波数領域リソースグループを用いることによって、前記ターゲット端末デバイスと無線通信を行う前記段階は、
前記ターゲット周波数領域リソースグループにおける制御チャネルを用いることによって、前記ターゲット周波数領域リソースグループの前記スケジューリング情報を、前記ターゲット端末デバイスへ送信する段階を含むか、または、
アップリンクフィードバックチャネルが、各周波数領域リソースグループにおいて設定され、各アップリンクフィードバックチャネルは、前記アップリンクフィードバックチャネルが属する周波数領域リソースグループにおいて保持されているダウンリンク伝送のフィードバック情報を伝送するために用いられ、前記ターゲット周波数領域リソースグループを用いることによって、前記ターゲット端末デバイスと無線通信を行う前記段階は、
前記ターゲット周波数領域リソースグループにおけるアップリンクフィードバックチャネルを用いることによって、前記ターゲット端末デバイスにより送信された、前記ターゲット周波数領域リソースグループにおいて保持されている前記ダウンリンク伝送の前記フィードバック情報を受信する段階を含むか、または、
ダウンリンクフィードバックチャネルが、各周波数領域リソースグループにおいて設定され、各ダウンリンクフィードバックチャネルは、前記ダウンリンクフィードバックチャネルが属する周波数領域リソースグループにおいて保持されているアップリンク伝送のフィードバック情報を伝送するために用いられ、前記ターゲット周波数領域リソースグループを用いることによって、前記ターゲット端末デバイスと無線通信を行う前記段階は、
前記ターゲット周波数領域リソースグループにおけるダウンリンクフィードバックチャネルを用いることによって、前記ターゲット周波数領域リソースグループにおいて保持されている前記アップリンク伝送の前記フィードバック情報を、前記ターゲット端末デバイスへ送信する段階を含む、請求項１から３のいずれか一項に記載の無線通信方法。
【請求項５】
前記少なくとも２つの周波数領域リソースグループから、前記ターゲット端末デバイスに割り当てられるべき前記ターゲット周波数領域リソースグループを決定する前記段階は、
前記ターゲット端末デバイスから、端末能力情報を受信する段階であって、前記端末能力情報は、前記ターゲット端末デバイスにより処理され得る周波数領域リソースの最大幅を示すために用いられる、段階と、
前記端末能力情報に従って、前記少なくとも２つの周波数領域リソースグループから、前記ターゲット端末デバイスに割り当てられるべき前記ターゲット周波数領域リソースグループを決定する段階とを含む、請求項１から４のいずれか一項に記載の無線通信方法。
【請求項６】
前記少なくとも２つの周波数領域リソースグループは、一次周波数領域リソースグループおよび少なくとも１つの二次周波数領域リソースグループを含み、
前記第１の指示情報を前記ターゲット端末デバイスへ送信する前記段階は、前記一次周波数領域リソースグループを用いることによって、前記第１の指示情報を前記ターゲット端末デバイスへ送信する段階を含む、請求項１から５のいずれか一項に記載の無線通信方法。
【請求項７】
前記少なくとも２つの周波数領域リソースグループは、少なくとも２つのハイブリッド自動再送要求（ＨＡＲＱ）エンティティと１対１の対応関係にあり、各ＨＡＲＱエンティティは、対応する周波数領域リソースグループに対するＨＡＲＱ処理を実行し、
前記ターゲット周波数領域リソースグループを用いることによって、前記ターゲット端末デバイスと前記無線通信を行う前記段階は、
前記ターゲット周波数領域リソースグループに対応するＨＡＲＱエンティティを決定する段階と、
前記ターゲット周波数領域リソースグループに対応する前記ＨＡＲＱエンティティに従って、前記ターゲット周波数領域リソースグループにおいて保持されている伝送に対してＨＡＲＱ処理を実行する段階とを含む、請求項１から６のいずれか一項に記載の無線通信方法。
【請求項８】
特定の帯域幅を有する周波数領域リソースを用いる通信システムに適用される無線通信方法であって、前記周波数領域リソースは、少なくとも２つの周波数領域リソースグループに区分され、各周波数領域リソースグループは、少なくとも１つのリソースブロックを含み、前記少なくとも２つの周波数領域リソースグループは、同じセルに属し、前記無線通信方法は、
ネットワークデバイスにより送信された第１の指示情報を受信する段階であって、前記第１の指示情報は、ターゲット周波数領域リソースグループを示すために用いられ、前記ターゲット周波数領域リソースグループは、前記ネットワークデバイスにより、前記少なくとも２つの周波数領域リソースグループから決定され、前記ターゲット周波数領域リソースグループは、少なくとも１つの周波数領域リソースグループを含む、段階と、
前記ターゲット周波数領域リソースグループを用いることによって、前記ネットワークデバイスと無線通信を行う段階と
を備える
無線通信方法。
【請求項９】
前記ターゲット周波数領域リソースグループは、少なくとも２つの周波数領域リソースグループを含み、
前記ターゲット周波数領域リソースグループを用いることによって、前記ネットワークデバイスと無線通信を行う前記段階は、
前記ターゲット周波数領域リソースグループを用いることによって、少なくとも２つのトランスポートブロック（ＴＢ）を、前記ネットワークデバイスへ伝送する段階であって、前記少なくとも２つのＴＢにおける第１のＴＢが、前記ターゲット周波数領域リソースグループにおける第１の周波数領域リソースグループにおいて保持され、前記少なくとも２つのＴＢにおける第２のＴＢが、前記ターゲット周波数領域リソースグループにおける第２の周波数領域リソースグループにおいて保持され、前記第１の周波数領域リソースグループは、前記第２の周波数領域リソースグループと異なる、段階を含む、請求項８に記載の無線通信方法。
【請求項１０】
前記少なくとも２つの周波数領域リソースグループは、一次周波数領域リソースグループおよび前記少なくとも１つの二次周波数領域リソースグループを含み、かつ、
制御チャネルが、前記一次周波数領域リソースグループにおいて設定され、前記一次周波数領域リソースグループにおける前記制御チャネルは、１つのスケジューリング期間において用いられる全ての周波数領域リソースグループのスケジューリング情報を伝送するために用いられ、前記ターゲット周波数領域リソースグループを用いることによって、前記ネットワークデバイスと無線通信を行う前記段階は、
ターゲット端末デバイスが、前記一次周波数領域リソースグループにおける前記制御チャネルを用いることによって、前記ネットワークデバイスにより送信された、前記ターゲット周波数領域リソースグループのスケジューリング情報を受信する段階を含むか、または、
アップリンクフィードバックチャネルが、前記一次周波数領域リソースグループにおいて設定され、前記一次周波数領域リソースグループにおける前記アップリンクフィードバックチャネルは、１つのダウンリンク伝送期間において用いられる全ての周波数領域リソースグループにおいて保持されているダウンリンク伝送のフィードバック情報を伝送するために用いられ、前記ターゲット周波数領域リソースグループを用いることによって、前記ネットワークデバイスと無線通信を行う前記段階は、
前記ターゲット端末デバイスが、前記一次周波数領域リソースグループにおける前記アップリンクフィードバックチャネルを用いることによって、前記ターゲット周波数領域リソースグループにおいて保持されているダウンリンク伝送のフィードバック情報を、前記ネットワークデバイスへ送信する段階を含むか、または、
ダウンリンクフィードバックチャネルが、前記一次周波数領域リソースグループにおいて設定され、前記一次周波数領域リソースグループにおける前記ダウンリンクフィードバックチャネルは、１つのアップリンク伝送期間において用いられる全ての周波数領域リソースグループにおいて保持されているアップリンク伝送のフィードバック情報を伝送するために用いられ、前記ターゲット周波数領域リソースグループを用いることによって、前記ネットワークデバイスと無線通信を行う前記段階は、前記ターゲット端末デバイスが、前記一次周波数領域リソースグループにおける前記ダウンリンクフィードバックチャネルを用いることによって、前記ネットワークデバイスにより送信された、前記ターゲット周波数領域リソースグループにおいて保持されているアップリンク伝送のフィードバック情報を受信する段階を含む、請求項８または９に記載の無線通信方法。
【請求項１１】
制御チャネルが、各周波数領域リソースグループにおいて設定され、各制御チャネルは、前記制御チャネルが属する周波数領域リソースグループのスケジューリング情報を伝送するために用いられ、前記ターゲット周波数領域リソースグループを用いることによって、前記ネットワークデバイスと無線通信を行う前記段階は、
ターゲット端末デバイスが、前記ターゲット周波数領域リソースグループにおける制御チャネルを用いることによって、前記ネットワークデバイスにより送信された、前記ターゲット周波数領域リソースグループの前記スケジューリング情報を受信する段階を含むか、または、
アップリンクフィードバックチャネルが、各周波数領域リソースグループにおいて設定され、各アップリンクフィードバックチャネルは、前記アップリンクフィードバックチャネルが属する周波数領域リソースグループにおいて保持されているダウンリンク伝送のフィードバック情報を伝送するために用いられ、前記ターゲット周波数領域リソースグループを用いることによって、前記ネットワークデバイスと無線通信を行う前記段階は、
前記ターゲット端末デバイスが、前記ターゲット周波数領域リソースグループにおけるアップリンクフィードバックチャネルを用いることによって、前記ターゲット周波数領域リソースグループにおいて保持されている前記ダウンリンク伝送の前記フィードバック情報を、前記ネットワークデバイスへ送信する段階を含むか、または、
ダウンリンクフィードバックチャネルが、各周波数領域リソースグループにおいて設定され、各ダウンリンクフィードバックチャネルは、前記ダウンリンクフィードバックチャネルが属する周波数領域リソースグループにおいて保持されているアップリンク伝送のフィードバック情報を伝送するために用いられ、前記ターゲット周波数領域リソースグループを用いることによって、前記ネットワークデバイスと無線通信を行う前記段階は、
前記ターゲット端末デバイスが、前記ターゲット周波数領域リソースグループにおけるダウンリンクフィードバックチャネルを用いることによって、前記ネットワークデバイスにより送信された、前記ターゲット周波数領域リソースグループにおいて保持されている前記アップリンク伝送の前記フィードバック情報を受信する段階を含む、請求項８から１０のいずれか一項に記載の無線通信方法。
【請求項１２】
ターゲット端末デバイスにより処理され得る周波数領域リソースの最大幅を示すために用いられる端末能力情報を前記ネットワークデバイスへ送信する段階であって、これにより、前記ネットワークデバイスは、前記端末能力情報に従って、前記ターゲット周波数領域リソースグループを決定する、段階を
さらに備える、請求項８から１１のいずれか一項に記載の無線通信方法。
【請求項１３】
前記少なくとも２つの周波数領域リソースグループは、前記周波数領域リソースにおいて連続して分布される、請求項８から１２のいずれか一項に記載の無線通信方法。
【請求項１４】
前記少なくとも２つの周波数領域リソースグループは、一次周波数領域リソースグループおよび少なくとも１つの二次周波数領域リソースグループを含み、
前記ネットワークデバイスが、前記第１の指示情報をターゲット端末デバイスへ前記送信することは、
前記ネットワークデバイスが、前記一次周波数領域リソースグループを用いることによって、前記第１の指示情報を前記ターゲット端末デバイスへ送信することを含む、請求項８から１３のいずれか一項に記載の無線通信方法。
【請求項１５】
請求項１から１４のいずれか一項に記載の無線通信方法を実行する装置。
【請求項１６】
特定の帯域幅を有する周波数領域リソースを用いる通信システムに適用される装置であって、前記周波数領域リソースは、少なくとも２つの周波数領域リソースグループに区分され、各周波数領域リソースグループは、少なくとも１つのリソースブロックを含み、前記少なくとも２つの周波数領域リソースグループは、同じセルに属し、前記装置は、プロセッサおよびメモリを備え、
前記プロセッサは、請求項１から１４のいずれか一項に記載の無線通信方法を前記装置に実行させる、前記メモリに記憶されているプログラムを実行する、
装置。
【請求項１７】
コンピュータに請求項１から１４のいずれか一項に記載の無線通信方法を実行させるプログラム。
【手続補正２】
【補正対象書類名】明細書
【補正対象項目名】全文
【補正方法】変更
【補正の内容】
【発明の詳細な説明】
【技術分野】
【０００１】
［関連出願の相互参照］
本出願は、２０１５年１２月３日に中国特許庁宛に出願された、「無線通信方法および装置」と題する中国特許出願番号第２０１５１０８７５５７５．２号に基づく優先権を主張し、当該出願は、その全体を参照することにより、本明細書に組み込まれている。
【０００２】
本発明の実施形態は、通信分野に関し、より具体的には、無線通信方法および装置に関する。
【背景技術】
【０００３】
モバイルインターネット技術の開発に伴い、ロングタームエボリューション（ＬＴＥ）システムなどの通信システムは、１００メガヘルツ（ＭＨｚ）またはさらにより高い帯域幅を提供することができる。
【０００４】
加えて、通信サービスがますます多様化してきている。例えば、サービスタイプの面からみると、音声サービスまたはショートメッセージサービスなどの従来のサービスが存在し、動画サービスまたは高解像度画像サービスなどの大容量データのサービスも存在する。伝送の速さの面からみると、低速サービスが存在し、高速サービスも存在する。異なるサービスは、周波数領域リソースの帯域幅に対して異なる要求を有する。例えば、ユーザが、コストを低減するために比較的低い帯域幅要求を有する場合、比較的低い処理性能を有する端末デバイスが存在し得る（例えば、端末デバイスは、比較的低い帯域幅を有する周波数領域リソース上のみで伝送を処理することができる）。その結果、比較的低い性能を有する端末デバイスは、先述の高帯域幅のシステムにおいて用いられることができない。
【０００５】
どのように高帯域幅の通信システムにおいて異なるユーザ要求を柔軟に満たすかが業界において早急に解決されたい問題となっている。
【発明の概要】
【０００６】
本発明の実施形態は、無線通信方法および装置を提供し、異なるユーザ要求を柔軟に満たす。
【０００７】
第１の態様によれば、無線通信方法が提供され、特定の帯域幅を有する周波数領域リソースを用いる通信システムに適用される。ここで、周波数領域リソースは、少なくとも２つの周波数領域リソースグループに区分され、各周波数領域リソースグループは、少なくとも１つのリソースブロックを含み、少なくとも２つの周波数領域リソースグループは、同じセルに属し、方法は、ネットワークデバイスが、少なくとも２つの周波数領域リソースグループから、ターゲット端末デバイスに割り当てられるべきターゲット周波数領域リソースグループを決定する段階であって、ターゲット周波数領域リソースグループは、少なくとも１つの周波数領域リソースグループを含む、段階と、ネットワークデバイスが、第１の指示情報をターゲット端末デバイスへ送信する段階であって、第１の指示情報は、ターゲット周波数領域リソースグループを示すために用いられる、段階と、ネットワークデバイスが、ターゲット周波数領域リソースグループを用いることによって、ターゲット端末デバイスと無線通信を行う段階とを備える。
【０００８】
第１の態様に関連して、第１の態様の第１の実装方式において、ターゲット周波数領域リソースグループは、少なくとも２つの周波数領域リソースグループを含み、ネットワークデバイスが、ターゲット周波数領域リソースグループを用いることによって、ターゲット端末デバイスと無線通信を行う段階は、ネットワークデバイスが、ターゲット周波数領域リソースグループを用いることによって、少なくとも２つのトランスポートブロックＴＢを、ターゲット端末デバイスへ伝送する段階であって、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる、段階を含む。
【０００９】
第１の態様および第１の態様の先述の実装方式に関連して、第１の態様の第２の実装方式において、ネットワークデバイスが、ターゲット周波数領域リソースグループを用いることによって、ターゲット端末デバイスと無線通信を行う段階は、ネットワークデバイスが、ターゲット周波数領域リソースグループを用いることによって、少なくとも３つのトランスポートブロックＴＢをターゲット端末デバイスへ伝送する段階を含み、ここで、ターゲット周波数領域リソースグループは、少なくとも２つの周波数領域リソースグループを含み、ターゲット周波数領域リソースにおける少なくとも１つの周波数領域リソースグループは、少なくとも２つのＴＢを保持するために用いられるか、または、ターゲット周波数領域リソースグループは、少なくとも３つの周波数領域リソースグループを含み、ターゲット周波数領域リソースグループにおける各周波数領域リソースグループは、少なくとも１つのＴＢを保持するために用いられる。
【００１０】
第１の態様および第１の態様の先述の実装方式に関連して、第１の態様の第３の実装方式において、ネットワークデバイスが、少なくとも２つの周波数領域リソースグループから、ターゲット端末デバイスに割り当てられるべきターゲット周波数領域リソースグループを決定する段階は、ネットワークデバイスが、ターゲット端末デバイスにより送信された端末能力情報を受信する段階であって、端末能力情報は、ターゲット端末デバイスにより処理され得る周波数領域リソースの最大幅を示すために用いられる、段階と、ネットワークデバイスが、端末能力情報に従って、少なくとも２つの周波数領域リソースグループから、ターゲット端末デバイスに割り当てられるべきターゲット周波数領域リソースグループを決定する段階とを含む。
【００１１】
第１の態様および第１の態様の先述の実装方式に関連して、第１の態様の第４の実装方式において、少なくとも２つの周波数領域リソースグループは、周波数領域リソースにおいて連続して分布される。
【００１２】
第１の態様および第１の態様の先述の実装方式に関連して、第１の態様の第５の実装方式において、少なくとも２つの周波数領域リソースグループは、一次周波数領域リソースグループおよび少なくとも１つの二次周波数領域リソースグループを含む。
【００１３】
第１の態様および第１の態様の先述の実装方式に関連して、第１の態様の第６の実装方式において、ネットワークデバイスが、第１の指示情報をターゲット端末デバイスへ送信する段階は、ネットワークデバイスが、一次周波数領域リソースグループを用いることによって、第１の指示情報をターゲット端末デバイスへ送信する段階を含む。
【００１４】
第１の態様および第１の態様の先述の実装方式に関連して、第１の態様の第７の実装方式において、制御チャネルが一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、ネットワークデバイスが、ターゲット周波数領域リソースグループを用いることによって、ターゲット端末デバイスと無線通信を行う段階は、ネットワークデバイスが、一次周波数領域リソースグループにおける制御チャネルを用いることによって、ターゲット周波数領域リソースグループのスケジューリング情報を、ターゲット端末デバイスへ送信する段階を含む。
【００１５】
第１の態様および第１の態様の先述の実装方式に関連して、第１の態様の第８の実装方式において、制御チャネルが各周波数領域リソースグループにおいて設定され、各制御チャネルは、当該制御チャネルが属する周波数領域リソースグループのスケジューリング情報を伝送するために用いられ、ネットワークデバイスが、ターゲット周波数領域リソースグループを用いることによって、ターゲット端末デバイスと無線通信を行う段階は、ネットワークデバイスが、ターゲット周波数領域リソースグループにおける制御チャネルを用いることによって、ターゲット周波数領域リソースグループのスケジューリング情報を、ターゲット端末デバイスへ送信する段階を含む。
【００１６】
第１の態様および第１の態様の先述の実装方式に関連して、第１の態様の第９の実装方式において、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、ターゲット端末デバイスにより送信された、ターゲット周波数領域リソースグループにおいて保持されているダウンリンク伝送のフィードバック情報を、一次周波数領域リソースグループにおけるアップリンクフィードバックチャネルを用いることによって、受信する段階を含む。
【００１７】
第１の態様および第１の態様の先述の実装方式に関連して、第１の態様の第１０の実装方式において、アップリンクフィードバックチャネルが各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、ターゲット端末デバイスにより送信された、ターゲット周波数領域リソースグループにおいて保持されているダウンリンク伝送のフィードバック情報を、ターゲット周波数領域リソースグループにおけるアップリンクフィードバックチャネルを用いることによって、受信する段階を含む。
【００１８】
第１の態様および第１の態様の先述の実装方式に関連して、第１の態様の第１１の実装方式において、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、一次周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信する段階を含む。
【００１９】
第１の態様および第１の態様の先述の実装方式に関連して、第１の態様の第１２の実装方式において、ダウンリンクフィードバックチャネルが各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、ネットワークデバイスが、ターゲット周波数領域リソースグループを用いることによって、ターゲット端末デバイスと無線通信を行う段階は、ネットワークデバイスが、ターゲット周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信する段階を含む。
【００２０】
第１の態様および第１の態様の先述の実装方式に関連して、第１の態様の第１３の実装方式において、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成され、ネットワークデバイスが、ターゲット周波数領域リソースグループを用いることによって、ターゲット端末デバイスと無線通信を行う段階は、ネットワークデバイスが、ターゲット周波数領域リソースグループに対応するＨＡＲＱエンティティを決定する段階と、ネットワークデバイスが、ターゲット周波数領域リソースグループに対応するＨＡＲＱエンティティに従って、ターゲット周波数領域リソースグループにおいて保持されている伝送に対してＨＡＲＱ処理を実行する段階とを含む。
【００２１】
第２の態様によれば、無線通信方法が提供され、特定の帯域幅を有する周波数領域リソースを用いる通信システムに適用され、ここで、周波数領域リソースは、少なくとも２つの周波数領域リソースグループに区分され、各周波数領域リソースグループは、少なくとも１つのリソースブロックを含み、少なくとも２つの周波数領域リソースグループが同じセルに属し、方法は、ターゲット端末デバイスが、ネットワークデバイスにより送信された第１の指示情報を受信する段階であって、第１の指示情報は、ターゲット周波数領域リソースグループを示すために用いられ、ターゲット周波数領域リソースグループは、ネットワークデバイスが、少なくとも２つの周波数領域リソースグループから決定され、ターゲット周波数領域リソースグループは、少なくとも１つの周波数領域リソースグループを含む、段階と、ターゲット端末デバイスが、ターゲット周波数領域リソースグループを用いることによって、ネットワークデバイスと無線通信を行う段階とを備える。
【００２２】
第２の態様に関連して、第２の態様の第１の実装方式において、ターゲット周波数領域リソースグループは、少なくとも２つの周波数領域リソースグループを含み、ターゲット端末デバイスが、ターゲット周波数領域リソースグループを用いることによって、ネットワークデバイスと無線通信を実行する段階は、ターゲット端末デバイスが、ターゲット周波数領域リソースグループを用いることによって、少なくとも２つのトランスポートブロックＴＢをネットワークデバイスへ伝送する段階を含み、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【００２３】
第２の態様および第２の態様の先述の実装方式に関連して、第２の態様の第２の実装方式において、ターゲット端末デバイスが、ターゲット周波数領域リソースグループを用いることによって、ネットワークデバイスと無線通信を行う段階は、ターゲット端末デバイスが、ターゲット周波数領域リソースグループを用いることによって、少なくとも３つのトランスポートブロックＴＢをネットワークデバイスへ伝送する段階を含み、ここで、ターゲット周波数領域リソースグループは、少なくとも２つの周波数領域リソースグループを含み、ターゲット周波数領域リソースにおける少なくとも１つの周波数領域リソースグループは、少なくとも２つのＴＢを保持するために用いられるか、または、ターゲット周波数領域リソースグループは、少なくとも３つの周波数領域リソースグループを含み、ターゲット周波数領域リソースグループにおける各周波数領域リソースグループが、少なくとも１つのＴＢを保持するために用いられる。
【００２４】
第２の態様および第２の態様の先述の実装方式に関連して、第２の態様の第３の実装方式において、方法はさらに、ターゲット端末デバイスが、端末能力情報をネットワークデバイスへ送信する段階を備え、ここで、端末能力情報は、ターゲット端末デバイスにより処理され得る周波数領域リソースの最大幅を示すために用いられ、これにより、ネットワークデバイスは、端末能力情報に従って、ターゲット周波数領域リソースグループを決定する。
【００２５】
第２の態様および第２の態様の先述の実装方式に関連して、第２の態様の第４の実装方式において、少なくとも２つの周波数領域リソースグループは、周波数領域リソースにおいて連続して分布される。
【００２６】
第２の態様および第２の態様の先述の実装方式に関連して、第２の態様の第５の実装方式において、少なくとも２つの周波数領域リソースグループは、一次周波数領域リソースグループおよび少なくとも１つの二次周波数領域リソースグループを含む。
【００２７】
第２の態様および第２の態様の先述の実装方式に関連して、第２の態様の第６の実装方式において、ターゲット端末デバイスが、ネットワークデバイスにより送信された第１の指示情報を受信する段階は、ターゲット端末デバイスが、一次周波数領域リソースグループを用いることによって、ネットワークデバイスにより送信された第１の指示情報を受信する段階を含む。
【００２８】
第２の態様および第２の態様の先述の実装方式に関連して、第２の態様の第７の実装方式において、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、一次周波数領域リソースグループにおける制御チャネルを用いることによって受信する段階を含む。
【００２９】
第２の態様および第２の態様の先述の実装方式に関連して、第２の態様の第８の実装方式において、制御チャネルが、各周波数領域リソースグループにおいて設定され、各制御チャネルは、当該制御チャネルが属する周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、ターゲット周波数領域リソースグループにおける制御チャネルを用いることによって受信する段階を含む。
【００３０】
第２の態様および第２の態様の先述の実装方式に関連して、第２の態様の第９の実装方式において、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、一次周波数領域リソースグループにおけるアップリンクフィードバックチャネルを用いることによって、ターゲット周波数領域リソースグループにおいて保持されているダウンリンク伝送のフィードバック情報をネットワークデバイスへ送信する段階を含む。
【００３１】
第２の態様および第２の態様の先述の実装方式に関連して、第２の態様の第１０の実装方式において、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ターゲット周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信する段階を含む。
【００３２】
第２の態様および第２の態様の先述の実装方式に関連して、第２の態様の第１１の実装方式において、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループにおいて保持されているアップリンク伝送のフィードバック情報を、一次周波数領域リソースグループにおけるダウンリンクフィードバックチャネルを用いることによって受信する段階を含む。
【００３３】
第２の態様および第２の態様の先述の実装方式に関連して、第２の態様の第１２の実装方式において、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループにおいて保持されているアップリンク伝送のフィードバック情報を、ターゲット周波数領域リソースグループにおけるダウンリンクフィードバックチャネルを用いることによって受信する段階を含む。
【００３４】
第３の態様によれば、無線通信装置が提供され、第１の態様における全ての段階と、第１の態様の全ての実装方式とを実行するように構成されるユニットを備える。
【００３５】
第４の態様によれば、無線通信装置が提供され、第２の態様における全ての段階と、第１の態様の全ての実装方式とを実行するように構成されるユニットを備える。
【００３６】
本発明の実施形態における無線通信方法および装置によれば、システムに提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから、端末デバイスに割り当てられてよく、これにより、端末デバイスの要求に基づき、対応する周波数領域リソースを端末デバイスに提供することができる。従って、異なるユーザ要求が柔軟に満たされ得る。
【図面の簡単な説明】
【００３７】
【図１】本発明の実施形態に係る周波数領域リソースの区分方式の一例の模式図である。
【００３８】
【図２】本発明の実施形態に係るＨＡＲＱエンティティの設定方式の一例の模式図である。
【００３９】
【図３】本発明の実施形態に係る制御チャネルの設定方式の一例の模式図である。
【００４０】
【図４】本発明の実施形態に係るアップリンクフィードバックチャネルの設定方式の一例の模式図である。
【００４１】
【図５】本発明の実施形態に係るダウンリンクフィードバックチャネルの設定方式の例の模式図である。
【００４２】
【図６】本発明の実施形態に係る制御チャネルの設定方式の別の例の模式図である。
【００４３】
【図７】本発明の実施形態に係るアップリンクフィードバックの設定方式の別の例の模式図である。
【００４４】
【図８】本発明の実施形態に係るダウンリンクフィードバックの設定方式の別の例の模式図である。
【００４５】
【図９】本発明の実施形態に係る無線通信方法の模式的フローチャートである。
【００４６】
【図１０】本発明の実施形態に係るＴＢマッピング方式の一例の模式的フローチャートである。
【００４７】
【図１１】本発明の別の実施形態に係る無線通信方法の模式的フローチャートである。
【００４８】
【図１２】本発明の実施形態に係る無線通信装置の模式的ブロック図である。
【００４９】
【図１３】本発明の別の実施形態に係る無線通信装置の模式的ブロック図である。
【００５０】
【図１４】本発明の実施形態に係る無線通信デバイスの模式的構造図である。
【００５１】
【図１５】本発明の別の実施形態に係る無線通信デバイスの模式的構造図である。
【発明を実施するための形態】
【００５２】
以下では、本発明の実施形態の添付図面を参照して、本発明の実施形態における技術的解決手段を明確にかつ十分に説明する。
【００５３】
本明細書において用いられる「コンポーネント」、「モジュール」、および「システム」などの用語は、コンピュータ関連エンティティ、ハードウェア、ファームウェア、ハードウェアおよびソフトウェアの組み合わせ、ソフトウェア、または実行されているソフトウェアを示すために用いられる。例えば、コンポーネントは、プロセッサ上で実行されるプロセス、プロセッサ、対象物、実行可能なファイル、実行スレッド、プログラム、および／またはコンピュータであり得るが、これらに限定されない。コンピューティングデバイス、およびコンピューティングデバイス上で作動するアプリケーションが両方、コンポーネントであってよい。１つ又は複数のコンポーネントは、プロセスおよび／または実行スレッド内に存在してよく、コンポーネントは、１つのコンピュータ上に位置してよく、および／または、２つまたはそれより多いコンピュータの間で分布されてよい。加えて、これらのコンポーネントは、様々なデータ構造を記憶する様々なコンピュータ可読媒体から実行されてよい。例えば、コンポーネントは、ローカルプロセスおよび／またはリモートプロセスを用いることによって、かつ、（例えば、ローカルシステム、分散型システムにおける、および／または、信号を用いて別のシステムとインタラクションする、インターネットなどのネットワークにわたる別のコンポーネントとインタラクションする１つのコンポーネントからのデータのような）１つ又は複数のデータパケットを有する信号に従って、通信を行ってよい。
【００５４】
本発明の実施形態において、コンピュータは、ハードウェアレイヤと、ハードウェアレイヤの上方で実行されるオペレーティングシステムレイヤと、オペレーティングシステムレイヤの上方で実行されるアプリケーションレイヤとを含む。ハードウェアレイヤは、ＣＰＵ、メモリ管理ユニット（ＭＭＵ）、および（記憶装置とも称される）メモリなどのハードウェアを含む。オペレーティングシステムは、例えば、Ｌｉｎｕｘ（登録商標）システム、Ｕｎｉｘ（登録商標）システム、Ａｎｄｒｏｉｄ（登録商標）システム、ｉＯＳ（登録商標）システム、またはＷｉｎｄｏｗｓ（登録商標）システムなどの、プロセスを用いることによってサービス処理を実装する任意の１つ又は複数のコンピュータオペレーティングシステムであってよい。本発明において、このことは具体的に限定されない。アプリケーションレイヤは、ブラウザ、住所録、ワード処理ソフトウェア、およびインスタントメッセージングソフトウェアなどのアプリケーションを含む。上に列挙されたコンピュータデバイスは単に、説明のための例であることが、理解されるべきである。本発明において、このことは具体的に限定されない。
【００５５】
本発明の実施形態における解決手段は、例えば、グローバルシステムフォーモバイルコミュニケーションズ（ＧＳＭ（登録商標））、広帯域符号分割多重接続（ＷＣＤＭＡ（登録商標））システム、ロングタームエボリューション（ＬＴＥ）システム、または符号分割多重接続（ＣＤＭＡ）システムなどの既存のセルラ通信システムに適用されてよく、サポートされる通信は主に、音声およびデータのための通信である。概して、従来の基地局によりサポートされた接続の数量が限定されており、容易に実装される。
【００５６】
任意選択的に、ネットワークデバイスは、基地局であり、端末デバイスは、ユーザ機器である。
【００５７】
本発明の実施形態は、端末デバイスに関連して説明される。端末デバイスは、ユーザ機器（ＵＥ）、アクセス端末、加入者ユニット、加入者局、移動局、モバイルコンソール、遠隔局、遠隔端末、モバイルデバイス、ユーザ端末、端末、無線通信デバイス、ユーザエージェント、ユーザ装置、または同様のものとも称されてよい。端末デバイスは、無線ローカルエリアネットワーク（ＷＬＡＮ）におけるステーション（ＳＴ）であってよく、または、セルラ電話、コードレス電話、セッション開始プロトコル（ＳＩＰ）電話、無線ローカルループ（ＷＬＬ）ステーション、パーソナルデジタルアシスタント（ＰＤＡ）、無線通信機能を有するハンドヘルドデバイス、コンピューティングデバイス、無線モデムに接続された別の処理デバイス、車載デバイス、ウェアラブルデバイス、または将来の５Ｇネットワークにおける端末デバイスであってよい。
【００５８】
加えて、本発明の実施形態は、ネットワークデバイスに関連して説明される。ネットワークデバイスは、モバイルデバイスと通信するように構成されるデバイスであってよい。ネットワークデバイスは、ＷＬＡＮにおけるアクセスポイント（ＡＰ）、またはＧＳＭ（登録商標）またはＣＤＭＡにおけるベーストランシーバステーション（ＢＴＳ）であってよく、または、ＷＣＤＭＡ（登録商標）におけるノードＢ（ＮＢ）であってよく、または、ＬＴＥにおける進化型ＮｏｄｅＢ（ｅＮＢまたはｅＮｏｄｅＢ）、リレーノードまたはアクセスポイント、車載デバイス、ウェアラブルデバイス、または将来の５Ｇネットワークにおけるネットワークデバイスであってよい。
【００５９】
加えて、本発明の実施形態における態様または特徴は、方法、装置、または標準プログラミングおよび／またはエンジニアリング技術を用いる製品として実装されてよい。本出願において用いられる「製品」という用語は、任意のコンピュータ可読コンポーネント、キャリア、または媒体からアクセスされ得るコンピュータプログラムを含む。例えば、コンピュータ可読媒体は、（ハードディスク、フロッピー（登録商標）ディスク、または磁気テープなどの）磁気記憶装置コンポーネント、コンパクトディスク（ＣＤ）またはデジタルバーサタイルディスク（ＤＶＤ）などの光ディスク、スマートカード、消去可能プログラマブルリードオンリメモリ（ＥＰＲＯＭ）などのフラッシュメモリコンポーネントを含んでよいが、これらに限定されない。加えて、本明細書において説明されている様々な記憶媒体は、１つ又は複数のデバイスおよび／または情報を記憶するために用いられる他の機械可読媒体を示してよい。「機械可読媒体」という用語は、無線チャネル、および、命令および／またはデータを記憶、含有および／または保持する様々な他の媒体を含んでよいが、これらに限定されない。
【００６０】
本発明の実施形態において、通信システムにより用いられる周波数領域リソースは、ネットワークデバイスにより用いられ、特定の帯域幅を有するキャリアに対応するスペクトルリソースであってよい。キャリアは、複数のサブキャリア（Ｓｕｂ−ｃａｒｒｉｅｒ）を含んでよく、または、キャリアは、複数のリソースブロック（ＲＢ）を含んでよい。
【００６１】
加えて、本発明の実施形態において、周波数領域リソースの帯域幅は、システム要求またはプロトコル規則に従ってランダムに設定されてよい。本発明において、このことは具体的に限定されない。例えば、周波数領域リソースの帯域幅は、２０ＭＨｚまたは１００ＭＨｚであってよい。
【００６２】
図１は、本発明の実施形態に係る周波数領域リソースの区分方式の一例の模式図を示す。図１において示されているように、周波数領域リソース（すなわち、キャリアに対応するスペクトルリソース）は、Ｎ個の周波数領域リソースグループ（または、「ワイドサブバンド」と称されてよい）、すなわち、図１において示されている周波数領域リソースグループ＃０から周波数領域リソースグループ＃Ｎ−１に区分されてよく、Ｎ≧２である。
【００６３】
各周波数領域リソースグループは、ＲＢを含むか、または、各周波数領域リソースグループは、少なくとも２つのサブキャリアを含む。
【００６４】
本発明のこの実施形態において、全てのＮ個の周波数領域リソースグループの帯域幅（または、全てのＮ個の周波数領域リソースグループにより含まれるサブキャリアまたはＲＢの数量）は、同じまたは異なってよいことに留意すべきである。本発明において、このことは具体的に限定されない。
【００６５】
任意選択的に、少なくとも２つの周波数領域リソースグループは、周波数領域リソースにおいて連続して分布される。
【００６６】
具体的には、本発明のこの実施形態において、任意の２つの隣接する周波数領域リソースグループは、連続して設定されてよく、または、任意の２つの隣接する周波数領域リソースグループの間にガードインターバルが設定されなくてよい。従って、帯域幅利用率を向上させることができる。
【００６７】
上に列挙された、周波数領域リソースグループの間の設定関係は単に、説明のための例であることは、理解されるべきである。本発明において、このことは限定されない。例えば、ガードインターバルが、Ｎ個の周波数領域リソースグループの一部または全てにおいて、２つの隣接する周波数領域リソースグループの間に設定されてよい。
【００６８】
任意選択的に、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成される。
【００６９】
具体的には、図２において示されているように、本発明のこの実施形態において、Ｎ個のハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）エンティティは、ネットワークデバイスにおいて設定されてよく、Ｎ個のＨＡＲＱエンティティは、Ｎ個の周波数領域リソースグループと１対１の対応関係にあり、すなわち、各ＨＡＲＱエンティティは、対応する周波数領域リソースグループにおいて保持されている（アップリンク伝送およびダウンリンク伝送を含む）伝送のみに対してフィードバック処理を実行するように構成される。従って、１つのＨＡＲＱエンティティが複数の周波数領域リソースグループに対してフィードバック処理を処理するように構成されたことに起因して引き起こされる伝送エラーを回避することができ、本発明のこの実施形態の実行可能性をさらに向上させることができる。
【００７０】
本発明のこの実施形態において、Ｎ個の周波数領域リソースグループは、一次−二次方式（すなわち、設定方式１）で設定されてよく、または、Ｎ個の周波数領域リソースグループは、独立して設定されてよい（すなわち、設定方式２）。以下では、２つの設定方式を個別に詳細に説明する。
【００７１】
［設定方式１］
任意選択的に、少なくとも２つの周波数領域リソースグループは、一次周波数領域リソースグループおよび少なくとも１つの二次周波数領域リソースグループを含む。
【００７２】
具体的には、Ｎ個の周波数領域リソースグループが同じキャリアに対応するスペクトルリソースに属するので、Ｎ個の周波数領域リソースグループは、同じセルに属してよく、または、Ｎ個の周波数領域リソースグループに対応するセルのセル設定が同じであってよい。
【００７３】
従って、本発明のこの実施形態において、Ｎ個の周波数領域リソースグループのうち１つ（または複数）は、一次周波数領域リソースグループ、例えば、図１において示されている周波数領域リソースグループ＃０として設定されてよい。
【００７４】
加えて、別の周波数領域リソースグループは、二次周波数領域リソースグループとして用いられてよい。
【００７５】
本発明のこの実施形態において、一次周波数領域リソースグループは、プロトコルにより特定されてよく、または、ネットワークデバイスおよび（ターゲット端末デバイスを含む）端末デバイスにより、ネゴシエーションを用いて決定されてよいことに留意すべきである。本発明において、このことは具体的に限定されない。
【００７６】
加えて、本発明のこの実施形態において、一次周波数領域リソースグループは、ネットワークデバイスに最初にアクセスするために端末デバイスにより用いられる周波数領域リソースとして用いられてよい。
【００７７】
すなわち、ネットワークデバイスは、マスタ情報ブロック（ＭＩＢ、Ｍａｓｔｅｒ  Ｉｎｆｏｒｍａｔｉｏｎ  Ｂｌｏｃｋ）などのシステム情報を伝送するために用いられる予め設定された時間−周波数リソースを用いることによって、一次周波数領域リソースグループの指示情報、例えば、一次周波数領域リソースグループのシーケンス番号、または周波数領域リソースにおける一次周波数領域リソースグループの位置などの情報を、端末デバイスへ送ってよい。従って、端末デバイスは、一次周波数領域リソースグループを決定し、一次周波数領域リソースグループを用いることによってアクセス処理を実行してよい。
【００７８】
加えて、アクセスが実行された後に、ネットワークデバイスはさらに、例えば、端末デバイスの処理能力（すなわち、端末デバイスにより処理できるスペクトルリソースの幅）に従って、別の周波数領域リソースグループを端末デバイスに割り当ててよい。例えば、比較的低い処理能力を有する端末デバイスは、一次周波数領域リソースグループのみを用いることによって、通信を行い得て、比較的高い処理能力を有する端末デバイスは、一次周波数領域リソースグループおよび１つ又は複数の二次周波数領域リソースグループを用いることによって、通信を行い得る。
【００７９】
あるいは、アクセスが実行された後に、ネットワークデバイスはさらに、例えば、端末デバイスが訪問したサービスのサービスタイプ（または、サービスの帯域幅要求）に従って、別の周波数領域リソースグループを端末デバイスに割り当ててよい。例えば、端末デバイスが、比較的高い帯域幅要求を有するサービスを訪問する場合、端末デバイスは、一次周波数領域リソースグループのみを用いて、通信を行ってよい。端末デバイスが、比較的低い帯域幅要求を有するサービスを訪問する場合、端末デバイスは、一次周波数領域リソースグループおよび１つ又は複数の二次周波数領域リソースグループを用いることによって、通信を行ってよい。
【００８０】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられる。
【００８１】
具体的には、図３において示されているように、制御チャネルは、（例えば、周波数領域リソースグループ＃１から周波数領域リソースグループ＃Ｎ−1を含み得る）二次周波数領域リソースグループの代わりに、周波数領域リソースグループ＃０（すなわち、一次周波数領域リソースグループの例）のみにおいて設定されてよい。加えて、全ての第２の周波数領域リソースグループのダウンリンク制御情報（ＤＣＩ、Ｄｏｗｎｌｉｎｋ  Ｃｏｎｔｒｏｌ  Ｉｎｆｏｒｍａｔｉｏｎ）などの制御情報は、周波数領域リソースグループ＃０における制御チャネル上で伝送されてよい。
【００８２】
限定ではなく、例として、複数の端末デバイスの制御情報が、一次周波数領域リソースグループにおける制御チャネルを用いることによって、１つのスケジューリング期間において伝送される必要がある場合、複数の端末デバイスの制御情報は、符号分割多重化方式、時間分割多重化方式、周波数分割多重化方式、または同様の方式で、一次周波数領域リソースグループにおいて制御チャネルを共有してよい。
【００８３】
加えて、本発明のこの実施形態において、（例えば、一次周波数領域リソースグループおよび少なくとも１つの二次周波数領域リソースグループを含み得る）複数の周波数領域リソースグループが１つの端末デバイスに割り当てられる必要がある場合、以下の場合が存在する。
【００８４】
例えば、端末デバイスに割り当てられる各周波数領域リソースグループは、独立したＤＣＩを有してよく、各ＤＣＩは、ＤＣＩを用いることによってスケジューリングされた周波数領域リソースグループを示すために用いられる周波数領域リソースグループ指示情報（または、周波数領域リソースグループインジケータフィールド）を含んでよい。加えて、各ＤＣＩは、周波数領域リソースグループにおいて保持されているＴＢの数量を示すために用いられるＴＢ指示情報（またはＴＢフィールド）を含んでよい。加えて、各ＤＣＩは、周波数領域リソースグループにおける、各ＴＢがマッピングされた具体的なリソースブロックを示すために用いられるリソースブロック指示情報（すなわち、リソースブロックインジケータフィールド）を含んでよい。ここで、各周波数領域リソースグループにおいて保持されている全てのＴＢは、周波数領域リソースグループにおける同じリソースブロックにおいて保持されてよく、または、各周波数領域リソースグループにおいて保持されている全てのＴＢは、周波数領域リソースグループにおける異なるリソースブロックにおいて個別に保持されてよい。本発明において、このことは具体的に限定されない。
【００８５】
あるいは、端末デバイスに割り当てられる全ての周波数領域リソースグループは、同じＤＣＩを共有してよく、すなわち、任意選択的に、ターゲット周波数領域リソースグループは、少なくとも２つの周波数領域リソースグループを含む。ネットワークデバイスが、ターゲット周波数領域リソースグループを用いることによって、ターゲット端末デバイスと無線通信を行う段階は、１つのスケジューリング情報を用いることによって、ターゲット周波数領域リソースグループにおける全ての周波数領域リソースグループに対してリソーススケジューリングを実行する段階を含む。
【００８６】
一実装方式において、全ての周波数領域リソースグループは、同じリソース割り当て方式を有してよく（例えば、全ての周波数領域リソースグループは、同じ数量のＴＢを保持し、ＴＢを保持するために用いられる、全ての周波数領域リソースグループにあるリソースブロックも、同じ位置を有する）、これにより、全ての周波数領域リソースグループのリソース割り当て方式（または、スケジューリング方式）は、１つのＤＣＩを用いることによって示される。
【００８７】
すなわち、任意選択的に、スケジューリング情報は、ターゲット周波数領域リソースグループに含まれる周波数領域リソースグループを示すために用いられる指示情報を含む。
【００８８】
具体的には、ビットマップ（Ｂｉｔｍａｐ）などの、現在のセルの全ての周波数領域リソースグループにおける、ターゲット端末デバイスに割り当てられるべき周波数領域リソースグループを示すために用いられる指示情報は、ＤＣＩにおいて設定され得て、これにより、ターゲット端末デバイスは、ＤＣＩにおいて保持されているビットマップに従って、ビットマップにより示された周波数領域リソースグループは、情報を伝送するために用いられることができることを決定する。
【００８９】
あるいは、周波数領域リソースグループ識別子は、セルにおける各周波数領域リソースグループに割り当てられ得て、これにより、１つの周波数領域リソースグループ識別子は、セルにおける１つの周波数領域リソースグループを一意に示すことができる。従って、現在のセルにおける、ターゲット端末デバイスに割り当てられる周波数領域リソースグループの周波数領域リソースグループ識別子は、ＤＣＩにおいて保持され得て、これにより、ターゲット端末デバイスは、ＤＣＩにおいて保持されている周波数領域リソースグループ識別子に従って、周波数領域リソースグループ識別子により示される周波数領域リソースグループが情報を伝送するために用いられることができると決定する。
【００９０】
別の実装方式において、ＤＣＩは、複数の情報フラグメントを含んでよく、各情報フラグメントは、対応する周波数領域リソースグループのリソース割り当て方式を示すために用いられる。例えば、１つの端末デバイスに割り当てられるターゲット周波数領域リソースグループが、Ｍ個（Ｎ≧Ｍ≧２）の周波数領域リソースグループ（例えば、周波数領域リソースグループ＃１から周波数領域リソースグループ＃Ｍ）を含む場合、ＤＣＩは、Ｍ個の情報フラグメント（例えば、情報フラグメント＃１から情報フラグメント＃Ｍ）を含む。情報フラグメント＃１は、周波数領域リソースグループ＃１のリソース割り当て方式を示すために用いられる。例えば、情報フラグメント＃１は、周波数領域リソースグループ＃１の識別子、周波数領域リソースグループ＃１において保持されているＴＢの数量、およびＴＢを保持するために用いられる、周波数領域リソースグループ＃１におけるリソースブロックの位置を含んでよい。同様に、情報フラグメント＃Ｍは、周波数領域リソースグループ＃Ｍのリソース割り当て方式を示すために用いられる。例えば、情報フラグメント＃Ｍは、周波数領域リソースグループ＃Ｍの識別子、周波数領域リソースグループ＃Ｍにおいて保持されているＴＢの数量、およびＴＢを保持するために用いられる、周波数領域リソースグループ＃Ｍにおけるリソースブロックの位置を含んでよい。
【００９１】
すなわち、任意選択的に、スケジューリング情報は、少なくとも２つの情報フラグメントを含み、少なくとも２つの情報フラグメントは、ターゲット周波数領域リソースグループに含まれる少なくとも２つの周波数領域リソースグループと１対１の対応関係にあり、各情報フラグメントは、対応する周波数領域リソースグループのリソース割り当て方式を示すために用いられる。
【００９２】
加えて、限定ではなく、例として、集中制御チャネルは、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、拡張物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、または同様のものであってよい。本発明において、このことは具体的に限定されない。
【００９３】
制御チャネルは、一次周波数領域リソースグループのみにおいて設定され、制御チャネルを用いることによって、（一次周波数領域リソースグループおよび二次周波数領域リソースグループを含む）全ての周波数領域リソースグループのスケジューリング情報が伝送され、これにより、制御チャネルのリソースオーバヘッドを低減することができ、通信システムのデータスループットを向上させることができる。
【００９４】
任意選択的に、アップリンクフィードバックチャネルが一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられる。
【００９５】
具体的には、図４において示されているように、アップリンクフィードバックチャネルは、二次周波数領域リソースグループ（周波数領域リソースグループ＃１から周波数領域リソースグループ＃Ｎ−１など）の代わりに、一次周波数領域リソースグループ（周波数領域リソースグループ＃０など）において設定されてよく、全ての二次周波数領域リソースグループにおいて保持されているダウンリンク伝送のフィードバック情報は、集中アップリンクフィードバックチャネル上で伝送される。
【００９６】
加えて、限定ではなく、例として、集中アップリンクフィードバックチャネルは、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）または同様のものであってよい。本発明において、このことは具体的に限定されない。
【００９７】
アップリンクフィードバックチャネルは、一次周波数領域リソースグループのみにおいて設定され、（一次周波数領域リソースグループおよび二次周波数領域リソースグループを含む）全ての周波数領域リソースグループのアップリンクフィードバック情報は、アップリンクフィードバックチャネルを用いることによって伝送され、これにより、アップリンクフィードバックチャネルのリソースオーバヘッドを低減することができ、通信システムのデータスループットを向上させることができる。
【００９８】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられる。
【００９９】
具体的には、図５において示されているように、ダウンリンクフィードバックチャネルは、二次周波数領域リソースグループ（周波数領域リソースグループ＃１から周波数領域リソースグループ＃Ｎ−１など）の代わりに、一次周波数領域リソースグループ（周波数領域リソースグループ＃０など）において設定され、全ての二次周波数領域リソースグループにおいて保持されているアップリンク伝送のフィードバック情報は、集中ダウンリンクフィードバックチャネル上で伝送される。
【０１００】
加えて、限定ではなく例として、集中ダウンリンクフィードバックチャネルは、物理ハイブリッド自動再送要求インジケータチャネル（ＰＨＩＣＨ、Ｐｈｙｓｉｃａｌ  Ｈｙｂｒｉｄ  ＡＲＱ  Ｉｎｄｉｃａｔｏｒ  Ｃｈａｎｎｅｌ）、または同様のものであってよい。本発明において、このことは具体的に限定されない。
【０１０１】
ダウンリンクフィードバックチャネルは、一次周波数領域リソースグループのみにおいて設定され、ダウンリンクフィードバックチャネルを用いることによって、（一次周波数領域リソースグループおよび二次周波数領域リソースグループを含む）全ての周波数領域リソースグループのダウンリンクフィードバック情報が伝送され、これにより、ダウンリンクフィードバックチャネルのリソースオーバヘッドを低減することができ、通信システムのデータスループットを向上させることができる。
【０１０２】
設定方式１が用いられる場合、一次周波数領域リソースグループにおける各チャネルが、システムの、現在の通信期間において通信を行う必要がある全ての端末デバイスにより、検出され得ることに留意すべきである。
【０１０３】
［設定方式２］
任意選択的に、制御チャネルが各周波数領域リソースグループにおいて設定され、各制御チャネルは、当該制御チャネルが属する周波数領域リソースグループのスケジューリング情報を伝送するために用いられる。
【０１０４】
具体的には、図６において示されているように、制御チャネルは、全ての周波数領域リソースグループ（周波数領域リソースグループ＃０から周波数領域リソースグループ＃Ｎ−１など）において設定されてよく、各周波数領域リソースグループのダウンリンク制御情報（ＤＣＩ、Ｄｏｗｎｌｉｎｋ  Ｃｏｎｔｒｏｌ  Ｉｎｆｏｒｍａｔｉｏｎ）などの制御情報は、各周波数領域リソースグループにおける制御チャネル上で伝送される。
【０１０５】
加えて、限定ではなく、例として、制御チャネルは、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、拡張物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、または同様のものであってよい。本発明において、このことは具体的に限定されない。
【０１０６】
独立した制御チャネルが、各周波数領域リソースグループにおいて設定され、これにより、各周波数領域リソースグループにおける伝送を柔軟に制御することができ、本発明の実施形態における無線通信方法の柔軟性を向上させることができる。
【０１０７】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられる。
【０１０８】
具体的には、図７において示されているように、アップリンクフィードバックチャネルは、全ての周波数領域リソースグループ（周波数領域リソースグループ＃０から周波数領域リソースグループ＃Ｎ−１など）において設定され、各周波数領域リソースグループにおいて保持されているダウンリンク伝送のフィードバック情報は、各周波数領域リソースグループにおけるアップリンクフィードバックチャネル上で伝送される。
【０１０９】
加えて、限定ではなく、例として、アップリンクフィードバックチャネルは、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）、または同様のものであってよい。本発明において、このことは具体的に限定されない。
【０１１０】
独立したアップリンクフィードバックチャネルが、各周波数領域リソースグループにおいて設定され、これにより、フィードバックを各周波数領域リソースグループに対して柔軟に実行することができ、本発明の実施形態における無線通信方法の柔軟性を向上させることができる。
【０１１１】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられる。
【０１１２】
具体的には、図８において示されているように、ダウンリンクフィードバックチャネルは、全ての周波数領域リソースグループ（周波数領域リソースグループ＃０から周波数領域リソースグループ＃Ｎ−１など）において設定され得て、各周波数領域リソースグループにおいて保持されているアップリンク伝送のフィードバック情報は、各周波数領域リソースグループにおけるダウンリンクフィードバックチャネル上で伝送される。
【０１１３】
加えて、限定ではなく、例として、ダウンリンクフィードバックチャネルは、物理ハイブリッド自動再送要求インジケータチャネル（ＰＨＩＣＨ）または同様のものであってよい。本発明において、このことは具体的に限定されない。
【０１１４】
独立したダウンリンクフィードバックチャネルが、各周波数領域リソースグループにおいて設定され、これにより、フィードバックを各周波数領域リソースグループに対して柔軟に実行することができ、本発明の実施形態における無線通信方法の柔軟性を向上させることができる。
【０１１５】
本発明のこの実施形態において、各周波数領域リソースグループにおける各チャネルは、周波数領域リソースグループが割り当てられた端末デバイスのみにより検出され得ることに留意すべきである。
【０１１６】
上に列挙された設定方式１および設定方式２は、個別に用いられてよく、または共に用いられてよいことが、理解されるべきである。本発明において、このことは具体的に限定されない。例えば、制御情報は、端末デバイスに割り当てられた二次周波数領域リソースグループを端末デバイスに通知するために、一次周波数領域リソースグループにおいて設定された制御チャネルを用いることによって伝送されてよく、各二次周波数領域リソースグループの制御情報は、各二次周波数領域リソースグループにおいて設定された制御チャネルを用いることによって伝送される。
【０１１７】
先述において、図１から図８を参照して、本発明のこの実施形態における周波数領域リソースの区分方式を詳細に説明している。以下では、図９から図１１を参照して、本発明の実施形態における無線通信方法を詳細に説明する。
【０１１８】
図９は、本発明の実施形態に係るネットワークデバイスの視点から説明される無線通信方法１００の模式的フローチャートを示す。方法１００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図９に示されているように、方法１００は、以下の段階を備える。
【０１１９】
Ｓ１１０．ネットワークデバイスが、少なくとも２つの周波数領域リソースグループから、ターゲット端末デバイスに割り当てられるべきターゲット周波数領域リソースグループを決定し、ここで、ターゲット周波数領域リソースグループは、少なくとも１つの周波数領域リソースグループを含む。
【０１２０】
Ｓ１２０．ネットワークデバイスは、第１の指示情報をターゲット端末デバイスへ送信し、ここで、第１の指示情報は、ターゲット周波数領域リソースグループを示すために用いられる。
【０１２１】
Ｓ１３０．ネットワークデバイスは、ターゲット周波数領域リソースグループを用いることによって、ターゲット端末デバイスと無線通信を行う。
【０１２２】
具体的には、端末デバイス＃Ａ（すなわち、ターゲット端末デバイスの一例）がネットワークデバイスと無線通信を行う必要がある場合、ネットワークデバイスは、ターゲット周波数領域リソースグループを、端末デバイス＃Ａに割り当ててよい。加えて、本発明のこの実施形態において、ターゲット周波数領域リソースグループは、区分を用いて得られたＭ個の周波数領域リソースグループを含んでよく、Ｍ≦Ｎである。
【０１２３】
限定ではなく、例として、区分を用いて得られたＮ個の周波数領域リソースグループが、一次周波数領域リソースグループを含む場合、ネットワークデバイスは、システム情報（ＭＩＢメッセージなど）を用いることによって、端末デバイス＃Ａに、一次周波数領域リソースグループの位置を通知し得る。
【０１２４】
あるいは、一次周波数領域リソースグループの位置が、プロトコルにより特定され得る。
【０１２５】
従って、端末デバイスは、一次周波数領域リソースグループを用いることによって、アクセス処理を実行することができる。
【０１２６】
上に列挙されたアクセス処理方法は単に、説明のための例であることが理解されるべきである。本発明において、このことは、限定されない。例えば、端末デバイスおよびネットワークデバイスはさらに、プロトコルにより特定された、予め設定された時間−周波数リソースに従って、アクセス処理を実行してよい。
【０１２７】
任意選択的に、ネットワークデバイスが、少なくとも２つの周波数領域リソースグループから、ターゲット端末デバイスに割り当てられるべきターゲット周波数領域リソースグループを決定する段階は、ネットワークデバイスが、ターゲット端末デバイスにより送信された端末能力情報を受信する段階であって、端末能力情報は、ターゲット端末デバイスにより処理され得る周波数領域リソースの最大幅を示すために用いられる、段階と、ネットワークデバイスが、端末能力情報に従って、少なくとも２つの周波数領域リソースグループから、ターゲット端末デバイスに割り当てられるべきターゲット周波数領域リソースグループを決定する段階とを含む。
【０１２８】
具体的には、端末デバイス＃Ａは、例えば、一次周波数領域リソースグループにおける時間−周波数リソースを用いることによって、端末能力情報をネットワークデバイスへ送信し得る。本発明のこの実施形態において、端末能力情報は、端末デバイス＃Ａにより処理され得る帯域幅を示してよい。従って、ネットワークデバイスは、端末能力情報に基づき、ターゲット周波数領域リソースグループを端末デバイス＃Ａへ割り当て得る。
【０１２９】
例えば、端末デバイス＃Ａが比較的低い帯域幅を処理できる場合、比較的小さい数量（例えば１つ）の周波数領域リソースグループのみが、端末デバイス＃Ａに割り当てられ得て、ターゲット周波数領域リソースグループとして用いられ得る。この場合、限定ではなく、例として、一次周波数領域リソースグループは、ターゲット周波数領域リソースグループとして用いられてよい。
【０１３０】
別の例において、端末デバイス＃Ａが比較的高い帯域幅を処理できる場合、複数の周波数領域リソースグループが端末デバイス＃Ａに割り当てられ得て、ターゲット周波数領域リソースグループとして用いられ得る。
【０１３１】
任意選択的に、ネットワークデバイスは、少なくとも２つの周波数領域リソースグループから、ターゲット端末デバイスに割り当てられるべきターゲット周波数領域リソースグループを決定する段階は、ネットワークデバイスが、ターゲット端末デバイスにより送信されたサービスタイプ情報を受信する段階であって、サービスタイプ情報は、ターゲット端末デバイスが訪問したサービスに必要とされる周波数領域リソースの最大幅を示すために用いられる、段階と、ネットワークデバイスが、サービスタイプ情報に従って、少なくとも２つの周波数領域リソースグループから、ターゲット端末デバイスに割り当てられるべきターゲット周波数領域リソースグループを決定する段階とを含む。
【０１３２】
具体的には、端末デバイス＃Ａは、例えば、一次周波数領域リソースグループにおける時間−周波数リソースを用いることによって、サービスタイプ情報をネットワークデバイスへ送信してよい。本発明のこの実施形態において、サービスタイプ情報は、端末デバイス＃Ａが訪問したサービスに必要とされる帯域幅を示し得る。従って、ネットワークデバイスは、サービスタイプ情報に基づき、ターゲット周波数領域リソースグループを端末デバイス＃Ａに割り当てることができる。
【０１３３】
例えば、端末デバイス＃Ａが訪問したサービスが、音声サービスまたはショートメッセージサービスなどの従来のサービスである場合、サービスは、比較的低い帯域幅要求を有し、比較的小さい数量（例えば、１つ）の周波数領域リソースグループのみが、端末デバイス＃Ａに割り当てられ得て、ターゲット周波数領域リソースグループとして用いられ得る。この場合、限定ではなく、例として、一次周波数領域リソースグループは、ターゲット周波数領域リソースグループとして用いられてよい。
【０１３４】
例えば、端末デバイス＃Ａが訪問したサービスが、動画サービスまたは高解像度の画像サービスなどの大容量データのサービスである場合、複数の周波数領域リソースグループが、端末デバイス＃Ａに割り当てられ得て、ターゲット周波数領域リソースグループとして用いられ得る。
【０１３５】
ターゲット周波数領域リソースグループの先述の割り当て処理は、先述のアクセスプロセスにおいて実行されてよく、または、アクセスプロセスが完了した後に実行されてよいことが理解されるべきである。本発明において、このことは具体的に限定されない。
【０１３６】
続いて、ネットワークデバイスは、割り当てられたターゲット周波数領域リソースグループの指示情報（すなわち、第１の指示情報）をターゲット端末デバイスへ送信してよい。
【０１３７】
任意選択的に、ネットワークデバイスが第１の指示情報をターゲット端末デバイスへ送信する段階は、ネットワークデバイスが、一次周波数領域リソースグループを用いることによって、第１の指示情報をターゲット端末デバイスへ送信する段階を含む。
【０１３８】
具体的には、区分を用いて得られたＮ個の周波数領域リソースグループが、一次周波数領域リソースグループを含む場合、ネットワークデバイスは、一次周波数領域リソースグループ（例えば、一次周波数領域リソースグループにおける集中制御チャネル）を用いることによって、ターゲット周波数領域リソースグループの指示情報を、端末デバイス＃Ａへ送信してよい。
【０１３９】
上に列挙された、ターゲット周波数領域リソースグループの指示情報の送信方式は単に、説明のための例であることが理解されるべきである。本発明において、このことは限定されない。例えば、ターゲット周波数領域リソースグループの指示情報はさらに、ＭＩＢメッセージまたは同様のものを用いることによって、端末デバイス＃Ａへ送信されてよい。
【０１４０】
ネットワークデバイスおよび端末デバイス＃Ａがネゴシエーションを用いてターゲット周波数領域リソースグループを決定した後に、ネットワークデバイスおよび端末デバイス＃Ａは、ターゲット周波数領域リソースグループを用いることによって、無線通信を行うことができる。
【０１４１】
本発明のこの実施形態において、ネットワークデバイスは、ターゲット周波数領域リソースグループにおける独立した制御チャネルを用いることによって、または、一次周波数領域リソースグループにおける集中制御チャネルを用いることによって、スケジューリング情報を端末デバイス＃Ａへ送信してよい。加えて、端末デバイス＃Ａは、ターゲット周波数領域リソースグループを用いることによって、スケジューリング情報に従って、データを伝送してよい。
【０１４２】
例えば、ダウンリンク伝送中に、ネットワークデバイスは、スケジューリング情報により示されたターゲット周波数領域リソースグループにおける一部または全ての時間−周波数リソースに、端末デバイス＃Ａへ送信される必要があるトランスポートブロック（ＴＢ、Ｔｒａｎｓｐｏｒｔ  Ｂｌｏｃｋ）をマッピングし得て、これにより、ターゲット周波数領域リソースグループを用いることによって、当該ＴＢを端末デバイス＃Ａへ送信し得る。
【０１４３】
別の例において、アップリンク伝送中に、端末デバイス＃Ａは、スケジューリング情報により示されたターゲット周波数領域リソースグループにおける一部または全ての時間−周波数リソースに、ネットワークデバイスへ送信される必要があるＴＢをマッピングし得て、これにより、ターゲット周波数領域リソースグループを用いることによって、当該ＴＢをネットワークデバイスへ送信し得る。
【０１４４】
以下では、ターゲット周波数領域リソースグループにおけるＴＢマッピング方式を詳細に説明する。
【０１４５】
本発明のこの実施形態において、少なくとも１つのＴＢが、各周波数領域リソースグループにマッピングされ得る。全ての周波数領域リソースグループにマッピングされたＴＢは、同じまたは異なってよい。本発明において、このことは具体的に限定されない。
【０１４６】
任意選択的に、ターゲット周波数領域リソースグループは、少なくとも２つの周波数領域リソースグループを含み、ネットワークデバイスが、ターゲット周波数領域リソースグループを用いることによって、ターゲット端末デバイスと無線通信を行う段階は、ネットワークデバイスが、ターゲット周波数領域リソースグループを用いることによって、少なくとも２つのトランスポートブロックＴＢを、ターゲット端末デバイスへ伝送する段階を含み、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０１４７】
具体的には、本発明のこの実施形態において、端末デバイス＃Ａが２つまたはそれより多いＴＢを伝送（例えば、送信または受信）する必要がある場合、これらのＴＢは、異なる周波数領域リソースグループにおいて個別に保持され（または異なる周波数領域リソースグループにマッピングされ）得る。
【０１４８】
例えば、ターゲット周波数領域リソースグループにおける各周波数領域リソースグループは、１つのＴＢを保持してよい。すなわち、端末デバイス＃ＡがＮ個のＴＢを伝送する必要がある場合、Ｎ個の周波数領域リソースグループ（例えば、周波数領域リソースグループ＃０から周波数領域リソースグループ＃Ｎ−１）が、端末デバイス＃Ａに割り当てられ得て、ターゲット周波数領域リソースグループとして用いられ得る。加えて、Ｎ個のＴＢは、Ｎ個の周波数領域リソースグループと１対１の対応関係にあり、すなわち、各周波数領域リソースグループは、対応するＴＢを保持する。
【０１４９】
あるいは、ターゲット周波数領域リソースグループにおける一部の周波数領域リソースグループはそれぞれ、１つのＴＢを保持してよく、他の周波数領域リソースグループはそれぞれ、２つ（または２つよりより多くの）ＴＢを保持してよい。
【０１５０】
任意選択的に、ネットワークデバイスが、ターゲット周波数領域リソースグループを用いることによってターゲット端末デバイスと無線通信を行う段階は、ネットワークデバイスが、ターゲット周波数領域リソースグループを用いることによって、少なくとも３つのトランスポートブロックＴＢをターゲット端末デバイスへ伝送する段階を含む。
【０１５１】
ターゲット周波数領域リソースグループは、少なくとも２つの周波数領域リソースグループを含み、ターゲット周波数領域リソースにおける少なくとも１つの周波数領域リソースグループは、少なくとも２つのＴＢを保持するために用いられるか、または、ターゲット周波数領域リソースグループは、少なくとも３つの周波数領域リソースグループを含み、ターゲット周波数領域リソースグループにおける各周波数領域リソースグループは、少なくとも１つのＴＢを保持するために用いられる。
【０１５２】
具体的には、ターゲット周波数領域リソースグループが少なくとも３つの周波数領域リソースグループを含む場合、１つのＴＢは、ターゲット周波数領域リソースグループに含まれる各周波数領域リソースグループにマッピングされてよい。例えば、図１０において示されているように、伝送側のデバイス（すなわち、ネットワークデバイスまたは端末デバイス＃Ａのいずれか）により送信される必要があるＴＢの数量が、例えば、４であり得て、かつ、ターゲット周波数領域リソースグループに含まれる周波数領域リソースグループの数量が、例えば、４であり得る場合、ＴＢ＃１が周波数領域リソースグループ＃１にマッピングされてよく、ＴＢ＃２が周波数領域リソースグループ＃２にマッピングされてよく、ＴＢ＃３が周波数領域リソースグループ＃３にマッピングされてよく、ＴＢ＃４が周波数領域リソースグループ＃４にマッピングされてよい。
【０１５３】
あるいは、ターゲット周波数領域リソースグループが少なくとも２つの周波数領域リソースグループを含む場合、２つまたはそれより多いＴＢは、ターゲット周波数領域リソースグループに含まれる１つ又は複数の周波数領域リソースグループのうちのそれぞれにマッピングされてよい。加えて、１つのＴＢが、ターゲット周波数領域リソースグループに含まれる他の周波数領域リソースグループのそれぞれにマッピングされてよい。
【０１５４】
あるいは、ターゲット周波数領域リソースグループが少なくとも２つの周波数領域リソースグループを含む場合、２つまたはそれより多いＴＢは、ターゲット周波数領域リソースグループに含まれる各周波数領域リソースグループにマッピングされてよい。
【０１５５】
従来技術において、１つの伝送期間において１つのキャリアを用いることによって、１つの端末デバイスの最大で２つのＴＢを伝送することができる。従来技術と比較して、本発明のこの実施形態において、１つのキャリア上の少なくとも２つの周波数領域リソースグループは、１つの端末デバイスに割り当てられ、これにより、端末デバイス＃Ａの少なくとも３つのＴＢは、１つの伝送期間において伝送され得る。従って、本発明のこの実施形態における無線通信方法によれば、個々の端末デバイスのデータ伝送時間を短縮できる。
【０１５６】
加えて、従来技術において、１つの端末デバイスの２つのＴＢが１つのキャリアを用いて伝送される場合、空間分割多重化などの技術を用いることによって、当該キャリア上の同じ周波数領域リソースは、当該２つのＴＢに対して多重化される。従来技術と比較して、本発明のこの実施形態において、１つのキャリア上の少なくとも２つの周波数領域リソースグループは、１つの端末デバイスに割り当てられ、これにより、異なるＴＢは、異なる周波数領域リソースグループを用いることによって伝送されることができ、空間分割多重化などの技術を用いる必要がない。従って、端末デバイスおよびネットワークデバイスの処理要求および負荷を低減することができる。
【０１５７】
上に列挙されたマッピング方式は単に、説明のための例であることが理解されるべきである。本発明において、このことは、限定されない。ターゲット周波数領域リソースグループに含まれる周波数領域リソースグループの数量は、ランダムに設定されてよく、端末デバイス＃ＡのＴＢ数も、ランダムに設定されてよい。本発明において、このことは具体的に限定されない。
【０１５８】
任意選択的に、ネットワークデバイスがターゲット周波数領域リソースグループを用いることによって、ターゲット端末デバイスと無線通信を行う段階は、ネットワークデバイスが、一次周波数領域リソースグループにおける制御チャネルを用いることによって、ターゲット周波数領域リソースグループのスケジューリング情報をターゲット端末デバイスへ送信する段階を含む。
【０１５９】
具体的には、本発明のこの実施形態において、ネットワークデバイスは、一次周波数領域リソースグループにおいて設定された制御チャネルを用いることによって、ターゲット周波数領域リソースグループのスケジューリング情報（ＤＣＩなど）を、端末デバイス＃Ａへ送信してよい。それに応じて、端末デバイス＃Ａは、一次周波数領域リソースグループにおける制御チャネル上でターゲット周波数領域リソースグループのスケジューリング情報を受信し、スケジューリング情報に基づき、かつ、ターゲット周波数領域リソースグループを用いることによって、ＴＢを伝送してよい。
【０１６０】
任意選択的に、ネットワークデバイスが、ターゲット周波数領域リソースグループを用いることによって、ターゲット端末デバイスと無線通信を行う段階は、ネットワークデバイスが、ターゲット周波数領域リソースグループにおける制御チャネルを用いることによって、ターゲット周波数領域リソースグループのスケジューリング情報を、ターゲット端末デバイスへ送信する段階を含む。
【０１６１】
具体的には、本発明のこの実施形態において、ネットワークデバイスは、ターゲット周波数領域リソースグループにおける各周波数領域リソースグループにおいて設定された制御チャネルを用いることによって、ターゲット周波数領域リソースにおける各周波数領域リソースグループのスケジューリング情報（ＤＣＩなど）を、端末デバイス＃Ａへ送信してよい。それに応じて、端末デバイス＃Ａは、ターゲット周波数領域リソースの各周波数領域リソースグループにおける制御チャネル上で、ターゲット周波数領域リソースにおける各周波数領域リソースグループのスケジューリング情報を受信し、スケジューリング情報に基づき、かつ、各周波数領域リソースグループを用いることによって、ＴＢを伝送してよい。
【０１６２】
任意選択的に、ネットワークデバイスが、ターゲット周波数領域リソースグループを用いることによって、ターゲット端末デバイスと無線通信を行う段階は、ネットワークデバイスが、一次周波数領域リソースグループにおけるアップリンクフィードバックチャネルを用いることによって、ターゲット端末デバイスにより送信された、ターゲット周波数領域リソースグループにおいて保持されているダウンリンク伝送のフィードバック情報を受信する段階を含む。
【０１６３】
具体的には、本発明のこの実施形態において、端末デバイス＃Ａは、一次周波数領域リソースグループにおいて設定されたアップリンクフィードバックチャネル（ＰＵＣＣＨなど）を用いることによって、ターゲット周波数領域リソースグループにおける各周波数領域リソースグループにおいて保持されているダウンリンク伝送のフィードバック情報（ダウンリンクＨＡＲＱのフィードバック情報など）を、ネットワークデバイスへ送信してよい。それに応じて、ネットワークデバイスは、一次周波数領域リソースグループにおけるアップリンクフィードバックチャネル上で、ターゲット周波数領域リソースグループにおける各周波数領域リソースグループにおいて保持されているダウンリンク伝送のフィードバック情報を受信し、フィードバック情報に基づき、ＨＡＲＱ処理を実行してよい。
【０１６４】
任意選択的に、ネットワークデバイスが、ターゲット周波数領域リソースグループを用いることによって、ターゲット端末デバイスと無線通信を行う段階は、ネットワークデバイスが、ターゲット周波数領域リソースグループにおけるアップリンクフィードバックチャネルを用いることによって、ターゲット端末デバイスにより送信された、ターゲット周波数領域リソースグループにおいて保持されているダウンリンク伝送のフィードバック情報を受信する段階を含む。
【０１６５】
具体的には、本発明のこの実施形態において、端末デバイス＃Ａは、ターゲット周波数領域リソースグループにおける各周波数領域リソースグループにおいて設定されたアップリンクフィードバックチャネル（ＰＵＣＣＨなど）を用いることによって、ターゲット周波数領域リソースグループにおける各周波数領域リソースグループにおいて保持されているダウンリンク伝送のフィードバック情報（ダウンリンクＨＡＲＱおフィードバック情報など）を、ネットワークデバイスへ送信してよい。それに応じて、ネットワークデバイスは、ターゲット周波数領域リソースグループの各周波数領域リソースグループにおけるアップリンクフィードバックチャネル上で、ターゲット周波数領域リソースグループにおける各周波数領域リソースグループにおいて保持されているダウンリンク伝送のフィードバック情報を受信し、フィードバック情報に基づき、ＨＡＲＱ処理を実行してよい。
【０１６６】
任意選択的に、ネットワークデバイスが、ターゲット周波数領域リソースグループを用いることによって、ターゲット端末デバイスと無線通信を行う段階は、ネットワークデバイスが、一次周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信する段階を含む。
【０１６７】
具体的には、本発明のこの実施形態において、ネットワークデバイスは、一次周波数領域リソースグループにおいて設定されたダウンリンクフィードバックチャネル（ＰＨＩＣＨなど）を用いることによって、ターゲット周波数領域リソースグループにおける各周波数領域リソースグループにおいて保持されているアップリンク伝送のフィードバック情報（アップリンクＨＡＲＱのフィードバック情報など）を、端末デバイス＃Ａへ送信してよい。それに応じて、端末デバイス＃Ａは、一次周波数領域リソースグループにおけるダウンリンクフィードバックチャネル上で、ターゲット周波数領域リソースグループにおける各周波数領域リソースグループにおいて保持されているアップリンク伝送のフィードバック情報を受信し、フィードバック情報に基づき、ＨＡＲＱ処理を実行してよい。
【０１６８】
任意選択的に、ネットワークデバイスが、ターゲット周波数領域リソースグループを用いることによって、ターゲット端末デバイスと無線通信を行う段階は、ネットワークデバイスが、ターゲット周波数領域リソースグループにおけるダウンリンクフィードバックチャネルを用いることによって、ターゲット周波数領域リソースグループにおいて保持されているアップリンク伝送のフィードバック情報をターゲット端末デバイスへ送信する段階を含む。
【０１６９】
具体的には、本発明のこの実施形態において、ネットワークデバイスは、ターゲット周波数領域リソースグループにおける各周波数領域リソースグループにおいて設定されたダウンリンクフィードバックチャネル（ＰＨＩＣＨなど）を用いることによって、ターゲット周波数領域リソースグループにおける各周波数領域リソースグループにおいて保持されているダウンリンク伝送のフィードバック情報（アップリンクＨＡＲＱのフィードバック情報など）を、端末デバイス＃Ａへ送信してよい。それに応じて、端末デバイス＃Ａは、ターゲット周波数領域リソースグループの各周波数領域リソースグループにおけるダウンリンクフィードバックチャネル上で、ターゲット周波数領域リソースグループにおける各周波数領域リソースグループにおいて保持されているアップリンク伝送のフィードバック情報を受信し、フィードバック情報に基づき、ＨＡＲＱ処理を実行してよい。
【０１７０】
本発明のこの実施形態における無線通信方法によれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられてよく、これにより、端末デバイスの要求に基づき、対応する周波数領域リソースを端末デバイスに提供することができる。従って、異なるユーザ要求が柔軟に満たされ得る。
【０１７１】
図１１は、本発明の実施形態に係る端末デバイスの視点から説明されている通信方法２００の模式的フローチャートを示す。方法２００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図１１において示されているように、方法２００は、以下の段階を含む。
【０１７２】
Ｓ２１０．ターゲット端末デバイスが、ネットワークデバイスにより送信された第１の指示情報を受信し、ここで、第１の指示情報は、ターゲット周波数領域リソースグループを示すために用いられ、ターゲット周波数領域リソースグループは、ネットワークデバイスにより、少なくとも２つの周波数領域リソースグループから決定され、ターゲット周波数領域リソースグループは、少なくとも１つの周波数領域リソースグループを含む。
【０１７３】
Ｓ２２０．ターゲット端末デバイスは、ターゲット周波数領域リソースグループを用いることによって、ネットワークデバイスと無線通信を行う。
【０１７４】
任意選択的に、ターゲット周波数領域リソースグループは、少なくとも２つの周波数領域リソースグループを含み、ターゲット端末デバイスが、ターゲット周波数領域リソースグループを用いることによって、ネットワークデバイスと無線通信を行う段階は、ターゲット端末デバイスが、ターゲット周波数領域リソースグループを用いることによって、少なくとも２つのトランスポートブロックＴＢを、ネットワークデバイスへ伝送する段階を含み、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０１７５】
任意選択的に、方法はさらに、ターゲット端末デバイスが、端末能力情報をネットワークデバイスへ送信する段階を備え、ここで、端末能力情報は、ターゲット端末デバイスにより処理され得る周波数領域リソースの最大幅を示すために用いられ、これにより、ネットワークデバイスは、端末能力情報に従って、ターゲット周波数領域リソースグループを決定する。
【０１７６】
任意選択的に、少なくとも２つの周波数領域リソースグループは、周波数領域リソースにおいて連続して分布される。
【０１７７】
任意選択的に、少なくとも２つの周波数領域リソースグループは、一次周波数領域リソースグループおよび少なくとも１つの二次周波数領域リソースグループを含む。
【０１７８】
任意選択的に、ターゲット端末デバイスが、ネットワークデバイスにより送信された第１の指示情報を受信する段階は、ターゲット端末デバイスが、一次周波数領域リソースグループを用いることによって、ネットワークデバイスにより送信された第１の指示情報を受信する段階を含む。
【０１７９】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、一次周波数領域リソースグループにおける制御チャネルを用いることによって受信する段階を含む。
【０１８０】
任意選択的に、制御チャネルが、各周波数領域リソースグループにおいて設定され、各制御チャネルは、制御チャネルが属する周波数領域リソースグループのスケジューリング情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループのスケジューリング情報を、ターゲット周波数領域リソースグループにおける制御チャネルを用いることによって受信する段階を含む。
【０１８１】
任意選択的に、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、一次周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信する段階を含む。
【０１８２】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ターゲット周波数領域リソースグループにおけるアップリンクフィードバックチャネルを用いることによって、ターゲット周波数領域リソースグループにおいて保持されているダウンリンク伝送のフィードバック情報をネットワークデバイスへ送信する段階を含む。
【０１８３】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されるアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、一次周波数領域リソースグループにおけるダウンリンクフィードバックチャネルを用いることによって、ネットワークデバイスにより送信された、ターゲット周波数領域リソースグループにおいて保持されているアップリンク伝送のフィードバック情報を受信する段階を含む。
【０１８４】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、ターゲット端末デバイスが、ターゲット周波数領域リソースグループを用いることによって、ネットワークデバイスと無線通信を行う段階は、ターゲット端末デバイスが、ネットワークデバイスにより送信された、ターゲット周波数領域リソースグループにおいて保持されているアップリンク伝送のフィードバック情報を、ターゲット周波数領域リソースグループにおけるダウンリンクフィードバックチャネルを用いることによって受信する段階を含む。
【０１８５】
方法２００における端末デバイスの動作は、方法１００における端末デバイスの動作と同様であり、方法２００におけるネットワークデバイスの動作は、方法１００におけるネットワークデバイスの動作と同様である。ここでは、繰り返しを回避するために、それらの詳述な説明を省略する。
【０１８６】
本発明のこの実施形態における無線通信方法によれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０１８７】
先述においては、図１から図１１を参照して、本発明の実施形態に係る無線通信方法を詳細に説明している。以下では、図１２および図１３を参照して、本発明の実施形態に係る無線通信装置を詳細に説明する。
【０１８８】
図１２は、本発明の実施形態に係る無線通信装置３００の模式的ブロック図を示す。装置３００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図１２において示されているように、装置３００は、少なくとも２つの周波数領域リソースグループから、ターゲット端末デバイスに割り当てられるべきターゲット周波数領域リソースグループを決定するように構成される決定ユニット３１０であって、ターゲット周波数領域リソースグループは、少なくとも１つの周波数領域リソースグループを含む、決定ユニット３１０と、第１の指示情報をターゲット端末デバイスへ送信するように構成される通信ユニット３２０であって、第１の指示情報は、ターゲット周波数領域リソースグループを示すために用いられる、通信ユニット３２０とを備える。
【０１８９】
通信ユニット３１０はさらに、ターゲット周波数領域リソースグループを用いることによって、ターゲット端末デバイスと無線通信を行うように構成される。
【０１９０】
任意選択的に、ターゲット周波数領域リソースグループは、少なくとも２つの周波数領域リソースグループを含み、通信ユニットは具体的に、ターゲット周波数領域リソースグループを用いることによって、少なくとも２つのトランスポートブロックＴＢを、ターゲット端末デバイスへ伝送するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０１９１】
任意選択的に、通信ユニットはさらに、ターゲット端末デバイスにより送信された端末能力情報を受信するように構成される。端末能力情報は、ターゲット端末デバイスにより処理され得る周波数領域リソースの最大幅を示すために用いられる。
【０１９２】
決定ユニットは具体的に、端末能力情報に従って、少なくとも２つの周波数領域リソースグループから、ターゲット端末デバイスに割り当てられるべきターゲット周波数領域リソースグループを決定するように構成される。
【０１９３】
任意選択的に、少なくとも２つの周波数領域リソースグループは、周波数領域リソースにおいて連続して分布される。
【０１９４】
任意選択的に、少なくとも２つの周波数領域リソースグループは、一次周波数領域リソースグループおよび少なくとも１つの二次周波数領域リソースグループを含む。
【０１９５】
任意選択的に、通信ユニットは具体的に、一次周波数領域リソースグループを用いることによって、第１の指示情報をターゲット端末デバイスへ送信するように構成される。
【０１９６】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、通信ユニットは具体的に、一次周波数領域リソースグループにおける制御チャネルを用いることによって、ターゲット周波数領域リソースグループのスケジューリング情報をターゲット端末デバイスへ送信するように構成される。
【０１９７】
任意選択的に、制御チャネルが、各周波数領域リソースグループにおいて設定され、各制御チャネルは、当該制御チャネルが属する周波数領域リソースグループのスケジューリング情報を伝送するために用いられ、通信ユニットは具体的に、ターゲット周波数領域リソースグループにおける制御チャネルを用いることによって、ターゲット周波数領域リソースグループのスケジューリング情報を、ターゲット端末デバイスへ送信するように構成される。
【０１９８】
任意選択的に、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、通信ユニットは具体的に、ターゲット端末デバイスにより送信された、ターゲット周波数領域リソースグループにおいて保持されているダウンリンク伝送のフィードバック情報を、一次周波数領域リソースグループにおけるアップリンクフィードバックチャネルを用いることによって受信するように構成される。
【０１９９】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、通信ユニットは具体的に、ターゲット端末デバイスにより送信された、ターゲット周波数領域リソースグループにおいて保持されているダウンリンク伝送のフィードバック情報を、ターゲット周波数領域リソースグループにおけるアップリンクフィードバックチャネルを用いることによって受信するように構成される。
【０２００】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、通信ユニットは具体的に、一次周波数領域リソースグループにおけるダウンリンクフィードバックチャネルを用いることによって、ターゲット周波数領域リソースグループにおいて保持されているアップリンク伝送のフィードバック情報をターゲット端末デバイスへ送信するように構成される。
【０２０１】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、通信ユニットは具体的に、ターゲット周波数領域リソースグループにおけるダウンリンクフィードバックチャネルを用いることによって、ターゲット周波数領域リソースグループにおいて保持されているアップリンク伝送のフィードバック情報を、ターゲット端末デバイスへ送信するように構成される。
【０２０２】
任意選択的に、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成される。決定ユニットはさらに、ターゲット周波数領域リソースグループに対応するＨＡＲＱエンティティを決定するように構成され、通信ユニットは具体的に、ターゲット周波数領域リソースグループに対応するＨＡＲＱエンティティに従って、ターゲット周波数領域リソースグループにおいて保持されている伝送に対してＨＡＲＱ処理を実行するように構成される。
【０２０３】
本発明のこの実施形態に係る無線通信装置３００は、本発明の実施形態の方法におけるネットワークデバイスに対応してよい。加えて、無線通信装置３００におけるユニットおよびモジュール、ならびに先述の他の動作および／または機能は別々に、図９の方法１００の対応する手順を実装することを意図する。簡潔さのために、その詳細はここでは、説明されない。
【０２０４】
本発明のこの実施形態における無線通信装置によれば、システムにより提供された周波数領域リソースは、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０２０５】
図１３は、本発明の実施形態に係る無線通信装置４００の模式的ブロック図を示す。装置４００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。図１３において示されているように、装置４００は、ネットワークデバイスにより送信された第１の指示情報を受信するように構成される通信ユニット４１０であって、第１の指示情報は、ターゲット周波数領域リソースグループを示すために用いられ、ターゲット周波数領域リソースグループは、ネットワークデバイスにより、少なくとも２つの周波数領域リソースグループから決定され、ターゲット周波数領域リソースグループは、少なくとも１つの周波数領域リソースグループを含む、通信ユニット４１０と、第１の指示情報に従って、ターゲット周波数領域リソースグループを決定するように構成される決定ユニット４２０とを備える。
【０２０６】
通信ユニット４１０はさらに、ターゲット周波数領域リソースグループを用いることによって、ネットワークデバイスと無線通信を行うように構成される。
【０２０７】
任意選択的に、ターゲット周波数領域リソースグループは、少なくとも２つの周波数領域リソースグループを含み、通信ユニットは具体的に、ターゲット周波数領域リソースグループを用いることによって、少なくとも２つのトランスポートブロックＴＢを、ネットワークデバイスへ伝送するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０２０８】
任意選択的に、通信ユニットはさらに、端末能力情報をネットワークデバイスへ送信するように構成される。端末能力情報は、無線通信装置４００により処理され得る周波数領域リソースの最大幅を示すために用いられ、これにより、ネットワークデバイスは、端末能力情報に従って、ターゲット周波数領域リソースグループを決定する。
【０２０９】
任意選択的に、少なくとも２つの周波数領域リソースグループは、周波数領域リソースにおいて連続して分布される。
【０２１０】
任意選択的に、少なくとも２つの周波数領域リソースグループは、一次周波数領域リソースグループおよび少なくとも１つの二次周波数領域リソースグループを含む。
【０２１１】
任意選択的に、通信ユニットは具体的に、一次周波数領域リソースグループを用いることによって、ネットワークデバイスにより送信された第１の指示情報を受信するように構成される。
【０２１２】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、通信ユニットは具体的に、ネットワークデバイスにより送信された、ターゲット周波数領域リソースグループのスケジューリング情報を、一次周波数領域リソースグループにおける制御チャネルを用いることによって受信するように構成される。
【０２１３】
任意選択的に、制御チャネルが、各周波数領域リソースグループにおいて設定され、各制御チャネルは、当該制御チャネルが属する周波数領域リソースグループのスケジューリング情報を伝送するために用いられ、通信ユニットは具体的に、ネットワークデバイスにより送信された、ターゲット周波数領域リソースグループのスケジューリング情報を、ターゲット周波数領域リソースグループにおける制御チャネルを用いることによって受信するように構成される。
【０２１４】
任意選択的に、アップリンクフィードバックチャネルが、一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されるダウンリンク伝送のフィードバック情報を伝送するために用いられ、通信ユニットは具体的に、一次周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信するように構成される。
【０２１５】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、通信ユニットは具体的に、ターゲット周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信するように構成される。
【０２１６】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、通信ユニットは具体的に、一次周波数領域リソースグループにおけるダウンリンクフィードバックチャネルを用いることによって、ネットワークデバイスにより送信された、ターゲット周波数領域リソースグループにおいて保持されているアップリンク伝送のフィードバック情報を受信するように構成される。
【０２１７】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、通信ユニットは具体的に、ターゲット周波数領域リソースグループにおけるダウンリンクフィードバックチャネルを用いることによって、ネットワークデバイスにより送信された、ターゲット周波数領域リソースグループにおいて保持されているアップリンク伝送のフィードバック情報を受信するように構成される。
【０２１８】
本発明のこの実施形態に係る無線通信装置４００は、本発明の実施形態の方法におけるターゲット端末デバイス（端末デバイス＃Ａなど）に対応してよい。加えて、無線通信装置４００におけるユニットおよびモジュール、ならびに先述の他の動作および／または機能は別々に、図１１の方法２００の対応する手順を実装することを意図する。簡潔さのために、その詳細はここでは、説明されない。
【０２１９】
本発明のこの実施形態における無線通信装置によれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられて得て、これにより、端末デバイスの要求に基づき、対応する周波数領域リソースを端末デバイスに提供することができる。従って、異なるユーザ要求が柔軟に満たされ得る。
【０２２０】
先述においては、図１から図１１を参照して、本発明の実施形態に係る無線通信方法を詳細に説明している。以下では、図１４および図１５を参照して、本発明の実施形態に係る無線通信デバイスを詳細に説明する。
【０２２１】
図１４は、本発明の実施形態に係る無線通信デバイス５００の模式的ブロック図を示す。図１４により示されているように、デバイス５００は、プロセッサ５１０およびトランシーバ５２０を備え、プロセッサ５１０は、トランシーバ５２０に接続される。任意選択的に、デバイス５００はさらに、メモリ５３０を備え、メモリ５３０は、プロセッサ５１０に接続される。任意選択的に、デバイス５００はさらに、バスシステム５４０を備える。プロセッサ５１０、メモリ５３０、およびトランシーバ５２０は、バスシステム５４０を用いることによって、接続されてよい。メモリ５３０は、命令を記憶するように構成されてよい。プロセッサ５１０は、メモリ５３０において記憶されている命令を実行するように構成され、情報または信号を送信するようにトランシーバ５２０を制御する。デバイス５００は、特定の帯域幅を有する周波数領域リソースを用いる通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。
【０２２２】
プロセッサ５１０は、少なくとも２つの周波数領域リソースグループから、ターゲット端末デバイスに割り当てられるべきターゲット周波数領域リソースグループを決定するように命令を実行する。ターゲット周波数領域リソースグループは、少なくとも１つの周波数領域リソースグループを含む。
【０２２３】
プロセッサ５１０はさらに、第１の指示情報をターゲット端末デバイスへ送信するようにトランシーバ５２０を制御するように構成される。第１の指示情報は、ターゲット周波数領域リソースグループを示すために用いられる。
【０２２４】
プロセッサ５１０はさらに、ターゲット周波数領域リソースグループを用いることによってターゲット端末デバイスと無線通信を行うようにトランシーバ５２０を制御するように構成される。
【０２２５】
任意選択的に、ターゲット周波数領域リソースグループは、少なくとも２つの周波数領域リソースグループを含み、プロセッサ５１０は具体的に、ターゲット周波数領域リソースグループを用いることによって少なくとも２つのトランスポートブロックＴＢをターゲット端末デバイスへ伝送するようにトランシーバ５２０を制御するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０２２６】
任意選択的に、プロセッサ５１０は具体的に、ターゲット端末デバイスにより送信された端末能力情報を受信するようにトランシーバ５２０を制御するように構成される。端末能力情報は、ターゲット端末デバイスにより処理され得る周波数領域リソースの最大幅を示すために用いられる。
【０２２７】
プロセッサ５１０は具体的に、端末能力情報に従って、少なくとも２つの周波数領域リソースグループから、ターゲット端末デバイスに割り当てられるべきターゲット周波数領域リソースグループを決定するように構成される。
【０２２８】
任意選択的に、少なくとも２つの周波数領域リソースグループは、周波数領域リソースにおいて連続して分布される。
【０２２９】
任意選択的に、少なくとも２つの周波数領域リソースグループは、一次周波数領域リソースグループと、少なくとも１つの二次周波数領域リソースグループを含む。
【０２３０】
任意選択的に、プロセッサ５１０は具体的に、一次周波数領域リソースグループを用いることによって第１の指示情報をターゲット端末デバイスへ送信するようにトランシーバ５２０を制御するように構成される。
【０２３１】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、プロセッサ５１０は具体的に、一次周波数領域リソースグループにおける制御チャネルを用いることによってターゲット周波数領域リソースグループのスケジューリング情報をターゲット端末デバイスへ送信するようにトランシーバ５２０を制御するように構成される。
【０２３２】
任意選択的に、制御チャネルが、各周波数領域リソースグループにおいて設定され、各制御チャネルは、当該制御チャネルが属する周波数領域リソースグループのスケジューリング情報を伝送するために用いられ、プロセッサ５１０は具体的に、ターゲット周波数領域リソースグループにおける制御チャネルを用いることによってターゲット周波数領域リソースグループのスケジューリング情報をターゲット端末デバイスへ送信するようにトランシーバ５２０を制御するように構成される。
【０２３３】
任意選択的に、アップリンクフィードバックチャネルが一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されるダウンリンク伝送のフィードバック情報を伝送するために用いられ、プロセッサ５１０は具体的に、ターゲット端末デバイスにより送信された、ターゲット周波数領域リソースグループにおいて保持されているダウンリンク伝送のフィードバック情報を一次周波数領域リソースグループにおけるアップリンクフィードバックチャネルを用いることによって受信するようにトランシーバ５２０を制御するように構成される。
【０２３４】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、プロセッサ５１０は具体的に、ターゲット端末デバイスにより送信された、ターゲット周波数領域リソースグループにおいて保持されているダウンリンク伝送のフィードバック情報をターゲット周波数領域リソースグループにおけるアップリンクフィードバックチャネルを用いることによって受信するようにトランシーバ５２０を制御するように構成される。
【０２３５】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、プロセッサ５１０は具体的に、一次周波数領域リソースグループにおけるダウンリンクフィードバックチャネルを用いることによってターゲット周波数領域リソースグループにおいて保持されているアップリンク伝送のフィードバック情報をターゲット端末デバイスへ送信するようにトランシーバ５２０を制御するように構成される。
【０２３６】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、プロセッサ５１０は具体的に、ターゲット周波数領域リソースグループにおけるダウンリンクフィードバックチャネルを用いることによってターゲット周波数領域リソースグループにおいて保持されているアップリンク伝送のフィードバック情報をターゲット端末デバイスへ送信するようにトランシーバ５２０を制御するように構成される。
【０２３７】
任意選択的に、少なくとも２つの周波数領域リソースグループは、少なくとも２つのハイブリッド自動再送要求ＨＡＲＱエンティティと１対１の対応関係にあり、各ＨＡＲＱエンティティは、対応する周波数領域リソースグループに対してＨＡＲＱ処理を実行するように構成され、プロセッサ５１０はさらに、ターゲット周波数領域リソースグループに対応するＨＡＲＱエンティティを決定するように構成され、プロセッサ５１０はさらに、ターゲット周波数領域リソースグループに対応するＨＡＲＱエンティティに従って、ターゲット周波数領域リソースグループにおいて保持されている伝送に対してＨＡＲＱ処理を実行するように構成される。
【０２３８】
本発明のこの実施形態において、プロセッサ５１０は、中央処理装置（「ＣＰＵ」）であってよく、または、プロセッサ５１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサは、マイクロプロセッサであってよく、またはプロセッサは、任意の従来のプロセッサまたは同様のものであってよい。
【０２３９】
メモリ５３０は、リードオンリメモリおよびランダムアクセスメモリを含んでよく、命令およびデータをプロセッサ５１０に提供してよい。メモリ５３０の一部はさらに、不揮発性ランダムアクセスメモリを含んでよい。例えば、メモリ５３０はさらに、デバイスタイプについての情報を記憶してよい。
【０２４０】
データバスに加えて、バスシステム５４０はさらに、電力バス、制御バス、ステータス信号バス、および同様のものを含んでよい。しかしながら、説明を分かり易くするために、様々なバスが、図面のバスシステム５４０として示されている。
【０２４１】
実装プロセスにおいて、先述の方法における段階は、プロセッサ５１０におけるハードウェアの集積論理回路、またはソフトウェア形成の命令を用いることによって、完了し得る。本発明の実施形態に関連して開示されている方法における段階は、ハードウェアプロセッサにより直接実行されてよく、または、プロセッサにおけるハードウェアとソフトウェアモジュールとの組み合わせを用いることによって、実行されてよい。ソフトウェアモジュールは、当技術分野において成熟した記憶媒体、例えば、ランダムアクセスメモリ、フラッシュメモリ、リードオンリメモリ、プログラマブルリードオンリメモリ、電気的に消去可能プログラマブルメモリ、またはレジスタに位置してよい。記憶媒体は、メモリ５３０に位置する。プロセッサ５１０は、メモリ５３０における情報を読み出し、プロセッサ５１０のハードウェアとの組み合わせで先述の方法の段階を完了させる。繰り返しを回避するために、詳細は、ここでは説明されない。
【０２４２】
本発明のこの実施形態に係る無線通信デバイス５００は、本発明の実施形態の方法におけるネットワークデバイスに対応してよい。加えて、無線通信デバイス５００におけるユニットおよびモジュール、ならびに先述の他の動作および／または機能は別々に、図９の方法１００の対応する手順を実装することを意図する。簡潔さのために、その詳細はここでは、説明されない。
【０２４３】
本発明のこの実施形態における無線通信デバイスによれば、システムにより提供された周波数領域リソースは、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０２４４】
図１５は、本発明の実施形態に係る無線通信デバイス６００の模式的ブロック図を示す。図１５において示されているように、デバイス６００は、プロセッサ６１０およびトランシーバ６２０を備え、プロセッサ６１０は、トランシーバ６２０に接続される。任意選択的に、デバイス６００はさらに、メモリ６３０を備え、メモリ６３０はプロセッサ６１０に接続される。任意選択的に、デバイス６００はさらに、バスシステム６４０を備える。プロセッサ６１０、メモリ６３０、およびトランシーバ６２０は、バスシステム６４０を用いることによって、接続されてよい。メモリ６３０は、命令を記憶するように構成される。プロセッサ６１０は、メモリ６３０において記憶されている命令を実行するように構成され、情報または信号を送信するようにトランシーバ６２０を制御する。デバイス６００は、特定の帯域幅を有する周波数領域リソースを用いう通信システムに適用される。周波数領域リソースは、少なくとも２つの周波数領域リソースグループに区分される。各周波数領域リソースグループは、少なくとも１つのリソースブロックを含む。少なくとも２つの周波数領域リソースグループは、同じセルに属する。
【０２４５】
プロセッサ６１０は、ネットワークデバイスにより送信された第１の指示情報を受信するようにトランシーバ６２０を制御するように命令を実行する。第１の指示情報は、ターゲット周波数領域リソースグループを示すために用いられ、ターゲット周波数領域リソースグループは、ネットワークデバイスにより、少なくとも２つの周波数領域リソースグループから決定され、ターゲット周波数領域リソースグループは、少なくとも１つの周波数領域リソースグループを含む。
【０２４６】
プロセッサ６１０は、第１の指示情報に従って、ターゲット周波数領域リソースグループを決定するように構成される。
【０２４７】
プロセッサ６１０は、ターゲット周波数領域リソースグループを用いることによってネットワークデバイスと無線通信を行うようにトランシーバ６２０を制御するように構成される。
【０２４８】
任意選択的に、ターゲット周波数領域リソースグループは、少なくとも２つの周波数領域リソースグループを含み、プロセッサ６１０は具体的に、ターゲット周波数領域リソースグループを用いることによって少なくとも２つのトランスポートブロックＴＢをネットワークデバイスへ伝送するようにトランシーバ６２０を制御するように構成され、ここで、少なくとも２つのＴＢにおける第１のＴＢが、ターゲット周波数領域リソースグループにおける第１の周波数領域リソースグループにおいて保持され、少なくとも２つのＴＢにおける第２のＴＢが、ターゲット周波数領域リソースグループにおける第２の周波数領域リソースグループにおいて保持され、第１の周波数領域リソースグループは、第２の周波数領域リソースグループと異なる。
【０２４９】
任意選択的に、プロセッサ６１０はさらに、端末能力情報をネットワークデバイスへ送信するようにトランシーバ６２０を制御するように構成される。端末能力情報は、無線通信デバイス６００により処理され得る周波数領域リソースの最大幅を示すために用いられ、これにより、ネットワークデバイスは、端末能力情報に従ってターゲット周波数領域リソースグループを決定する。
【０２５０】
任意選択的に、少なくとも２つの周波数領域リソースグループは、周波数領域リソースにおいて連続して分布される。
【０２５１】
任意選択的に、少なくとも２つの周波数領域リソースグループは、一次周波数領域リソースグループおよび少なくとも１つの二次周波数領域リソースグループを含む。
【０２５２】
任意選択的に、プロセッサ６１０は具体的に、ネットワークデバイスにより送信された第１の指示情報を、一次周波数領域リソースグループを用いることによって受信するようにトランシーバ６２０を制御するように構成される。
【０２５３】
任意選択的に、制御チャネルが、一次周波数領域リソースグループにおいて設定され、一次周波数領域リソースグループにおける制御チャネルは、１つのスケジューリング期間において用いられる全ての周波数領域リソースグループのスケジューリング情報を伝送するために用いられ、プロセッサ６１０は具体的に、ネットワークデバイスにより送信された、ターゲット周波数領域リソースグループのスケジューリング情報を一次周波数領域リソースグループにおける制御チャネルを用いることによって受信するようにトランシーバ６２０を制御するように構成される。
【０２５４】
任意選択的に、制御チャネルが、各周波数領域リソースグループにおいて設定され、各制御チャネルは、当該制御チャネルが属する周波数領域リソースグループのスケジューリング情報を伝送するために用いられ、プロセッサ６１０は具体的に、ネットワークデバイスにより送信された、ターゲット周波数領域リソースグループのスケジューリング情報をターゲット周波数領域リソースグループにおける制御チャネルを用いることによって受信するようにトランシーバ６２０を制御するように構成される。
【０２５５】
任意選択的に、アップリンクフィードバックチャネルが一次周波数領域リソースグループにおいて設定され、一次周波数領域リソースグループにおけるアップリンクフィードバックチャネルは、１つのダウンリンク伝送期間において用いられる全ての周波数領域リソースグループにおいて保持されているダウンリンク伝送のフィードバック情報を伝送するために用いられ、プロセッサ６１０は具体的に、一次周波数領域リソースグループにおけるアップリンクフィードバックチャネルを用いることによってターゲット周波数領域リソースグループにおいて保持されているダウンリンク伝送のフィードバック情報をネットワークデバイスへ送信するようにトランシーバ６２０を制御するように構成される。
【０２５６】
任意選択的に、アップリンクフィードバックチャネルが、各周波数領域リソースグループにおいて設定され、各アップリンクフィードバックチャネルは、当該アップリンクフィードバックチャネルが属する周波数領域リソースグループにおいて保持されているダウンリンク伝送のフィードバック情報を伝送するために用いられ、プロセッサ６１０は具体的に、ターゲット周波数領域リソースグループにおけるアップリンクフィードバックチャネルを用いることによって、ターゲット周波数領域リソースグループにおいて保持されているダウンリンク伝送のフィードバック情報を、ネットワークデバイスへ送信するように、トランシーバ６２０を制御するように構成される。
【０２５７】
任意選択的に、ダウンリンクフィードバックチャネルが、一次周波数領域リソースグループにおいて設定され、一次周波数領域リソースグループにおけるダウンリンクフィードバックチャネルは、１つのアップリンク伝送期間において用いられる全ての周波数領域リソースグループにおいて保持されているアップリンク伝送のフィードバック情報を伝送するために用いられ、プロセッサ６１０は具体的に、ネットワークデバイスにより送信された、ターゲット周波数領域リソースグループにおいて保持されているアップリンク伝送のフィードバック情報を一次周波数領域リソースグループにおけるダウンリンクフィードバックチャネルを用いることによって受信するようにトランシーバ６２０を制御するように構成される。
【０２５８】
任意選択的に、ダウンリンクフィードバックチャネルが、各周波数領域リソースグループにおいて設定され、各ダウンリンクフィードバックチャネルは、当該ダウンリンクフィードバックチャネルが属する周波数領域リソースグループにおいて保持されているアップリンク伝送のフィードバック情報を伝送するために用いられ、プロセッサ６１０は具体的に、ネットワークデバイスにより送信された、ターゲット周波数領域リソースグループにおいて保持されているアップリンク伝送のフィードバック情報をターゲット周波数領域リソースグループにおけるダウンリンクフィードバックチャネルを用いることによって受信するようにトランシーバ６２０を制御するように構成される。
【０２５９】
本発明のこの実施形態において、プロセッサ６１０は、中央処理装置（「ＣＰＵ」）であってよく、またはプロセッサ６１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートもしくはトランジスタロジックデバイス、ディスクリートハードウェアコンポーネント、または同様のものであってよいことが理解されるべきである。汎用プロセッサは、マイクロプロセッサであってよく、または、プロセッサは、任意の従来のプロセッサまたは同様のものであってよい。
【０２６０】
メモリ６３０は、リードオンリメモリおよびランダムアクセスメモリを含んでよく、命令およびデータをプロセッサ６１０に提供しよい。メモリ６３０の一部はさらに、不揮発性ランダムアクセスメモリを含んでよい。例えば、メモリ６３０はさらに、デバイスタイプについての情報を記憶してよい。
【０２６１】
データバスに加えて、バスシステム６４０はさらに、電力バス、制御バス、ステータス信号バス、および同様のものを備えてよい。しかしながら、説明を分かり易くするために、様々なバスは、図面においてバスシステム６４０として示されている。
【０２６２】
実装プロセスにおいて、先述の方法における段階は、プロセッサ６１０におけるハードウェアの集積論理回路、またはソフトウェア形成の命令を用いることによって、完了し得る。本発明の実施形態に関連して開示される方法の段階は、ハードウェアプロセッサによって直接実行されてよく、またはプロセッサにおけるハードウェアとソフトウェアモジュールとの組み合わせを用いることによって実行されてよい。ソフトウェアモジュールは、当技術分野において成熟した記憶媒体、例えば、ランダムアクセスメモリ、フラッシュメモリ、リードオンリメモリ、プログラマブルリードオンリメモリ、電気的に消去可能プログラマブルメモリ、またはレジスタに位置してよい。記憶媒体は、メモリ６３０に位置する。プロセッサ６１０は、メモリ６３０における情報を読み出し、プロセッサ６１０のハードウェアとの組み合わせで先述の方法の段階を完了させる。繰り返しを回避するために、詳細はここでは説明されない。
【０２６３】
本発明のこの実施形態に係る無線通信デバイス６００は、本発明の実施形態の方法におけるターゲット端末デバイス（端末デバイス＃Ａなど）に対応してよい。加えて無線通信デバイス６００、におけるユニットおよびモジュール、ならびに先述の他の動作および／または機能は別々に、図１１の方法２００の対応する手順を実装することを意図する。簡潔さのために、その詳細はここでは、説明されない。
【０２６４】
本発明のこの実施形態における無線通信デバイスによれば、システムにより提供された周波数領域リソースが、少なくとも２つの周波数領域リソースグループに区分され、端末デバイスが無線通信を行う必要がある場合、１つ又は複数の周波数領域リソースグループは、端末デバイスが無線通信を行うことをサポートするように、少なくとも２つの周波数領域リソースグループから端末デバイスに割り当てられ得て、これにより、端末デバイスの要求に基づき、対応する周波数領域リソースを端末デバイスに提供することができる。従って、異なるユーザ要求が柔軟に満たされ得る。
【０２６５】
本明細書における「および／または」という用語は単に、関連付けられた対象物を説明するための関連関係を説明し、３つの関係が存在し得ることを表すことが、理解されるべきである。例えば、Ａおよび／またはＢとは、Ａのみが存在する、ＡおよびＢの両方が存在する、およびＢのみが存在するという３つの場合を表し得る。加えて、本明細書における「／」という記号は概して、関連付けられた対象物の間の「または」という関係を示している。
【０２６６】
先述の処理のシーケンス番号は、本発明の実施形態の実行順序を意味するものではないことが、理解されるべきである。処理の実行順序は、処理の機能および内部ロジックに応じて決定されるべきであり、本発明の実施形態の実装プロセスに対する何らかの限定と解釈されるべきではない。
【０２６７】
本明細書において開示されている実施形態において説明されている例の組み合わせで、ユニットおよびアルゴリズム段階は、電子ハードウェア、またはコンピュータソフトウェアと電子ハードウェアとの組み合わせによって実装され得ることを、当業者は認識し得る。機能がハードウェアまたはソフトウェアによって実行されるかは、技術的解決手段の特定の用途および設計の制約条件に依存する。当業者は、各特定の用途に対して、異なる方法を用いて、説明されている機能を実装してよいが、その実装方式は本発明の実施形態の範囲を超えるものとみなされるべきではない。
【０２６８】
便宜上、および説明の簡潔さのために、先述のシステム、装置、およびユニットの詳述した動作処理については、先述の方法の実施形態における対応する処理を参照することは、当業者により明確に理解され得る。詳細はここでは説明されない。
【０２６９】
本出願において提供されているいくつかの実施形態において、開示されているシステム、装置、および方法は、他の方式で実装され得ることが理解されるべきである。例えば、説明されている装置の実施形態は単に、例である。例えば、ユニットの区分は単に、論理機能の区分であり、実際の実装においては他の区分であってよい。例えば、複数のユニットまたはコンポーネントは、組み合わせられてよく、または、別のシステムに統合されてよく、または、一部の特徴が、無視されてよく、または実行されなくてよい。加えて、表示されまたは説明されている相互結合または直接結合または通信接続は、いくつかのインターフェースを用いて実装されてよい。装置またはユニットの間の、間接結合または通信接続は、電子的、機械的、または他の形成において実装されてよい。
【０２７０】
別々の部分として説明されているユニットは、物理的に個別のものであってもよく、またはそうでなくてもよく、ユニットとして表示されている部分は、物理ユニットであってよく、またはそうでなくてもよく、１つの場所に位置してよく、または複数のネットワークユニット上に分布されてよい。ユニットの一部または全ては、実施形態の解決手段の目的を達成するために実際の要求に応じて選択されてよい。
【０２７１】
加えて、本発明の実施形態における機能的ユニットは、１つの処理ユニットに統合されてよく、または、ユニットのそれぞれは、物理的に単体で存在してよく、または２つまたはそれより多いユニットは、１つのユニットに統合される。
【０２７２】
機能が、ソフトウェアの機能的ユニットの形成で実装され、独立した製品として販売または用いられる場合、機能は、コンピュータ可読記憶媒体において記憶され得る。そのような理解に基づき、本発明の実施形態の技術的解決手段は本質的に、または従来技術に寄与する部分、または技術的解決手段の一部は、ソフトウェア製品の形成で実装されてよい。ソフトウェア製品は、記憶媒体に記憶され、本発明の実施形態において説明されている方法の段階の全てまたは一部を実行するように、（パーソナルコンピュータ、サーバ、ネットワークデバイス、または同様のものであり得る）コンピュータデバイスに命令するためのいくつかの命令を含む。先述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを記憶できる任意の媒体を含む。
【０２７３】
先述の説明は単に、本発明の具体的な実装方式であり、本発明の保護範囲を限定することを意図するものではない。本発明の実施形態において開示されている技術的範囲内において当業者により容易に想到される任意の変形または置き換えは、本発明の実施形態の保護範囲に含まれるものとする。
【手続補正３】
【補正対象書類名】図面
【補正対象項目名】図１
【補正方法】変更
【補正の内容】
【図１】
2018536360.tif 000018
【手続補正４】
【補正対象書類名】図面
【補正対象項目名】図２
【補正方法】変更
【補正の内容】
【図２】
2018536360.tif 000019
【手続補正５】
【補正対象書類名】図面
【補正対象項目名】図３
【補正方法】変更
【補正の内容】
【図３】
2018536360.tif 000020
【手続補正６】
【補正対象書類名】図面
【補正対象項目名】図４
【補正方法】変更
【補正の内容】
【図４】
2018536360.tif 000021
【手続補正７】
【補正対象書類名】図面
【補正対象項目名】図５
【補正方法】変更
【補正の内容】
【図５】
2018536360.tif 000022
【手続補正８】
【補正対象書類名】図面
【補正対象項目名】図６
【補正方法】変更
【補正の内容】
【図６】
2018536360.tif 000023
【手続補正９】
【補正対象書類名】図面
【補正対象項目名】図７
【補正方法】変更
【補正の内容】
【図７】
2018536360.tif 000024
【手続補正１０】
【補正対象書類名】図面
【補正対象項目名】図８
【補正方法】変更
【補正の内容】
【図８】
2018536360.tif 000025
【国際調査報告】
2018536360.tif 000026
2018536360.tif 000027
2018536360.tif 000028
2018536360.tif 000029